(57)【特許請求の範囲】
【請求項１】
各々を識別可能な複数種類の識別情報を変動表示可能な変動表示装置を有し、該変動表示の表示結果が予め定められた特定表示結果となったときに、遊技者にとって有利な特定遊技状態に制御される遊技機であって、
前記特定遊技状態とするか否かを決定する事前決定手段と、
前記特定遊技状態終了後の判定期間が終了したか否かを判定する判定手段と、
前記判定期間内において前記事前決定手段によって前記特定遊技状態にすると決定された場合に数値データを更新する数値データ更新手段と、
前記数値データに基づいて前記特定遊技状態の回数を表示する表示手段と、
前記特定遊技状態の回数が予め定められた固定回数となった場合に、特定演出を実行する特定演出実行手段と、
複数種類の期間の中から前記判定期間を設定する設定手段とを備え、
前記設定手段は、前記特定演出実行手段によって前記特定演出が実行された後は、当該特定演出が実行される前よりも長くならないように前記判定期間を設定する、遊技機。
【請求項２】
各々を識別可能な複数種類の識別情報を変動表示可能な変動表示装置を有し、該変動表示の表示結果が予め定められた特定表示結果となったときに、遊技者にとって有利な特定遊技状態に制御される遊技機であって、
前記特定遊技状態とするか否かを決定する事前決定手段と、
前記特定遊技状態終了後に判定回数の変動表示が実行されたか否かを判定する判定手段と、
前記判定回数内において前記事前決定手段によって前記特定遊技状態にすると決定された場合に数値データを更新する数値データ更新手段と、
前記数値データに基づいて前記特定遊技状態の回数を表示する表示手段と、
前記特定遊技状態の回数が予め定められた固定回数となった場合に、特定演出を実行する特定演出実行手段と、
複数種類の回数の中から前記判定回数を設定する設定手段とを備え、
前記設定手段は、前記特定演出実行手段によって前記特定演出が実行された後は、当該特定演出が実行される前よりも多い回数とならないように前記判定回数を設定する、遊技機。
【発明の詳細な説明】
【技術分野】
【０００１】
本発明は、遊技機に関する。詳しくは、各々を識別可能な複数種類の識別情報を変動表示可能な変動表示装置を有し、該変動表示の表示結果が予め定められた特定表示結果となったときに、遊技者にとって有利な特定遊技状態に制御される遊技機に関する。
【背景技術】
【０００２】
従来、大当りが終了すると、所定期間に亘って、特別図柄や演出図柄の変動時間が非時短状態よりも短縮される時短状態に制御されるパチンコ遊技機があった。このようなパチンコ遊技機においては、時短状態が終了するまでに大当りが再び発生すると大当りが継続した継続回数、いわゆる、連チャン回数を積算するようにしていた。そして、大当りが発生せず時短状態が終了すると、連チャン回数はリセットされていた。
【０００３】
また、大当り回数が継続するほど再抽選演出が成功しやすい遊技機があった（たとえば、特許文献１参照）。
【先行技術文献】
【特許文献】
【０００４】
【特許文献１】特開２０１０−２０１０６１号公報
【発明の概要】
【発明が解決しようとする課題】
【０００５】
しかし、いずれの遊技機においても、連チャン回数が継続してカウントされる期間は一定であった。このため、面白みに欠けるといった問題があった。
【０００６】
この発明はかかる事情に鑑み考え出されたものであり、その目的は、所定期間における特定遊技状態の回数によって遊技の興趣を向上させることが可能な遊技機を提供することである。
【課題を解決するための手段】
【０００７】
（１−１）  各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否かを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後の判定期間（たとえば、連チャン回数を計数する期間）が終了したか否かを判定する判定手段と、
前記判定期間内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）と、
前記特定遊技状態の回数が予め定められた固定回数（たとえば、１０連チャン）となった場合に、特定演出（たとえば、エンディング演出）を実行する特定演出実行手段（たとえば、演出制御用マイクロコンピュータ１００、図２９のＳ８９３，Ｓ８９６）と、
複数種類の期間の中から前記判定期間を設定する設定手段（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。）とを備え、
前記設定手段は、前記特定演出実行手段によって前記特定演出が実行された後は、当該特定演出が実行される前よりも長くならないように前記判定期間を設定する（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。しかし、図２９のＳ８９７、図３０のＳ８６９，Ｓ８７０で示すように、エンディング演出が実行された後は、Ｓ８６９で決定される引戻し回数は一定となる）。
【０００８】
このような構成によれば、特定遊技状態とするか否かが決定され、特定遊技状態終了後の判定期間が経過したか否かが判定され、判定期間内において特定遊技状態にすると決定された場合に数値データが更新され、数値データに基づいて特定遊技状態の回数が表示され、特定遊技状態の回数が予め定められた固定回数となった場合に、特定演出が実行され、複数種類の期間の中から判定期間が設定され、特定演出が実行された後は、当該特定演出が実行される前よりも長くならないように判定期間が設定される。
【０００９】
このため、判定期間における特定遊技状態の回数が予め定められた固定回数となっている場合には、必要以上に判定期間を長くさせないようにできるため、遊技の興趣を向上させることができる。その結果、特定遊技状態の回数によって遊技の興趣を向上させることが可能な遊技機を提供することができる。
【００１０】
また、判定期間における特定遊技状態の回数が予め定められた固定回数となった場合に、特定演出が実行される。このため、判定期間における特定遊技状態が予め定められた固定回数となったことを、遊技者に分かり易く報知することができる。
（１−２） 各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否かを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後に判定回数の変動表示（たとえば、連チャン回数を計数する期間）が実行されたか否かを判定する判定手段と、
前記判定回数内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）と、
前記特定遊技状態の回数が予め定められた固定回数（たとえば、１０連チャン）となった場合に、特定演出（たとえば、エンディング演出）を実行する特定演出実行手段（たとえば、演出制御用マイクロコンピュータ１００、図２９のＳ８９３，Ｓ８９６）と、
複数種類の回数の中から前記判定回数を設定する設定手段（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。）とを備え、
前記設定手段は、前記特定演出実行手段によって前記特定演出が実行された後は、当該特定演出が実行される前よりも多い回数とならないように前記判定回数を設定する（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。しかし、図２９のＳ８９７、図３０のＳ８６９，Ｓ８７０で示すように、エンディング演出が実行された後は、Ｓ８６９で決定される引戻し回数は一定となる）。
このような構成によれば、特定遊技状態とするか否かが決定され、特定遊技状態終了後に判定回数の変動表示が実行されたか否かが判定され、判定回数内において特定遊技状態にすると決定された場合に数値データが更新され、数値データに基づいて特定遊技状態の回数が表示され、特定遊技状態の回数が予め定められた固定回数となった場合に、特定演出が実行され、複数種類の回数の中から判定回数が設定され、特定演出が実行された後は、当該特定演出が実行される前よりも多い回数とならないように判定回数が設定される。
このため、判定回数内における特定遊技状態の回数が予め定められた固定回数となっている場合には、必要以上に判定回数を多くさせないようにできるため、遊技の興趣を向上させることができる。その結果、特定遊技状態の回数によって遊技の興趣を向上させることが可能な遊技機を提供することができる。
また、判定回数内における特定遊技状態の回数が予め定められた固定回数となった場合に、特定演出が実行される。このため、判定回数内における特定遊技状態が予め定められた固定回数となったことを、遊技者に分かり易く報知することができる。
【００１１】
（２）  上記（１−１）または（１−２）の遊技機において、
前記設定手段は、前記判定期間または前記判定回数内における前記事前決定手段によって決定された前記特定遊技状態の種類に応じて異なる判定期間または判定回数を設定し、
前記設定手段は、前記特定演出実行手段によって前記特定演出が実行された後は、前記特定演出が実行される直前までの前記特定遊技状態の種類に応じた前記判定期間または前記判定回数を設定する。
【００１２】
このような構成によれば、判定期間または判定回数内における決定された特定遊技状態の種類に応じて異なる判定期間または判定回数が設定され、特定演出が実行された後は、特定演出が実行される直前までの特定遊技状態の種類に応じた判定期間または判定回数が設定される。このため、必要以上に判定期間を長くさせないようにすることまたは判定回数を多くさせないようにすることができる。
【００１３】
（３）  上記（１−１）または（１−２）の遊技機において、
前記設定手段は、前記判定期間または前記判定回数内における前記事前決定手段によって決定された前記特定遊技状態の種類に応じて異なる判定期間または判定回数を設定し、
前記設定手段は、前記特定演出実行手段によって前記特定演出が実行された後は、当該特定演出が実行される前の前記判定期間以下の長さの特定の期間（たとえば、０回またはデフォルト回数の変動表示の期間）または当該特定演出が実行される前の前記判定回数以下の特定の回数を設定する。
【００１４】
このような構成によれば、判定期間または判定回数内における決定された特定遊技状態の種類に応じて異なる判定期間または判定回数が設定され、特定演出が実行された後は、当該特定演出が実行される前の判定期間以下の長さの特定の期間または当該特定演出が実行される前の判定回数以下の特定の回数が設定される。このため、必要以上に判定期間を長くさせないようにすることまたは判定回数を多くさせないようにすることができる。
【００１５】
（４）  上記（１−１）から（３）のいずれかに記載の遊技機において、
前記特定演出実行手段は、前記特定遊技状態の回数が前記固定回数（たとえば、１０連チャン）となったことに加えて、前記複数種類の特定遊技状態のうち所定の有利度未満の特定遊技状態（たとえば、１５ラウンド通常大当り）に制御された場合に、前記特定演出を実行する（たとえば、図２９のＳ８９３，Ｓ８９４，Ｓ８９６）。
【００１６】
このような構成によれば、特定遊技状態の回数が固定回数となったことに加えて、複数種類の特定遊技状態のうち所定の有利度未満の特定遊技状態に制御された場合に、特定演出が実行される。このため、有利度の低い特定遊技状態が発生したことによる遊技の興趣の低下を抑制することができる。
【００１７】
（５）  上記（１−１）から（４）のいずれかに記載の遊技機において、
前記判定期間または前記判定回数に亘って特別演出（たとえば、引戻しモード演出）を実行する特別演出実行手段（たとえば、演出制御用マイクロコンピュータ１００、図３０のＳ８７２）をさらに備える。
【００１８】
このような構成によれば、判定期間または判定回数に亘って特別演出が実行される。このため、判定期間または判定回数を、遊技者に分かり易く報知することができる。
【図面の簡単な説明】
【００１９】
【図１】パチンコ遊技機を正面からみた正面図である。
【図２】当り種別の制御の特徴を表形式で説明する図である。
【図３】遊技制御基板（主基板）の回路構成例を示すブロック図である。
【図４】演出制御基板、ランプドライバ基板および音声出力基板の回路構成例を示すブロック図である。
【図５】主基板におけるＣＰＵが実行するメイン処理を示すフローチャートである。
【図６】タイマ割込処理を示すフローチャートである。
【図７】各乱数を示す説明図である。
【図８】大当り判定テーブルおよび大当り種別判定テーブルを示す説明図である。
【図９】演出制御コマンドの内容の一例を示す説明図である。
【図１０】特別図柄プロセス処理のプログラムの一例を示すフローチャートである。
【図１１】始動口スイッチ通過処理を示すフローチャートである。
【図１２】保留記憶バッファの構成例を示す説明図である。
【図１３】特別図柄通常処理を示すフローチャートである。
【図１４】変動パターン設定処理を示すフローチャートである。
【図１５】特別図柄変動中処理を示すフローチャートである。
【図１６】特別図柄停止処理を示すフローチャートである。
【図１７】大入賞口開放前処理を示すフローチャートである。
【図１８】大入賞口開放中処理を示すフローチャートである。
【図１９】大当り終了処理を示すフローチャートである。
【図２０】普通図柄表示結果決定テーブルを示す説明図である。
【図２１】普通図柄プロセス処理の一例を示すフローチャートである。
【図２２】演出制御用マイクロコンピュータが用いる乱数を示す説明図である。
【図２３】演出表示装置における演出図柄（飾り図柄）の停止図柄の一例を示す説明図である。
【図２４】演出制御メイン処理を示すフローチャートである。
【図２５】演出制御プロセス処理を示すフローチャートである。
【図２６】プロセステーブルの構成例を示す説明図である。
【図２７】演出図柄変動開始処理を示すフローチャートである。
【図２８】演出図柄変動中処理を示すフローチャートである。
【図２９】演出図柄変動停止処理を示すフローチャートである。
【図３０】はずれ時処理を示すフローチャートである。
【図３１】大当り終了演出処理を示すフローチャートである。
【図３２】演出表示装置における大当り継続回数、時短残り回数、および、引戻し回数の表示例を示す表示画面図である。
【図３３】大当り継続回数を説明するための第１の図である。
【図３４】大当り継続回数を説明するための第２の図である。
【図３５】大当り継続回数を説明するための第３の図である。
【発明を実施するための形態】
【００２０】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよく、各々を識別可能な複数種類の識別情報の変動表示を行ない表示結果を導出表示する複数の変動表示部から構成される変動表示手段を備え、該変動表示手段に予め定められた特定表示結果が導出表示されたときに、遊技者にとって有利な特定遊技状態に制御する遊技機であれば、どのような遊技機であってもよい。
【００２１】
まず、遊技機の一例であるパチンコ遊技機１の全体の構成について説明する。図１はパチンコ遊技機１を正面からみた正面図である。図２は、当り種別の制御の特徴を表形式で説明する図である。
【００２２】
パチンコ遊技機１は、縦長の方形状に形成された外枠（図示せず）と、外枠の内側に開閉可能に取付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取付けられる機構板（図示せず）と、それらに取付けられる種々の部品（後述する遊技盤６を除く）とを含む構造体である。
【００２３】
ガラス扉枠２の下部表面には打球供給皿（上皿）３がある。打球供給皿３の下部には、打球供給皿３に収容しきれない遊技媒体としての遊技球を貯留する余剰球受皿４や、打球（遊技球）を発射する打球操作ハンドル（操作ノブ）５が設けられている。また、ガラス扉枠２の背面には、遊技盤６が着脱可能に取付けられている。なお、遊技盤６は、それを構成する板状体と、その板状体に取付けられた種々の部品とを含む構造体である。また、遊技盤６の前面には、打込まれた遊技球が流下可能な遊技領域７が形成されている。遊技領域７には、遊技球を誘導するための多数の釘が植設されている。
【００２４】
遊技領域７の中央付近には、液晶表示装置（ＬＣＤ）で構成された演出表示装置９が設けられている。演出表示装置９では、第１特別図柄または第２特別図柄の変動表示に同期した演出図柄（飾り図柄）の変動表示（可変表示、更新表示、または、巡回表示ともいう）が行なわれる。演出図柄の変動表示は、スクロール表示およびその場切替え表示等の各種の変動態様で実行される。演出表示装置９は、各々を識別可能な複数種類の識別情報としての演出図柄（飾り図柄）の変動表示を行なう変動表示装置に相当する。演出表示装置９では、表示画面上で演出図柄を表示する演出図柄表示領域が設けられており、当該演出図柄表示領域に、たとえば「左」，「中」，「右」の３つ（複数）の演出図柄を変動表示する表示領域としての図柄表示エリアがある。このように、変動表示手段としての演出表示装置９は、複数種類の識別情報としての演出図柄の変動表示を行ない表示結果を導出表示する３つ（複数）の変動表示部としての図柄表示エリアを含んでいる。これら３つの演出図柄のそれぞれは、各々を識別可能な複数種類の識別情報としての演出図柄である。演出表示装置９は、演出制御基板に搭載されている演出制御用マイクロコンピュータによって制御される。演出制御用マイクロコンピュータが、第１特別図柄表示器８ａで第１特別図柄の変動表示が実行されているときに、その変動表示に伴って演出表示装置９で演出表示を実行させ、第２特別図柄表示器８ｂで第２特別図柄の変動表示が実行されているときに、その変動表示に伴って演出表示装置で演出表示を実行させるので、遊技の進行状況を把握しやすくすることができる。
【００２５】
遊技盤６における演出表示装置９の上部の左側には、各々を識別可能な複数種類の識別情報としての第１特別図柄を変動表示する第１特別図柄表示器（第１変動表示手段）８ａが設けられている。この実施の形態では、第１特別図柄表示器８ａは、０〜９の数字を変動表示可能な簡易で小型の表示器（たとえば７セグメントＬＥＤ）で実現されている。すなわち、第１特別図柄表示器８ａは、０〜９の数字（または、記号）を変動表示するように構成されている。遊技盤６における演出表示装置９の上部の右側には、各々を識別可能な複数種類の識別情報としての第２特別図柄を変動表示する第２特別図柄表示器（第２変動表示手段）８ｂが設けられている。第２特別図柄表示器８ｂは、０〜９の数字を変動表示可能な簡易で小型の表示器（たとえば７セグメントＬＥＤ）で実現されている。すなわち、第２特別図柄表示器８ｂは、０〜９の数字（または、記号）を変動表示するように構成されている。
【００２６】
この実施の形態では、第１特別図柄の種類と第２特別図柄の種類とは同じ（たとえば、ともに０〜９の数字）であるが、種類が異なっていてもよい。また、第１特別図柄表示器８ａおよび第２特別図柄表示器８ｂは、それぞれ、たとえば、００〜９９の数字（または、２桁の記号）を変動表示するように構成されていてもよい。
【００２７】
以下、第１特別図柄と第２特別図柄とを特別図柄と総称することがあり、第１特別図柄表示器８ａと第２特別図柄表示器８ｂとを特別図柄表示器と総称することがある。第１特別図柄は、第２特別図柄表示器８ｂで第２特別図柄の変動表示が実行されていないことを条件に変動表示が実行される。第２特別図柄は、第１特別図柄表示器８ａで第１特別図柄の変動表示が実行されていないことを条件に変動表示が実行される。つまり、第１特別図柄と第２特別図柄とは、同時に変動表示されることなく、どちらか一方が変動表示される。
【００２８】
第１特別図柄または第２特別図柄の変動表示は、変動表示の実行条件である第１始動条件または第２始動条件が成立（たとえば、遊技球が第１始動入賞口１３または第２始動入賞口１４に入賞したこと）した後、変動表示の開始条件（たとえば、保留記憶数が０でない場合であって、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、入賞とは、入賞口等の予め入賞領域として定められている領域を遊技球が通過したこと（遊技球が入ったこと）である。また、表示結果を導出表示するとは、図柄（識別情報の例）を最終的に停止表示させることである。
【００２９】
以下の説明においては、遊技球が第１始動入賞口１３に入賞したことを第１始動入賞と呼ぶ場合があり、遊技球が第２始動入賞口１４に入賞したことを第２始動入賞と呼ぶ場合がある。始動条件は成立しているが開始条件が成立していない変動表示に関するデータは、開始条件が成立するまで特別図柄の変動表示を行なう権利である保留記憶データとして保留して記憶される。具体的に、保留記憶データは、後述する遊技制御用マイクロコンピュータ５６０のＲＡＭ５５の所定領域に記憶される。第１始動入賞の保留記憶データは所定数（たとえば、４個）を上限として第１保留記憶データとして第１保留記憶バッファに記憶され、第２始動入賞の保留記憶データは所定数（たとえば、４個）を上限として第２保留記憶データとして第２保留記憶バッファに記憶される。
【００３０】
パチンコ遊技機１には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の変動表示を開始できる状態であれば（たとえば、特別図柄の変動表示が終了し、第１の開始条件が成立したこと）、第１特別図柄表示器８ａにおいて第１特別図柄の変動表示（変動）が開始されるとともに、演出表示装置９において演出図柄（飾り図柄）の変動表示が開始される。すなわち、第１特別図柄および演出図柄の変動表示は
、第１始動入賞口１３への入賞に対応する。第１特別図柄の変動表示を開始できる状態でなければ、第１保留記憶数が上限値に達していないことを条件として、第１保留記憶数を１増やす。
【００３１】
遊技球が第２始動入賞口１４に入り第２始動口スイッチ１４ａで検出されると、第２特別図柄の変動表示を開始できる状態であれば（たとえば、特別図柄の変動表示が終了し、第２の開始条件が成立したこと）、第２特別図柄表示器８ｂにおいて第２特別図柄の変動表示（変動）が開始されるとともに、演出表示装置９において演出図柄（飾り図柄）の変動表示が開始される。すなわち、第２特別図柄および演出図柄の変動表示は、第２始動入賞口１４への入賞に対応する。第２特別図柄の変動表示を開始できる状態でなければ、第２保留記憶数が上限値に達していないことを条件として、第２保留記憶数を１増やす。
【００３２】
演出表示装置９は、第１特別図柄表示器８ａでの第１特別図柄の変動表示時間中、および第２特別図柄表示器８ｂでの第２特別図柄の変動表示時間中に、装飾用（演出用）の図柄としての演出図柄（飾り図柄）の変動表示を行なう。第１特別図柄表示器８ａにおける第１特別図柄の変動表示と、演出表示装置９における演出図柄の変動表示とは同期している。また、第２特別図柄表示器８ｂにおける第２特別図柄の変動表示と、演出表示装置９における演出図柄の変動表示とは同期している。同期とは、変動表示の開始時点および終了時点がほぼ同じ（全く同じでもよい。）であって、変動表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。前述した第１特別図柄表示器８ａ、第２特別図柄表示器８ｂ、および、演出表示装置９は、識別情報の変動表示を行ない表示結果を導出表示する変動表示装置であり、変動表示部として用いられる。
【００３３】
演出表示装置９では、変動表示を開始するときに、たとえば、左，中，右の演出図柄のすべてが変動表示を開始する。そして、変動表示している左，中，右の演出図柄が基本的に所定の順番（たとえば、左演出図柄、右演出図柄、中演出図柄の順番のような予め定められた順番）で停止し、変動表示の開始から予め定められた変動時間が経過したときに、左，中，右の全演出図柄が停止して表示結果が確定する。なお、左，中，右の演出図柄が停止する順番は、左，右，中の図柄の順番以外の順番であってもよい。また、左，中，右の演出図柄は、同時に停止してもよい。
【００３４】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３５】
また、第１始動入賞口（第１始動口）１３を有する入賞装置の下方には、遊技球が入賞可能な第２始動入賞口１４（第２始動口）を有する可変入賞球装置（電動チューリップ）１５が設けられている。第２始動入賞口１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。なお、可変入賞球装置１５が閉状態になっている状態において、入賞はしづらいものの、入賞することは可能である（すなわち、遊技球が入賞しにくい）ように構成されていてもよい。このように、可変入賞球装置１５が閉状態になっている状態は、遊技球が第２始動入賞口１４に入賞しにくいまたは入賞しない状態であればよい。
【００３６】
以下、第１始動入賞口１３と第２始動入賞口１４とを総称して始動入賞口または始動口ということがある。
【００３７】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を遊技球を第１始動入賞口１３に導きづらくして、第２始動入賞口１４の入賞率の方を第１始動入賞口１３の入賞率よりもより高くするようにしてもよい。
【００３８】
第１特別図柄表示器８ａの下部には、第１始動入賞口１３に入った有効入賞球数すなわち第１保留記憶数（保留記憶を、始動記憶または始動入賞記憶ともいう。）を表示する４つの表示器（たとえば、ＬＥＤ）からなる第１特別図柄保留記憶表示器１８ａが設けられている。第１特別図柄保留記憶表示器１８ａは、有効始動入賞があるごとに、点灯する表示器の数を１増やす。そして、第１特別図柄表示器８ａでの変動表示が開始されるごとに、点灯する表示器の数を１減らす。
【００３９】
第２特別図柄表示器８ｂの下部には、第２始動入賞口１４に入った有効入賞球数すなわち第２保留記憶数を表示する４つの表示器（たとえば、ＬＥＤ）からなる第２特別図柄保留記憶表示器１８ｂが設けられている。第２特別図柄保留記憶表示器１８ｂは、有効始動入賞があるごとに、点灯する表示器の数を１増やす。そして、第２特別図柄表示器８ｂでの変動表示が開始されるごとに、点灯する表示器の数を１減らす。
【００４０】
また、演出表示装置９の表示画面には、第１保留記憶数を表示する第１保留記憶表示部１８ｃと、第２保留記憶数を表示する第２保留記憶表示部１８ｄとが設けられている（それぞれの表示領域が設けられている）。なお、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、変動表示の開始条件が成立していない実行条件の成立数の合計を把握しやすくすることができる。
【００４１】
なお、この実施の形態では、図１に示すように、第２始動入賞口１４に対してのみ開閉動作を行なう可変入賞球装置１５が設けられているが、第１始動入賞口１３および第２始動入賞口１４のいずれについても開閉動作を行なう可変入賞球装置が設けられている構成であってもよい。
【００４２】
演出表示装置９における演出図柄の変動表示中には、リーチ状態が生じる場合がある。ここで、リーチ状態は、演出表示装置９の表示領域において停止表示された演出図柄が大当り図柄の組合せの一部を構成しているときに未だ停止表示されていない演出図柄の変動が継続している表示状態、または、全部もしくは一部の演出図柄が大当り図柄の組合せの全部または一部を構成しながら同期して変動している表示状態である。言い換えると、リーチとは、複数の変動表示領域において識別情報が特定表示結果を構成しているが少なくとも一部の変動領域が変動表示中である状態をいう。この実施形態において、リーチ状態は、たとえば、左，右の図柄表示エリアで同じ図柄が停止し、中の図柄表示エリアで図柄が停止していない状態で形成される。リーチ状態が形成されるときの左，右の図柄表示エリアで停止された図柄は、リーチ形成図柄、または、リーチ図柄と呼ばれる。
【００４３】
そして、リーチ状態における表示演出が、リーチ演出表示（リーチ演出）である。また、リーチの際に、通常と異なる演出がランプや音で行なわれることがある。この演出をリーチ演出という。また、リーチの際に、キャラクタ（人物等を模した演出表示であり、図柄（演出図柄等）とは異なるもの）を表示させたり、演出表示装置９の背景画像の表示態様（たとえば、色等）を変化させたりすることがある。このキャラクタの表示や背景の表示態様の変化をリーチ演出表示という。また、リーチの中には、それが出現すると、通常のリーチ（ノーマルリーチ）に比べて、大当りが発生しやすいように設定され、大当りとなる信頼度が高いものがある。このような特別（特定）のリーチをスーパーリーチという。
【００４４】
また、図１に示すように、可変入賞球装置１５の下方には、特別可変入賞球装置２０が設けられている。特別可変入賞球装置２０は、開閉板を備え、遊技球が入賞可能な開状態（第１の状態）と、遊技球が入賞しない閉状態（第２の状態）とに変化可能である可変入賞装置である。なお、特別可変入賞球装置２０は、閉状態において、入賞はしづらいものの、入賞することは可能である（すなわち、遊技球が入賞しにくい）ように構成されていてもよい。このように、特別可変入賞球装置２０が閉状態になっている状態は、遊技球が特別可変入賞球装置２０に入賞しにくいまたは入賞しない状態であればよい。
【００４５】
特別可変入賞球装置２０は、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４６】
大当り遊技状態においては、特別可変入賞球装置２０が開放状態と閉鎖状態とを繰返す繰返し継続制御が行なわれる。繰返し継続制御において、特別可変入賞球装置２０が開放されている状態が、ラウンドと呼ばれる。本実施の形態では、大当りの種別が複数設けられており、大当りとすることが決定されたときには、いずれかの大当り種別が選択される。なお、本実施の形態では、１ラウンドで１回だけ特別可変入賞球装置２０を開放状態とする制御例を示したが、これに限らず、１ラウンドで２回等の複数回、特別可変入賞球装置２０を開放状態とする制御を行なうようにしてもよい。
【００４７】
演出表示装置９の下部には、普通図柄表示器１０が設けられている。普通図柄表示器１０は、普通図柄と呼ばれる複数種類の識別情報（たとえば、「○」および「×」）を変動表示する。
【００４８】
遊技球がゲート３２を通過しゲートスイッチ３２ａで検出されると、普通図柄表示器１０の表示の変動表示が開始される。この実施の形態では、左右のランプ（点灯時に図柄が視認可能になる）が交互に点灯することによって変動表示が行なわれ、たとえば、変動表示の終了時に左側のランプが点灯すれば当りとなる。そして、普通図柄表示器１０における停止図柄が所定の図柄（当り図柄「○」）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。
【００４９】
普通図柄表示器１０の近傍には、ゲート３２を通過した入賞球数を表示する４つの表示器（たとえば、ＬＥＤ）を有する普通図柄保留記憶表示器４１が設けられている。ゲート３２への遊技球の通過があるごとに、すなわちゲートスイッチ３２ａによって遊技球が検出されるごとに、普通図柄保留記憶表示器４１は点灯する表示器を１増やす。そして、普通図柄表示器１０の変動表示が開始されるごとに、点灯する表示器を１減らす。普図保留記憶数の上限値は４つであり、普通図柄保留記憶表示器４１においては、この４つを上限値として表示器を点灯する。
【００５０】
遊技盤６の遊技領域７の左右周辺には、遊技中に点滅表示される装飾ＬＥＤ２５が設けられ、下部には、入賞しなかった打球が取込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられた天枠ＬＥＤ２８ａ、左枠ＬＥＤ２８ｂおよび右枠ＬＥＤ２８ｃが設けられている。
【００５１】
また、左枠ＬＥＤ２８ｂの近傍には賞球残数があるときに点灯する賞球ＬＥＤ５１が設けられ、右枠ＬＥＤ２８ｃの近傍には補給球が切れたときに点灯する球切れＬＥＤ５２が設けられている。天枠ＬＥＤ２８ａ、左枠ＬＥＤ２８ｂおよび右枠ＬＥＤ２８ｃおよび装飾ＬＥＤ２５は、パチンコ遊技機１に設けられている演出用の発光体の一例である。なお、上述した演出用（装飾用）の各種ＬＥＤの他にも演出のためのＬＥＤやランプが設置されている。
【００５２】
また、プリペイドカードが挿入されることによって球貸しを可能にするプリペイドカードユニット（以下、単に「カードユニット」ともいう。）が、パチンコ遊技機１に隣接して設置される（図示せず）。
【００５３】
図２の当り種別表においては、当りの種別ごとに、大当り遊技状態の終了後の大当り確率、大当り遊技状態の終了後のベース、大当り遊技状態の終了後の変動時間、大当りにおける開放回数（ラウンド数）、および、各ラウンドの開放時間が示されている。図２に示すように、ラウンド数が異なる大当り遊技状態としては、１５ラウンドの大当り遊技状態と２ラウンドの大当り遊技状態との複数種類の大当り遊技状態が設けられている。
【００５４】
具体的に、１５ラウンドの大当り遊技状態においては、特別可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる１５ラウンド（最終ラウンド）に達するまで繰返される。
【００５５】
また、２ラウンドの大当り遊技状態においては、特別可変入賞球装置２０が、開放状態とされた後、所定の開放状態の終了条件（開放状態において所定期間（たとえば０．５秒間）が経過したこと、または、所定個数（たとえば１０個）の入賞球が発生したという開放終了条件）が成立したことに応じて閉鎖状態とされる。そして、開放終了条件が成立すると、継続権が発生し、特別可変入賞球装置２０の開放が再度行なわれる。継続権の発生は、大当り遊技状態における開放回数が予め定められた上限値となる２ラウンド（最終ラウンド）に達するまで繰返される。
【００５６】
このように、２ラウンドの大当りは、大入賞口の開放回数が１５ラウンドよりも少ない回数（この実施の形態では２回）まで許容されるが、大入賞口の開放時間が短い（たとえば、０．５秒間）大当り種類（種別）である。また、本実施の形態の場合は、２ラウンドの大当りとして、大入賞口の開放時間が極めて短く（０．５秒間）、実質的に賞球（入賞に対して払出される景品球）が得られない当りが設けられている。
【００５７】
なお、２ラウンドの大当りとしては、実質的に賞球が得られない当りのみを設けてもよく、賞球を得ることができる当りのみを設けてもよく、実質的に賞球が得られない当りと賞球を得ることができる当りとの両方を設けてもよい。
【００５８】
「大当り」のうち、１５ラウンドまたは２ラウンドの大当り遊技状態に制御された後、特別遊技状態として、通常状態（確変状態でない通常の遊技状態）に比べて大当りとすることに決定される確率が高い状態である確変状態（確率変動状態の略語であり、高確率状態ともいう）に移行する大当りの種類（種別）は、「確変大当り」と呼ばれる。また、本実施の形態では、特別遊技状態としては、確変状態に付随して、特別図柄や演出図柄の変動時間（変動表示期間）が非時短状態よりも短縮される時短状態に制御される場合がある。なお、特別遊技状態としては、確変状態とは独立して時短状態に制御される場合があるようにしてもよい。
【００５９】
このように、時短状態に移行することによって、特別図柄や演出図柄の変動時間が短縮されるので、時短状態となったときには、有効な始動入賞が発生しやすくなり大当り遊技が行なわれる可能性が高まる。
【００６０】
なお、「大当り」のうち、１５ラウンドまたは２ラウンドの大当り遊技状態に制御された後、確変状態に移行しない大当りの種類（種別）は、「通常大当り」と呼ばれる。本実施の形態では、１５ラウンドの大当りについて通常大当りが設けられている例を示す。また、１５ラウンドの大当り、および、２ラウンドの大当りのいずれか一方、または、両方について「通常大当り」を設けてもよい。また、１５ラウンドの大当り、および、２ラウンドの大当りの両方について通常大当りが設けられていなくてもよい。
【００６１】
また、特別遊技状態としては、確変状態に付随して、可変入賞球装置１５が開状態になる頻度を高くして可変入賞球装置１５への入賞を容易化（高頻度化）する電チューサポート制御状態に制御される場合がある。なお、特別遊技状態としては、確変状態とは独立して電チューサポート制御状態に制御される場合があるようにしてもよい。
【００６２】
ここで、電チューサポート制御について説明する。電チューサポート制御としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５の開放時間を長くする制御（開放時間延長制御）、および、可変入賞球装置１５の開放回数を増加させる制御（開放回数増加制御）が行なわれる。このような制御が行なわれると、当該制御が行なわれていないときと比べて、可変入賞球装置１５が開状態となっている時間比率が高くなるので、第２始動入賞口１４への入賞頻度が高まり、遊技球が始動入賞しやすくなる（特別図柄表示器８ａ，８ｂや演出表示装置９における変動表示の実行条件が成立しやすくなる）。また、このような制御によって第２始動入賞口１４への入賞頻度が高まることにより、第２始動条件の成立頻度および／または第２特別図柄の変動表示の実行頻度が高まる遊技状態となる。
【００６３】
このような電チューサポート制御により第２始動入賞口１４への入賞頻度が高められた状態（高頻度状態）は、発射球数に対して入賞に応じて賞球として払出される遊技球数の割合である「ベース」が、当該制御が行なわれないときと比べて、高い状態であるので、「高ベース状態」と呼ばれる。また、このような制御が行なわれないときは、「低ベース状態」と呼ばれる。また、このような制御は、可変入賞球装置１５、すなわち、電動チューリップにより入賞をサポートすることにより可変入賞球装置１５への入賞を容易化する制御であり、「電チューサポート制御」と呼ばれる。
【００６４】
さらに、電チューサポート制御としては、普通図柄短縮制御状態、普通図柄確変制御状態、開放時間延長制御状態、および、開放回数増加制御状態のうちのいずれか複数を組合せた状態に移行させることによって、高ベース状態に移行するようにしてもよい。また、電チューサポート制御としては、普通図柄短縮制御状態、普通図柄確変制御状態、開放時間延長制御状態、および、開放回数増加制御状態のうちのいずれか１つの状態に移行させることによって、高ベース状態に移行するようにしてもよい。このように、電チューサポート制御としては、普通図柄短縮制御状態、普通図柄確変制御状態、開放時間延長制御状態、および、開放回数増加制御状態のうち、いずれか１つの状態、いずれか複数（すべての組合せを除く）を組合せた状態、または、すべてを組合せた状態に制御するものであれば、どのような制御を行なうようにしてもよい。
【００６５】
本実施の形態では、特別遊技状態として、確変状態に付随して、時短状態および電チューサポート制御状態に制御される場合がある。なお、特別遊技状態として、確変状態とは独立して時短状態および電チューサポート制御状態に制御される場合があるようにしてもよい。その他、特別遊技状態における時短状態と電チューサポート制御状態との関係としては、時短状態に付随して電チューサポート制御状態に制御されるようにしてもよく、時短状態に独立して電チューサポート制御状態に制御されるようにしてもよい。
【００６６】
この実施の形態の場合は、大当り遊技状態の終了後において、特別遊技状態として、確変状態に制御されたときに電チューサポート制御状態に制御される場合と、確変状態に制御されたときに電チューサポート制御状態に制御されない場合とがある。なお、大当りの遊技状態の終了後において、確変状態に制御されず通常状態となるときは、変動表示回数により期間が制限された電チューサポート制御状態に制御されるようにしてもよい。
【００６７】
この実施の形態においては、大当り確率の状態を示す用語として、「高確率状態（確変状態）」と、「低確率状態（非確変状態）」とを用い、ベースの状態の組合せを示す用語として、「高ベース状態（電チューサポート制御状態）」と、「低ベース状態（非電チューサポート制御状態）」とを用いる。
【００６８】
また、この実施の形態においては、大当り確率の状態およびベースの状態の組合せを示す用語として、「低確低ベース状態」、「高確低ベース状態」、および、「高確高ベース状態」を用いる。「低確低ベース状態」とは、大当り確率の状態が低確率状態で、かつ、ベースの状態が低ベース状態であることを示す状態である。「高確低ベース状態」とは、大当り確率の状態が高確率状態で、かつ、ベースの状態が低ベース状態であることを示す状態である。「高確高ベース状態」とは、大当り確率の状態が高確率状態で、かつ、ベースの状態が高ベース状態であることを示す状態である。なお、前述の通常大当りのように、大当り遊技状態終了後に大当り確率の状態が低確率状態となるものについて、たとえば電チューサポート制御を行なう場合には、大当り確率の状態が低確率状態で、かつ、ベースの状態が高ベース状態であることを示す状態である「低確高ベース状態」となる。
【００６９】
図２に示すように、１５ラウンドの大当りとしては、通常大当りと、確変大当りとの複数種類の大当りが設けられている。また、２ラウンドの大当りとしては、確変大当りが設けられている。
【００７０】
１５ラウンド通常大当りは、１５ラウンドの大当り遊技状態の終了後に、非確変状態、時短状態、および、電チューサポート制御状態（低確高ベース状態）に制御される大当りである。１５ラウンド確変大当りは、１５ラウンドの大当り遊技状態の終了後に、確変状態、時短状態、および、電チューサポート制御状態（高確高ベース状態）に移行する制御が行なわれる大当りである。１５ラウンド確変大当りにおいては、確変状態、時短状態、および、電チューサポート制御状態が、次回の大当りが発生するまでという条件が成立するまでの期間、継続する。
【００７１】
また、１５ラウンド通常大当りにおいては、時短状態が、変動表示が１００回という所定回数実行されるまでという条件と、次回の大当りが発生するまでという条件とのいずれか早い方の条件が成立するまでの期間、継続する。このように時短状態が継続する変動表示の回数は、時短回数とも呼ばれる。
【００７２】
２ラウンド確変大当りは、２ラウンドの大当り遊技状態の終了後に、確変状態、時短状態、および、電チューサポート制御状態（高確高ベース状態）に移行する制御が行なわれる大当りである。２ラウンド確変大当りにおいては、確変状態、時短状態、および、電チューサポート制御状態が、次回の大当りが発生するまでという条件が成立するまでの期間、継続する。
【００７３】
２ラウンド確変大当りは、ラウンド数が少なく（２回）、大入賞口の開放時間が極めて短い態様（０．５秒間開放）で大入賞口が開放されることにより、大当り遊技状態の終了後に確変状態となったことを報知する場合には、遊技者に対して突然に確変状態となったかのように見せることが可能なものであり、「突然確変大当り」と呼ばれる。「突然確変大当り」は、「突確大当り」または「突確」という略称で呼ばれる場合もある。このような２ラウンド確変大当りは、大当り遊技状態において、０．５秒間の開放が２回しか行なわれないため、実質的に賞球が得られない当りである。
【００７４】
なお、１５ラウンド通常大当りとしては、非確変状態、非時短状態、および、非電チューサポート制御状態（低確低ベース状態）とする制御が行なわれる大当りであってもよい。また、１５ラウンド確変大当りとしては、確変状態、非時短状態、および、非電チューサポート制御状態（高確低ベース状態）とする制御が行なわれる大当りであってもよい。また、２ラウンド確変大当りとしては、確変状態、非時短状態、および、非電チューサポート制御状態（高確低ベース状態）とする制御が行なわれる大当りであってもよい。
【００７５】
また、２ラウンド確変大当りのような実質的に賞球が得られない当りとしては、１５ラウンドの大当りであるが、１ラウンドあたりの開放時間がたとえば０．１秒間のように極めて短いことにより、実質的に賞球が得られないものであってもよい。また、実質的に賞球が得られない当りとしては、ラウンド数が少ないこと、または、１ラウンドあたりの開放時間が短いことのうち少なくとも一方が実行されることにより実質的に賞球が得られないものであればよい。具体的に、実質的に賞球が得られない大当りについては、開放回数が２回で開放時間が０．５秒、または、開放回数が１５回で開放時間が０．１秒のように設定すればよい。また、実質的に賞球が得られない大当りの代わりに、たとえば、開放回数が２回で開放時間が２９秒という大当りのように、１５ラウンドの大当りよりも大当り遊技状態における開放時間の合計値が短いことにより、１５ラウンドの大当りよりも得られる賞球が少ない大当りを設けてもよい。
【００７６】
また、大当りとしては、ラウンド数が同じであるが、１回の開放時間が長い開放パターンの大当りと、１回の開放時間が短い開放パターンの大当りとを設ける等、ラウンド数が同じであるが開放パターンが異なるものを複数設け、第１特別図柄の変動表示で大当りとなったときと、第２特別図柄の変動表示で大当りとなったときとで異なる選択割合で選択して実行されるようにしてもよい。
【００７７】
図３は、主基板（遊技制御基板）３１における回路構成の一例を示すブロック図である。なお、図３には、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。
【００７８】
遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路５０３が内蔵されている。
【００７９】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００８０】
乱数回路５０３は、特別図柄の変動表示の表示結果により大当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。
【００８１】
乱数回路５０３は、数値データの更新範囲の選択設定機能（初期値の選択設定機能、および、上限値の選択設定機能）、数値データの更新規則の選択設定機能、および数値データの更新規則の選択切替え機能等の各種の機能を有する。このような機能によって、生成する乱数のランダム性を向上させることができる。
【００８２】
また、遊技制御用マイクロコンピュータ５６０は、乱数回路５０３が更新する数値データの初期値を設定する機能を有している。たとえば、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行なって得られた数値データを、乱数回路５０３が更新する数値データの初期値として設定する。そのような処理を行なうことによって、乱数回路５０３が発生する乱数のランダム性をより向上させることができる。
【００８３】
遊技制御用マイクロコンピュータ５６０は、第１始動口スイッチ１３ａまたは第２始動口スイッチ１４ａへの始動入賞が生じたときに乱数回路５０３から数値データをランダムＲとして読出し、特別図柄および演出図柄の変動開始時にランダムＲに基づいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００８４】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや各保留記憶数カウンタの値等）と未払出賞球数を示すデータは、バックアップＲＡＭに保存される。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００８５】
遊技制御用マイクロコンピュータ５６０のリセット端子には、電源基板からのリセット信号（図示せず）が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。したがって、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００８６】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（たとえば、ＤＣ３０ＶやＤＣ５Ｖ等）の電圧値を監視して、電圧値が予め定められた所定値にまで低下すると（電源電圧の低下を検出すると）、その旨を示す電源断信号を出力する電源監視回路が搭載されている。また、遊技制御用マイクロコンピュータ５６０の入力ポートには、ＲＡＭの内容をクリアすることを指示するためのクリアスイッチが操作されたことを示すクリア信号（図示せず）が入力される。
【００８７】
また、ゲートスイッチ３２ａ、第１始動口スイッチ１３ａ、第２始動口スイッチ１４ａおよびカウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令にしたがって駆動する出力回路５９も主基板３１に搭載されている。さらに、大当り遊技状態の発生を示す大当り情報等の情報出力信号をホールコンピュータ等の外部装置に対して出力する情報出力回路（図示せず）も主基板３１に搭載されている。
【００８８】
この実施の形態では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、演出図柄を変動表示する演出表示装置９との表示制御を行なう。
【００８９】
図４は、中継基板７７、演出制御基板８０、ランプドライバ基板３５および音声出力基板７０の回路構成例を示すブロック図である。なお、図４に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００９０】
演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムにしたがって動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドに基づいて、ＶＤＰ（ビデオディスプレイプロセッサ）１０９に演出表示装置９の表示制御を行なわせる。
【００９１】
この実施の形態では、演出制御用マイクロコンピュータ１００と共動して演出表示装置９の表示制御を行なうＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、ＶＤＰによって生成された画像データを展開するためのバッファメモリである。そして、ＶＤＰ１０９は、ＶＲＡＭ内の画像データを演出表示装置９に出力する。
【００９２】
演出制御用ＣＰＵ１０１は、受信した演出制御コマンドにしたがってキャラクタＲＯＭ（図示せず）から必要なデータを読出す。キャラクタＲＯＭは、演出表示装置９に表示されるキャラクタ画像データ、具体的には、人物、文字、図形または記号等（演出図柄を含む）を予め格納しておくためのものである。演出制御用ＣＰＵ１０１は、キャラクタＲＯＭから読出したデータをＶＤＰ１０９に出力する。ＶＤＰ１０９は、演出制御用ＣＰＵ１０１から入力されたデータに基づいて表示制御を実行する。
【００９３】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００９４】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、たとえばダイオードやトランジスタが使用される。図４には、ダイオードが例示されている。また、単方向性回路は、各信号ごとに設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図３に示されたＩ／Ｏポート部５７の一部である。また、出力ポート５７１の外側（中継基板７７側）に、さらに、単方向性回路である信号ドライバ回路が設けられていてもよい。
【００９５】
さらに、演出制御用ＣＰＵ１０１は、出力ポート１０５を介してランプドライバ基板３５に対してＬＥＤを駆動する信号を出力する。また、演出制御用ＣＰＵ１０１は、出力ポート１０４を介して音声出力基板７０に対して音番号データを出力する。
【００９６】
ランプドライバ基板３５において、ＬＥＤを駆動する信号は、入力ドライバ３５１を介してＬＥＤドライバ３５２に入力される。ＬＥＤドライバ３５２は、駆動信号を天枠ＬＥＤ２８ａ、左枠ＬＥＤ２８ｂ、右枠ＬＥＤ２８ｃ等の枠側に設けられている各ＬＥＤに供給する。また、遊技盤側に設けられている装飾ＬＥＤ２５に駆動信号を供給する。なお、ＬＥＤ以外の発光体が設けられている場合には、それを駆動する駆動回路（ドライバ）がランプドライバ基板３５に搭載される。
【００９７】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７Ｒ，２７Ｌに出力する。音声データＲＯＭ７０４には、音番号データに応じた制御データが格納されている。音番号データに応じた制御データは、所定期間（たとえば演出図柄の変動期間）における効果音または音声の出力態様を時系列的に示すデータの集まりである。
【００９８】
次に、パチンコ遊技機１の動作について説明する。図５は、主基板３１における遊技制御用マイクロコンピュータ５６０が実行するメイン処理を示すフローチャートである。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、ステップＳ（以下、単にＳという）１以降のメイン処理を開始する。メイン処理において、ＣＰＵ５６は、まず、必要な初期設定を行なう。
【００９９】
初期設定処理において、ＣＰＵ５６は、まず、割込禁止に設定する（Ｓ１）。次に、割込モードを割込モード２に設定し（Ｓ２）、スタックポインタにスタックポインタ指定アドレスを設定する（Ｓ３）。そして、内蔵デバイスの初期化（内蔵デバイス（内蔵周辺回路）であるＣＴＣ（カウンタ／タイマ）およびＰＩＯ（パラレル入出力ポート）の初期化等）を行なった後（Ｓ４）、ＲＡＭをアクセス可能状態に設定する（Ｓ５）。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【０１００】
次いで、ＣＰＵ５６は、入力ポートを介して入力されるクリアスイッチ（たとえば、電源基板に搭載されている。）の出力信号（クリア信号）の状態を確認する（Ｓ６）。その確認においてオンを検出した場合には、ＣＰＵ５６は、通常の初期化処理（Ｓ１０〜Ｓ１５）を実行する。
【０１０１】
クリアスイッチがオンの状態でない場合には、遊技機への電力供給が停止したときにバックアップＲＡＭ領域のデータ保護処理（たとえばパリティデータの付加等の電力供給停止時処理）が行なわれたか否か確認する（Ｓ７）。そのような保護処理が行なわれていないことを確認したら、ＣＰＵ５６は初期化処理を実行する。バックアップＲＡＭ領域にバックアップデータがあるか否かは、たとえば、電力供給停止時処理においてバックアップＲＡＭ領域に設定されるバックアップフラグの状態によって確認される。
【０１０２】
電力供給停止時処理が行なわれたことを確認したら、ＣＰＵ５６は、バックアップＲＡＭ領域のデータチェックを行なう（Ｓ８）。この実施の形態では、データチェックとしてパリティチェックを行なう。よって、Ｓ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【０１０３】
チェック結果が正常であれば、ＣＰＵ５６は、遊技制御手段の内部状態と演出制御手段等の電気部品制御手段の制御状態を電力供給停止時の状態に戻すための遊技状態復旧処理（Ｓ４１〜Ｓ４３の処理）を行なう。具体的には、ＲＯＭ５４に格納されているバックアップ時設定テーブルの先頭アドレスをポインタに設定し（Ｓ４１）、バックアップ時設定テーブルの内容を順次作業領域（ＲＡＭ５５内の領域）に設定する（Ｓ４２）。作業領域はバックアップ電源によって電源バックアップされている。バックアップ時設定テーブルには、作業領域のうち初期化してもよい領域についての初期化データが設定されている。Ｓ４１およびＳ４２の処理によって、作業領域のうち初期化してはならない部分については、保存されていた内容がそのまま残る。初期化してはならない部分とは、たとえば、電力供給停止前の遊技状態を示すデータ（特別図柄プロセスフラグ、確変フラグ、時短フラグ等）、出力ポートの出力状態が保存されている領域（出力ポートバッファ）、未払出賞球数を示すデータが設定されている部分等である。
【０１０４】
また、ＣＰＵ５６は、電力供給復旧時の初期化コマンドとしての停電復旧指定コマンドを送信する（Ｓ４３）。そして、Ｓ１４に移行する。
【０１０５】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【０１０６】
初期化処理では、ＣＰＵ５６は、まず、ＲＡＭクリア処理を行なう（Ｓ１０）。なお、ＲＡＭクリア処理によって、所定のデータ（たとえば、普通図柄当り判定用乱数を生成するためのカウンタのカウント値のデータ）は０に初期化されるが、任意の値または予め決められている値に初期化するようにしてもよい。また、ＲＡＭ５５の全領域を初期化せず、所定のデータ（たとえば、普通図柄当り判定用乱数を生成するためのカウンタのカウント値のデータ）をそのままにしてもよい。また、ＲＯＭ５４に格納されている初期化時設定テーブルの先頭アドレスをポインタに設定し（Ｓ１１）、初期化時設定テーブルの内容を順次作業領域に設定する（Ｓ１２）。
【０１０７】
Ｓ１１およびＳ１２の処理によって、たとえば、普通図柄当り判定用乱数カウンタ、特別図柄バッファ、総賞球数格納バッファ、特別図柄プロセスフラグ等制御状態に応じて選択的に処理を行なうためのフラグに初期値が設定される。
【０１０８】
また、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）をサブ基板に送信する（Ｓ１３）。たとえば、演出制御用マイクロコンピュータ１００は、初期化指定コマンドを受信すると、演出表示装置９において、遊技機の制御の初期化がなされたことを報知するための画面表示、すなわち初期化報知を行なう。
【０１０９】
また、ＣＰＵ５６は、乱数回路５０３を初期設定する乱数回路設定処理を実行する（Ｓ１４）。ＣＰＵ５６は、たとえば、乱数回路設定プログラムにしたがって処理を実行することによって、乱数回路５０３にランダムＲの値を更新させるための設定を行なう。
【０１１０】
そして、Ｓ１５において、ＣＰＵ５６は、所定時間（たとえば２ｍｓ）ごとに定期的にタイマ割込がかかるように遊技制御用マイクロコンピュータ５６０に内蔵されているＣＴＣのレジスタの設定を行なう。すなわち、初期値としてたとえば２ｍｓに相当する値が所定のレジスタ（時間定数レジスタ）に設定される。この実施の形態では、２ｍｓごとに定期的にタイマ割込がかかるとする。
【０１１１】
初期化処理の実行（Ｓ１０〜Ｓ１５）が完了すると、ＣＰＵ５６は、メイン処理で、表示用乱数更新処理（Ｓ１７）および初期値用乱数更新処理（Ｓ１８）を繰返し実行する。表示用乱数更新処理および初期値用乱数更新処理を実行するときには割込禁止状態に設定し（Ｓ１６）、表示用乱数更新処理および初期値用乱数更新処理の実行が終了すると割込許可状態に設定する（Ｓ１９）。この実施の形態では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０１１２】
なお、この実施の形態では、リーチ演出は、演出表示装置９において変動表示される演出図柄（飾り図柄）を用いて実行される。また、特別図柄の表示結果を大当り図柄にする場合には、リーチ演出は常に実行される。特別図柄の表示結果を大当り図柄にしない場合には、遊技制御用マイクロコンピュータ５６０は、乱数を用いた抽選によって、リーチ演出を実行するか否か決定する。ただし、実際にリーチ演出の制御を実行するのは、演出制御用マイクロコンピュータ１００である。
【０１１３】
タイマ割込が発生すると、ＣＰＵ５６は、図６に示すＳ２０〜Ｓ３４のタイマ割込処理を実行する。図６は、タイマ割込み処理を示すフローチャートである。
【０１１４】
タイマ割込処理においては、まず、電源断信号が出力されたか否か（オン状態になったか否か）を検出する電源断検出処理を実行する（Ｓ２０）。電源断信号は、たとえば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行なう（スイッチ処理：Ｓ２１）。
【０１１５】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１１６】
また、遊技制御に用いられる普通図柄当り判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１１７】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行する。ＣＰＵ５６は、特別図柄プロセスフラグの値を、遊技状態に応じて更新する。
【０１１８】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行する。ＣＰＵ５６は、普通図柄プロセスフラグの値を、遊技状態に応じて更新する。
【０１１９】
また、ＣＰＵ５６は、演出制御用マイクロコンピュータ１００に演出制御コマンドを送出する処理を行なう（演出制御コマンド制御処理：Ｓ２８）。
【０１２０】
さらに、ＣＰＵ５６は、たとえばホール管理用コンピュータに供給される大当り情報、始動情報、確率変動情報等のデータを出力する情報出力処理を行なう（Ｓ２９）。
【０１２１】
また、ＣＰＵ５６は、第１始動口スイッチ１３ａ、第２始動口スイッチ１４ａおよびカウントスイッチ２３の検出信号に基づく賞球個数の設定等を行なう賞球処理を実行する（Ｓ３０）。具体的には、第１始動口スイッチ１３ａ、第２始動口スイッチ１４ａおよびカウントスイッチ２３のいずれかがオンしたことに基づく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０１２２】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１２３】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。ＣＰＵ５６は、たとえば、特別図柄プロセス処理でセットされる開始フラグがセットされると終了フラグがセットされるまで、変動速度が１コマ／０．２秒であれば、０．２秒が経過するごとに、出力バッファに設定される表示制御データの値を＋１する。また、ＣＰＵ５６は、出力バッファに設定された表示制御データに応じて、Ｓ２２において駆動信号を出力することによって、第１特別図柄表示器８ａおよび第２特別図柄表示器８ｂにおける第１特別図柄および第２特別図柄の変動表示を実行する。
【０１２４】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。ＣＰＵ５６は、たとえば、普通図柄の変動に関する開始フラグがセットされると終了フラグがセットされるまで、普通図柄の変動速度が０．２秒ごとに表示状態（「○」および「×」）を切替えるような速度であれば、０．２秒が経過するごとに、出力バッファに設定される表示制御データの値（たとえば、「○」を示す１と「×」を示す０）を切替える。また、ＣＰＵ５６は、出力バッファに設定された表示制御データに応じて、Ｓ２２において駆動信号を出力することによって、普通図柄表示器１０における普通図柄の演出表示を実行する。その後、割込許可状態に設定し（Ｓ３４）、処理を終了する。
【０１２５】
以上の制御によって、この実施の形態では、遊技制御処理は２ｍｓごとに起動されることになる。なお、遊技制御処理は、タイマ割込処理におけるＳ２１〜Ｓ３３（Ｓ２９を除く。）の処理に相当する。また、この実施の形態では、タイマ割込処理で遊技制御処理が実行されているが、タイマ割込処理ではたとえば割込が発生したことを示すフラグのセットのみがなされ、遊技制御処理はメイン処理において実行されるようにしてもよい。
【０１２６】
第１特別図柄表示器８ａまたは第２特別図柄表示器８ｂおよび演出表示装置９にはずれ図柄が停止表示される場合には、演出図柄の変動表示が開始されてから、演出図柄の変動表示状態がリーチ状態にならずに、リーチにならない所定の演出図柄の組合せが停止表示されることがある。このような演出図柄の変動表示態様を、変動表示結果がはずれ図柄になる場合における「非リーチ」（「通常はずれ」ともいう）の変動表示態様という。
【０１２７】
第１特別図柄表示器８ａまたは第２特別図柄表示器８ｂおよび演出表示装置９にはずれ図柄が停止表示される場合には、演出図柄の変動表示が開始されてから、演出図柄の変動表示状態がリーチ状態となった後にリーチ演出が実行され、最終的に大当り図柄とはならない所定の演出図柄の組合せが停止表示されることがある。このような演出図柄の変動表示結果を、変動表示結果が「はずれ」となる場合における「リーチ」（「リーチはずれ」ともいう）の変動表示態様という。
【０１２８】
この実施の形態では、第１特別図柄表示器８ａまたは第２特別図柄表示器８ｂに大当り図柄が停止表示される場合には、演出図柄の変動表示状態がリーチ状態になった後にリーチ演出が実行され、最終的に演出表示装置９における「左」、「中」、「右」の各図柄表示エリアに、演出図柄が揃って停止表示される。
【０１２９】
図７は、各乱数を示す説明図である。各乱数は、以下のように使用される。
（１）  ランダムＲ：大当りにするか否かを判定する当り判定用のランダムカウンタである。ランダムＲは、１０ＭＨｚで１ずつ更新され、０から加算更新されてその上限である６５５３５まで加算更新された後、再度、０から加算更新される。
【０１３０】
（２）  ランダム１（ＭＲ１）：大当りの種類（種別、１５ラウンド通常大当り、１５ラウンド確変大当り、および、２ラウンド確変大当りのいずれかの種別）および大当り図柄を決定する（大当り種別判定用、大当り図柄決定用）
（３）  ランダム２（ＭＲ２）：変動パターンの種類（種別）を決定する（変動パターン種別判定用）
（４）  ランダム３（ＭＲ３）：変動パターン（変動時間）を決定する（変動パターン判定用）
（５）  ランダム４（ＭＲ４）：普通図柄に基づく当りを発生させるか否か決定する（普通図柄当り判定用）
（６）  ランダム５（ＭＲ５）：ランダム４の初期値を決定する（ランダム４初期値決定用）。
【０１３１】
この実施の形態では、前述したように、特定遊技状態である大当りとして、１５ラウンド通常大当り、１５ラウンド確変大当り、および、２ラウンド確変大当りという複数の種別が含まれている。したがって、大当りとする決定がされたときには、大当り種別判定用乱数（ランダム１）の値に基づいて、大当りの種別が、これらいずれかの大当り種別に決定される。さらに、大当りの種別が決定されるときに、同時に大当り種別判定用乱数（ランダム１）の値に基づいて、大当り図柄も決定される。したがって、ランダム１は、大当り図柄決定用乱数でもある。
【０１３２】
また、この実施の形態では、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。
【０１３３】
変動パターン種別とは、複数の変動パターンをその変動態様の特徴にしたがってグループ化したものである。変動パターン種別には、１または複数の変動パターンが属している。変動パターンを決定するときには、まず、変動パターン種別判定用乱数（ランダム２）を用いて変動パターン種別を決定する。そして、決定した変動パターン種別に属する変動パターンから、１つの変動パターンを変動パターン判定用乱数（ランダム３）を用いて決定する。
【０１３４】
この実施の形態では、１５ラウンド通常大当り、および、１５ラウンド確変大当りである場合には、ノーマルリーチを伴う変動パターン種別であるノーマルリーチ変動パターン種別と、スーパーリーチを伴う変動パターン種別とに種別分けされている。また、２ラウンド確変大当りである場合には、１５ラウンドの大当りと同様に、ノーマルリーチを伴う変動パターン種別であるノーマルリーチ変動パターン種別と、スーパーリーチを伴う変動パターン種別とに種別分けされている。なお、２ラウンド確変大当りである場合には、非リーチの変動パターンを含む変動パターン種別である非リーチ特殊変動パターン種別と、リーチを伴う変動パターンを含む変動パターン種別であるリーチ特殊変動パターン種別とに種別分けしてもよい。このような変動パターン種別は、予め定められた割合で選択される。
【０１３５】
また、はずれである場合には、リーチを伴わない変動パターン種別である通常変動パターン種別と、ノーマルリーチを伴う変動パターン種別であるノーマルリーチ変動パターン種別と、スーパーリーチを伴う変動パターン種別であるスーパーリーチ変動パターン種別とに種別分けされている。
【０１３６】
このような変動パターン種別は、表示結果がはずれとなる場合に、時短状態であるときと、時短状態でないときとで、変動パターン種別の選択割合が異なる（時短状態では、時短状態でないときと比べて、通常変動パターン種別のような変動時間が短い変動パターン種別が選択される割合が高く設定されている）ように設定されていることにより、時短状態であるときには、時短状態でないときと比べて、変動時間が短縮される。また、このような変動パターン種別は、特別図柄の保留記憶数が所定数以上であるときと、所定数未満であるときとで選択割合が異なるように設定されていることにより、変動表示をする特別図柄の保留記憶数が所定数以上であるときには、特別図柄の保留記憶数が所定数未満であるときと比べて、変動時間が短縮される。このように変動表示時間を短縮する制御は、保留数短縮制御と呼ばれる。
【０１３７】
なお、変動パターン種別の設定としては、たとえば、複数の変動パターンをリーチの種類でグループ化して、ノーマルリーチを伴う変動パターンを含む変動パターン種別と、第１のスーパーリーチ（スーパーリーチＡ）を伴う変動パターンが属する変動パターン種別と、第２のスーパーリーチ（スーパーリーチＢ）が属する変動パターンを含む変動パターン種別と、第３のスーパーリーチ（スーパーリーチＣ）が属する変動パターンを含む変動パターン種別とに分けるというようにしてもよい。
【０１３８】
図５に示された遊技制御処理におけるＳ２３では、遊技制御用マイクロコンピュータ５６０は、大当り種別判定用乱数（ランダム１）、および、普通図柄当り判定用乱数（ランダム４）を生成するためのカウンタのカウントアップ（１加算更新）を行なう。すなわち、それらが判定用乱数であり、それら以外の乱数が表示用乱数（ランダム２、ランダム３）または初期値用乱数（ランダム５）である。なお、遊技効果を高めるために、上記の乱数以外の乱数も用いてもよい。また、この実施の形態では、大当り判定用乱数として、遊技制御用マイクロコンピュータ５６０に内蔵されたハードウェア（遊技制御用マイクロコンピュータ５６０の外部のハードウェアでもよい。）が生成する乱数を用いる例を示すが、大当り判定用乱数としては、ランダム１〜５のようなソフトウェアにより生成される乱数を用いてもよい。
【０１３９】
図８は、大当り判定テーブルおよび大当り種別判定テーブルを示す説明図である。図８（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態、すなわち非確変状態）において用いられる通常時（非確変時）大当り判定テーブルと、確変状態において用いられる確変時大当り判定テーブルとがある。
【０１４０】
通常時大当り判定テーブルには、図８（Ａ）の左欄に記載されている各数値が大当り判定値として設定され、確変時大当り判定テーブルには、図８（Ａ）の右欄に記載されている各数値が大当り判定値として設定されている。確変時大当り判定テーブルに設定された大当り判定値は、通常時大当り判定テーブルに設定された大当り判定値と共通の大当り判定値（第１大当り判定値ともいう）に、確変時固有の大当り判定値が加えられたことにより、確変時大当り判定テーブルよりも多い個数（１０倍の個数）の大当り判定値が設定されている。これにより、確変状態には、通常状態よりも高い確率で大当りとする判定がなされる。
【０１４１】
以下の説明において、通常時大当り判定テーブルおよび確変時大当り判定テーブルに設定された大当り判定値のうち、通常時大当り判定テーブルに設定された通常時（非確変時）用の大当り判定値は、確変時大当り判定テーブルにおいても共通の大当り判定値として用いられるものであり、通常時大当り判定値（第１大当り判定値ともいう）という。また、確変時大当り判定テーブルに設定された大当り判定値のうち、通常時大当り判定値以外の確変時固有の大当り判定値（第２大当り判定値ともいう）は、確変時において前述の通常時大当り判定値に加えて固有の大当り判定値として用いられるものであり、確変時大当り判定値という。
【０１４２】
図８（Ａ）に記載されている数値が大当り判定値である。なお、以下、ランダムＲの値に対応する大当り判定値を、「当り判定値」と表現することがある。また、ランダムＲの値に対応する大当り判定を、「当り判定」と表現することがある。
【０１４３】
ＣＰＵ５６は、所定の時期に、乱数回路５０３のカウント値を抽出して抽出値を大当り判定用乱数（ランダムＲ）の値と比較するのであるが、大当り判定用乱数値が図８（Ａ）に示すいずれかの大当り判定値に一致すると、特別図柄に関して大当り（１５ラウンド通常大当り、１５ラウンド確変大当り、または、２ラウンド確変大当り）にすることに決定する。なお、図８（Ａ）に示す「確率」は、大当りになる確率（割合）を示す。また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。
【０１４４】
図８（Ｂ），図８（Ｃ）は、ＲＯＭ５４に記憶されている大当り種別判定テーブルを示す説明図である。このうち、図８（Ｂ）は、遊技球が第１始動入賞口１３に入賞したことに基づく保留記憶（第１保留記憶ともいう）を用いて（すなわち、第１特別図柄の変動表示が行なわれるとき）大当り種別を決定する場合に用いる第１特別図柄大当り種別判定テーブル（第１特別図柄用）である。
【０１４５】
また、図８（Ｃ）は、遊技球が第２始動入賞口１４に入賞したことに基づく保留記憶（第２保留記憶ともいう）を用いて（すなわち、第２特別図柄の変動表示が行なわれるとき）大当り種別を決定する場合に用いる第２特別図柄大当り種別判定テーブルである。
【０１４６】
図８（Ｂ）の第１特別図柄大当り種別判定テーブル、および、図８（Ｃ）の第２特別図柄大当り種別判定テーブルのそれぞれは、変動表示結果を大当り図柄にする旨の判定がなされたときに、大当り種別判定用の乱数（ランダム１）に基づいて、大当りの種別を「１５ラウンド通常大当り」、「１５ラウンド確変大当り」、「２ラウンド確変大当り」のうちのいずれかに決定するとともに、大当り図柄を決定するために参照されるテーブルである。
【０１４７】
図８（Ｂ）の第１特別図柄大当り種別判定テーブルには、ランダム１の値と比較される数値であって、「１５ラウンド通常大当り」、「１５ラウンド確変大当り」、「２ラウンド確変大当り」のそれぞれに対応した判定値（大当り種別判定値）が設定されている。
【０１４８】
図８（Ｃ）の第２特別図柄大当り種別判定テーブルには、ランダム１の値と比較される数値であって、「１５ラウンド通常大当り」、「１５ラウンド確変大当り」のそれぞれに対応した判定値（大当り種別判定値）が設定されている。第２特別図柄大当り種別判定テーブルにおいては、第１特別図柄大当り種別判定テーブルと異なり、「２ラウンド確変大当り」に対応した判定値が設定されていない。したがって、第２特別図柄の変動表示結果に基づいて大当りとなるときには、「２ラウンド確変大当り」の大当り種別が選択されず、「２ラウンド確変大当り」に制御される場合がない。これにより、第１特別図柄と第２特別図柄とでは、変動表示結果に応じて制御される大当りの種別が一部異なる。このように第２特別図柄の変動表示において「２ラウンド確変大当り」が生じないようにすることにより、時短状態である場合には、可変入賞球装置１５が設けられている第２始動入賞口１４に始動入賞して第２特別図柄の変動表示が実行される頻度が高くなるのであるから、１５ラウンドの大当りとなる確率を高めることができ、出球率が向上し、遊技に対する興趣を向上させることができる。
【０１４９】
なお、第２特別図柄大当り種別判定テーブルとしては、第１特別図柄大当り種別判定テーブルと同様に、「２ラウンド確変大当り」も選択可能なものを用いてもよい。その場合には、第２特別図柄大当り種別判定テーブルの方が、第１特別図柄大当り種別判定テーブルよりも「２ラウンド確変大当り」の選択割合が低くなるようにすれば、第２特別図柄大当り種別判定テーブルにおいて「２ラウンド確変大当り」を選択不可能とする場合と同様の効果を得ることができる。
【０１５０】
また、図８（Ｂ），図８（Ｃ）に示すように、大当り種別判定値は、第１特別図柄および第２特別図柄の大当り図柄を決定する判定値（大当り図柄判定値）としても用いられる。「１５ラウンド通常大当り」に対応した判定値は、第１特別図柄および第２特別図柄の大当り図柄の「３」に対応した判定値としても設定されている。「１５ラウンド確変大当り」に対応した判定値は、第１特別図柄および第２特別図柄の大当り図柄の「７」に対応した判定値としても設定されている。「２ラウンド確変大当り」に対応した判定値は、大当り図柄の第１特別図柄および第２特別図柄の「５」に対応した判定値としても設定されている。
【０１５１】
このように、図８（Ｂ）の第１特別図柄大当り種別判定テーブル、および、図８（Ｃ）の第２特別図柄大当り種別判定テーブルのそれぞれにおいては、１つの大当り図柄に複数の判定値が対応付けられている。しかし、これに限らず、１つの大当り図柄に１つの判定値が対応付けられるようにしてもよい。たとえば、大当り図柄が「００」〜「９９」までの１００図柄ある場合に、たとえば、大当り図柄「００」に対して大当り種別判定値「００」が対応し、大当り図柄「９９」に対して大当り種別判定値「９９」が対応するというように、「００」〜「９９」という１００個の大当り種別判定値が、「００」〜「９９」という１００図柄の大当り図柄に１対１で対応するようにしてもよい。
【０１５２】
このような大当り種別大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【０１５３】
図８（Ｂ）の第１特別図柄大当り種別判定テーブル、および、図８（Ｃ）の第２特別図柄大当り種別判定テーブルにおいては、次のような関係でデータが設定されている。
【０１５４】
図８（Ｂ）の第１特別図柄大当り種別判定テーブルと、図８（Ｃ）の第２特別図柄大当り種別判定テーブルのそれぞれとを比較した場合、図８（Ｃ）の第２特別図柄大当り種別判定テーブルの方が、図８（Ｂ）の第１特別図柄大当り種別判定テーブルよりも、１５ラウンドの大当り（１５ラウンド通常大当りおよび１５ラウンド確変大当り）に決定される割合が高い。これにより、第２特別図柄の変動表示の方が、第１特別図柄の変動表示よりも、賞球を多く獲得しやすいという点で遊技者にとって有利となる変動表示を行なうことが可能である。その理由は、１５ラウンドの大当りは、大当り遊技状態において、２ラウンドの大当りと比べて、特別可変入賞球装置２０の開放パターンが多くの入賞球が得られるように設定されているため、より多くの賞球が得られる大当りであるからである。つまり、２ラウンドの大当りが実質的に賞球が得られない当りにより構成されるため、１５ラウンドの大当りでは、２ラウンドの大当りと比べて、多くの賞球が得られる。
【０１５５】
また、図８（Ｃ）の第２特別図柄大当り種別判定テーブルの方が、図８（Ｂ）の第１特別図柄大当り種別判定テーブルよりも、１５ラウンドの大当りのうちの１５ラウンド確変大当りに決定される割合が高い。これにより、第２特別図柄の変動表示の方が、第１特別図柄の変動表示よりも、１５ラウンド確変大当りとなる割合が高くなる。なお、第１特別図柄大当り種別判定テーブルと第２特別図柄大当り種別判定テーブルとで、１５ラウンド確変大当りに決定される割合が同じであってもよい。また、第１特別図柄大当り種別判定テーブルの方が、第２特別図柄大当り種別判定テーブルよりも、１５ラウンド確変大当りに決定される割合が高くなるようにしてもよい。
【０１５６】
また、図８（Ｃ）の第２特別図柄大当り種別判定テーブルでは２ラウンド確変が選択されないので、図８（Ｂ）の第１特別図柄大当り種別判定テーブルの方が、第２特別図柄大当り種別判定テーブルよりも、２ラウンド確変大当りを選択する割合が高い。このため、第２特別図柄の変動表示の方が、第１特別図柄の変動表示よりも、１５ラウンドの大当りが決定される割合が高くなる。これにより、第２始動入賞口１４への始動入賞については１５ラウンドの大当りが発生しやすくなり、遊技の興趣を向上させることができる。なお、可変入賞球装置１５が設けられていない第１始動入賞口１３に対応する第１特別図柄については、大当り種別のうち、「２ラウンド確変大当り」を割振らないようにしてもよい。その場合には、第１特別図柄について「１５ラウンド確変大当り」（「２ラウンド確変大当り」は選択されない）の大当り種別が選択される割合と、第２特別図柄について「１５ラウンド確変大当り」および「２ラウンド確変大当り」を合せた大当り種別が選択される割合とが等しくなるような設定を行なう。このようにすれば、第１始動入賞口１３への始動入賞について、１５ラウンドの大当りが発生しやすくなり、遊技の興趣を向上させることができる。
【０１５７】
また、この実施の形態では、遊技状態を通常遊技状態よりも遊技者にとって有利な状態に制御する特定遊技状態である大当りとして、所定量の遊技価値（たとえば、ラウンド数）を付与する第１遊技状態（１５ラウンド通常大当り、１５ラウンド確変大当り）としての１５ラウンドの大当りと、該遊技価値よりも少ない量の遊技価値を付与することで第１遊技状態よりも不利な第２遊技状態としての２ラウンドの大当り（２ラウンド確変大当り）とを決定する場合を説明している。しかし、特定遊技状態に対して付与される遊技価値は、この実施の形態で示したようなラウンド数に限られない。たとえば、第２遊技状態と比較して、遊技価値として１ラウンドあたりの大入賞口への遊技球の入賞数（カウント数）の許容量を多くした第１遊技状態を決定するようにしてもよい。また、たとえば、第２遊技状態と比較して、遊技価値として大当り中の１回あたりの大入賞口の開放時間を長くした第１遊技状態を決定するようにしてもよい。また、たとえば、同じ１５ラウンドの大当りであっても、１ラウンドあたり大入賞口を１回開放する第２遊技状態と、１ラウンドあたり大入賞口を複数回開放する第１遊技状態とを用意し、大入賞口の開放回数が実質的に多くなるようにして第１遊技状態の遊技価値を高めるようにしてもよい。この場合、たとえば、第２遊技状態または第１遊技状態のいずれの場合であっても、大入賞口を１５回開放したときに（この場合、第２遊技状態の場合には１５ラウンドすべてを終了し、第１遊技状態の場合には未消化のラウンドが残っていることになる）、大当りがさらに継続するか否かを煽るような態様の演出を実行するようにしてもよい。そして、第２遊技状態の場合には内部的に１５ラウンドすべてを終了していることから大当り遊技を終了し、第１遊技状態の場合には内部的に未消化のラウンドが残っていることから、大当り遊技が継続する（あたかも１５回開放の大当りを終了した後にさらにボーナスで大入賞口の開放が追加で始まったような演出）ようにしてもよい。このように、第１遊技状態と第２遊技状態との関係は、特定遊技状態に付与される前述のような遊技価値等により、第１遊技状態に対して第２遊技状態の方が不利なものであればよい。
【０１５８】
図９は、遊技制御用マイクロコンピュータ５６０が送信する演出制御コマンドの内容の一例を示す説明図である。図９に示す例において、コマンド８０ＸＸ（Ｈ）は、特別図柄の変動表示に対応して演出表示装置９において変動表示される演出図柄の変動パターンを指定する演出制御コマンド（変動パターンコマンド）である（それぞれ変動パターンＸＸに対応）。つまり、使用されうる変動パターンのそれぞれに対して一意な番号を付した場合に、その番号で特定される変動パターンのそれぞれに対応する変動パターンコマンドがある。なお、「（Ｈ）」は１６進数であることを示す。また、変動パターンを指定する演出制御コマンドは、変動開始を指定するためのコマンドでもある。したがって、演出制御用マイクロコンピュータ１００は、コマンド８０ＸＸ（Ｈ）を受信すると、演出表示装置９において演出図柄の変動表示を開始するように制御する。
【０１５９】
コマンド８Ｃ０１（Ｈ）〜８Ｃ０５（Ｈ）は、大当りとするか否か、および、大当り種別を示す演出制御コマンドである。コマンド８Ｃ０１（Ｈ）は、はずれに決定されていることを指定する演出制御コマンドである。コマンド８Ｃ０２（Ｈ）は、１５ラウンド通常大当りに決定されていることを指定する演出制御コマンドである。コマンド８Ｃ０３（Ｈ）は、１５ラウンド確変大当りに決定されていることを指定する演出制御コマンドである。コマンド８Ｃ０４（Ｈ）は、２ラウンド確変大当りに決定されていることを指定する演出制御コマンドである。
【０１６０】
コマンド８Ｄ０１（Ｈ）は、第１特別図柄の変動表示（変動）を開始することを示す演出制御コマンド（第１図柄変動指定コマンド）である。コマンド８Ｄ０２（Ｈ）は、第２特別図柄の変動表示（変動）を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。なお、第１特別図柄の変動表示を開始するのか第２特別図柄の変動表示を開始するのかを示す情報を、変動パターンコマンドに含めるようにしてもよい。
【０１６１】
コマンド８Ｆ００（Ｈ）は、演出図柄の変動表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の変動表示（変動）を終了して表示結果を導出表示する。
【０１６２】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。コマンド９Ｆ００（Ｈ）は、客待ちデモンストレーションを指定する演出制御コマンド（客待ちデモ指定コマンド）である。
【０１６３】
コマンドＡ００１〜Ａ００３（Ｈ）は、大当り遊技の開始を指定する演出制御コマンド（大当り開始指定コマンド）である。大当り開始指定コマンドには、大当りの種類に応じて、大当り開始１指定コマンド、大当り開始２指定コマンド、および、２ラウンド確変開始指定コマンドというような複数のコマンドが含まれる。大当り開始１指定コマンドは、１５ラウンド通常大当りの大当り遊技状態の開始を指定する場合に送信される。大当り開始２指定コマンドは、１５ラウンド確変大当りの大当り遊技状態の開始を指定する場合に送信される。２ラウンド確変開始指定コマンドは、２ラウンド確変大当りの大当り遊技状態の開始を指定する場合に送信される。
【０１６４】
コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０１６５】
コマンドＡ３０１（Ｈ）は、１５ラウンド通常大当りの大当り遊技状態の終了を指定する演出制御コマンド（大当り終了１指定コマンド）である。コマンドＡ３０２（Ｈ）は、１５ラウンド確変大当りの大当り遊技状態の終了を指定する演出制御コマンド（大当り終了２指定コマンド）である。コマンドＡ３０３（Ｈ）は、２ラウンド確変大当りの大当り遊技状態の終了を指定する演出制御コマンド（大当り終了３指定コマンド）である。
【０１６６】
コマンドＡ４０１（Ｈ）は、第１始動入賞口１３について第１特別図柄の変動表示が行なわれる始動入賞、すなわち、第１始動入賞があったことを指定する演出制御コマンド（第１始動入賞指定コマンド）である。コマンドＡ３０２（Ｈ）は、第２始動入賞口１４について第２特別図柄の変動表示が行なわれる始動入賞、すなわち、第２始動入賞があったことを指定する演出制御コマンド（第２始動入賞指定コマンド）である。
【０１６７】
コマンドＢ０００（Ｈ）は、遊技状態が通常状態（低確低ベース状態）であることを指定する演出制御コマンド（通常状態指定コマンド）である。コマンドＢ００１（Ｈ）は、遊技状態が時短状態であることを指定する演出制御コマンド（時短状態指定コマンド）である。コマンドＢ００２（Ｈ）は、遊技状態が確変状態であることを指定する演出制御コマンド（確変状態指定コマンド）である。
【０１６８】
このような演出制御コマンドにより、遊技状態が、通常状態、時短状態、および、確変状態のうちのどの状態またはどの状態の組合せになっているかを演出制御用マイクロコンピュータ１００に知らせることができる。これにより、演出制御用マイクロコンピュータ１００においては、遊技状態が、通常状態、時短状態、および、確変状態のうちのどの状態またはどの状態の組合せになっているかを認識することができるので、通常状態、時短状態、および、確変状態のそれぞれの状態に応じた画像表示等の各種演出を行なうことが可能となる。
【０１６９】
コマンドＣ０ＸＸ（Ｈ）は、第１保留記憶数を指定する演出制御コマンド（第１保留記憶数指定コマンド）である。コマンドＣ０ＸＸ（Ｈ）における「ＸＸ」が、第１保留記憶数を示す。コマンドＣ１ＸＸ（Ｈ）は、第２保留記憶数を指定する演出制御コマンド（第２保留記憶数指定コマンド）である。コマンドＣ１ＸＸ（Ｈ）における「ＸＸ」が、第２保留記憶数を示す。
【０１７０】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると、図９に示された内容に応じて演出表示装置９の表示状態を変更したり、ランプの表示状態を変更したり、音声出力基板７０に対して音番号データを出力したりする。
【０１７１】
たとえば、遊技制御用マイクロコンピュータ５６０は、始動入賞があり第１特別図柄表示器８ａまたは第２特別図柄表示器８ｂにおいて特別図柄の変動表示が開始される度に、演出図柄の変動パターンを指定する変動パターンコマンドおよび表示結果指定コマンドを演出制御用マイクロコンピュータ１００に送信する。
【０１７２】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。たとえば、１バイトや３バイト以上で構成される制御コマンドを用いてもよい。
【０１７３】
なお、演出制御コマンドの送出方式として、演出制御信号ＣＤ０〜ＣＤ７の８本のパラレル信号線で１バイトずつ主基板３１から中継基板７７を介して演出制御基板８０に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取込み処理を開始する。
【０１７４】
図９に示す例では、変動パターンコマンドおよび表示結果指定コマンドを、第１特別図柄表示器８ａでの第１特別図柄の変動に対応した演出図柄の変動表示（変動）と、第２特別図柄表示器８ｂでの第２特別図柄の変動に対応した演出図柄の変動表示（変動）とで共通に使用でき、第１特別図柄および第２特別図柄の変動表示に伴って演出を行なう演出表示装置９等の演出用部品を制御する際に、遊技制御用マイクロコンピュータ５６０から演出制御用マイクロコンピュータ１００に送信されるコマンドの種類を増大させないようにすることができる。
【０１７５】
次に、ＲＯＭ５４に記憶されている開放パターンデータテーブルについて説明する。開放パターンデータテーブルにおいては、各種別の大当りのそれぞれについて、開放回数（ラウンド上限数）、開放時間（各ラウンド中の開放時間）、および、インターバル時間（各ラウンド間時間）を含む特別可変入賞球装置２０の開放パターンを示すテータが設定されている。
【０１７６】
たとえば、１５ラウンド通常大当りおよび１５ラウンド確変大当りのそれぞれは、開放回数が１５回、開放時間が２９秒、インターバル時間が５秒というデータが開放パターンデータテーブルに設定されている。２ラウンド確変大当りは、開放回数は２回であり、インターバル時間が０．５秒というデータが開放パターンデータテーブルに設定されている。
【０１７７】
なお、インターバル時間は、１５ラウンド通常大当り、および、１５ラウンド確変大当りと、２ラウンド確変大当りとで同じ時間となるように設定してもよい。また、賞球が得られやすい大当り（たとえば１５ラウンド通常大当り、１５ラウンド確変大当り）と、賞球が得られにくい大当り（たとえば２ラウンド確変大当り）とについて、大当りのラウンド数を一定のラウンド数（たとえば１５ラウンド）に設定し、賞球が得られやすい大当りについては賞球が得られやすい長い開放時間とし、賞球が得られにくい大当りについては賞球が得られにくい極めて短い開放時間とするようにしてもよい。
【０１７８】
図１０は、主基板３１に搭載される遊技制御用マイクロコンピュータ５６０（具体的には、ＣＰＵ５６）が実行する特別図柄プロセス処理（Ｓ２６）のプログラムの一例を示すフローチャートである。
【０１７９】
上述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、第１始動入賞口１３に遊技球が入賞したことを検出するための第１始動口スイッチ１３ａがオンして第１始動入賞口１３への始動入賞（第１始動入賞）が発生していたとき、または、第２始動入賞口１４に遊技球が入賞したことを検出するための第２始動口スイッチ１４ａがオンして第２始動入賞口１４への始動入賞（第２始動入賞）が発生していたときには（Ｓ３１１）、始動口スイッチ通過処理を実行する（Ｓ３１２）。そして、内部状態に応じて、Ｓ３００〜Ｓ３１０のうちのいずれかの処理を行なう。第１始動口スイッチ１３ａまたは第２始動口スイッチ１４ａがオンしていなければ、始動口スイッチ通過処理を実行せずに、内部状態に応じて、Ｓ３００〜Ｓ３１０のうちのいずれかの処理を行なう。
【０１８０】
Ｓ３００〜Ｓ３１０の処理は、以下のような処理である。
特別図柄通常処理（Ｓ３００）：特別図柄プロセスフラグの値が０であるときに実行される。遊技制御用マイクロコンピュータ５６０は、特別図柄の変動表示が開始できる状態になると、変動表示を開始する特別図柄に対応する保留記憶バッファ（図１２の第１保留記憶バッファまたは第２保留記憶バッファ）に記憶される数値データの記憶数（保留記憶数）を確認する。保留記憶バッファに記憶される数値データの記憶数は保留記憶数カウンタのカウント値により確認できる。また、保留記憶数カウンタのカウント値が０でなければ、第１特別図柄または第２特別図柄の変動表示の表示結果を大当りとするか否かを決定する。大当りとする場合には、大当り種別を決定する。大当りとする場合には大当りフラグをセットする。そして、内部状態（特別図柄プロセスフラグ）をＳ３０１に応じた値（この例では１）に更新する。なお、大当りフラグは、大当り遊技が終了するときにリセットされる。
【０１８１】
変動パターン設定処理（Ｓ３０１）：特別図柄プロセスフラグの値が１であるときに実行される。また、変動パターンを決定し、その変動パターンにおける変動時間（変動表示時間：変動表示を開始してから表示結果を導出表示（停止表示）するまでの時間）を特別図柄の変動表示の変動時間とすることに決定する。また、特別図柄の変動時間を計測する変動時間タイマをスタートさせる。そして、内部状態（特別図柄プロセスフラグ）をＳ３０２に対応した値（この例では２）に更新する。
【０１８２】
表示結果指定コマンド送信処理（Ｓ３０２）：特別図柄プロセスフラグの値が２であるときに実行される。演出制御用マイクロコンピュータ１００に、表示結果指定コマンドを送信する制御を行なう。そして、内部状態（特別図柄プロセスフラグ）をＳ３０３に対応した値（この例では３）に更新する。
【０１８３】
特別図柄変動中処理（Ｓ３０３）：特別図柄プロセスフラグの値が３であるときに実行される。変動パターン設定処理で選択された変動パターンの変動時間が経過（Ｓ３０１でセットされる変動時間タイマがタイムアウトすなわち変動時間タイマの値が０になる）すると、内部状態（特別図柄プロセスフラグ）をＳ３０４に対応した値（この例では４）に更新する。
【０１８４】
特別図柄停止処理（Ｓ３０４）：特別図柄プロセスフラグの値が４であるときに実行される。第１特別図柄表示器８ａまたは第２特別図柄表示器８ｂにおける変動表示を停止して停止図柄を導出表示させる。また、演出制御用マイクロコンピュータ１００に、図柄確定指定コマンドを送信する制御を行なう。そして、大当りフラグがセットされている場合には、内部状態（特別図柄プロセスフラグ）をＳ３０５に対応した値（この例では５）に更新する。大当りフラグがセットされていない場合には、内部状態（特別図柄プロセスフラグ）をＳ３００に対応した値（この例では０）に更新する。なお、演出制御用マイクロコンピュータ１００は、遊技制御用マイクロコンピュータ５６０が送信する図柄確定指定コマンドを受信すると演出表示装置９において演出図柄および飾り図柄が停止されるように制御する。また、大当り遊技状態となったときの状態が確変状態であり、確変フラグがセットされていたときには、確変フラグがリセットされる（当該大当りが確変となる大当りであるか否かに関わらずリセットされる）。また、大当り遊技状態となる場合において時短フラグがセットされていたとき、または、変動表示回数により時短状態の終了条件が成立したときには、時短フラグがリセットされる。
【０１８５】
大入賞口開放前処理（Ｓ３０５）：特別図柄プロセスフラグの値が５であるときに実行される。大入賞口開放前処理では、大当りの種別に応じて、前述のような開放パターンにしたがって、特別可変入賞球装置２０において大入賞口を開放する制御を行なう。具体的には、カウンタ（たとえば、大入賞口に入った遊技球数をカウントするカウンタ）等を初期化するとともに、ソレノイド２１を駆動して大入賞口を開放状態にする。また、タイマによって大入賞口開放中処理の実行時間を設定し、内部状態（特別図柄プロセスフラグ）をＳ３０６に対応した値（この例では６）に更新する。なお、大入賞口開放前処理は各ラウンドごとに実行されるが、第１ラウンドを開始する場合には、大入賞口開放前処理は大当り遊技状態を開始する処理でもある。
【０１８６】
大入賞口開放中処理（Ｓ３０６）：特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行なう。大入賞口の閉成条件が成立し、かつ、まだ残りラウンドがある場合には、内部状態（特別図柄プロセスフラグ）をＳ３０５に対応した値（この例では５）に更新する。また、全てのラウンドを終えた場合には、内部状態（特別図柄プロセスフラグ）をＳ３０７に対応した値（この例では７）に更新する。
【０１８７】
大当り終了処理（Ｓ３０７）：特別図柄プロセスフラグの値が７であるときに実行される。大当り遊技状態が終了したことを遊技者に報知する表示制御を演出制御用マイクロコンピュータ１００に行なわせるための制御を行なう。また、遊技状態を示すフラグ（たとえば、確変フラグ、時短フラグ等）をセットする処理を行なう。そして、内部状態（特別図柄プロセスフラグ）をＳ３００に対応した値（この例では０）に更新する。
【０１８８】
図１１は、Ｓ３１２の始動口スイッチ通過処理を示すフローチャートである。第１始動口スイッチ１３ａと第２始動口スイッチ１４ａとのうちの少なくとも一方がオン状態の場合に実行される始動口スイッチ通過処理において、ＣＰＵ５６は、オンしたのが第１始動口スイッチ１３ａであるか否かを確認する（Ｓ２１１）。第１始動口スイッチ１３ａがオンしていれば、ＣＰＵ５６は、第１保留記憶数が上限値に達しているか否か（具体的には、第１保留記憶数をカウントするための第１保留記憶数カウンタの値が４であるか否か）を確認する（Ｓ２１２）。第１保留記憶数が上限値に達していれば、Ｓ２２１に移行する。
【０１８９】
第１保留記憶数が上限値に達していなければ、ＣＰＵ５６は、第１保留記憶数カウンタの値を１増やす（Ｓ２１３）。
【０１９０】
図１２は、保留記憶に対応する乱数等を保存する領域（保留記憶バッファ）の構成例を示す説明図である。図１２に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。第１保留記憶バッファおよび第２保留記憶バッファは、ＲＡＭ５５に形成されている。「ＲＡＭに形成されている」とは、ＲＡＭ内の領域であることを意味する。第１保留記憶バッファおよび第２保留記憶バッファには、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が記憶される。
【０１９１】
次に、ＣＰＵ５６は、乱数回路５０３やソフトウェア乱数を生成するためのカウンタから値を抽出し、それらを、第１保留記憶バッファにおける保存領域に保存（格納）する処理を実行する（Ｓ２１４）。具体的に、Ｓ２１４の処理では、大当り判定用乱数（ランダムＲ）、大当り種別判定用乱数（ランダム１）、変動パターン種別判定用乱数（ランダム２）、および、変動パターン判定用乱数（ランダム３）が保存（格納）される。以下の保留記憶に関する説明に関しては、このように第１保留記憶バッファまたは第２保留記憶バッファに前述のような始動入賞に関する情報が記憶されることを「保留記憶される」と示す場合がある。なお、変動パターン種別判定用乱数（ランダム２）を始動口スイッチ通過処理（始動入賞時）において抽出して保存領域に予め格納しておくのではなく、第１特別図柄の変動開始時に抽出するようにしてもよい。たとえば、遊技制御用マイクロコンピュータ５６０は、後述する変動パターン設定処理において、変動パターン種別判定用乱数（ランダム２）を生成するための変動パターン種別判定用乱数カウンタから値を直接抽出するようにしてもよい。また、変動パターン判定用乱数（ランダム３）を始動口スイッチ通過処理（始動入賞時）において抽出して保存領域に予め格納しておくのではなく、第１特別図柄の変動開始時に抽出するようにしてもよい。たとえば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０１９２】
次いで、ＣＰＵ５６は、第１始動入賞指定コマンドを送信する制御を行なう（Ｓ２１５）。また、演出制御用マイクロコンピュータ１００に演出制御コマンドを送信する場合には、ＣＰＵ５６は、演出制御コマンドに応じたコマンド送信テーブル（予めＲＯＭにコマンド毎に設定されている）のアドレスをポインタにセットする。そして、演出制御コマンドに応じたコマンド送信テーブルのアドレスをポインタにセットして、演出制御コマンド制御処理（Ｓ２９）において演出制御コマンドを送信する。
【０１９３】
Ｓ２１１で第１始動口スイッチがオン状態でないと判定された場合、Ｓ２１２で第１保留記憶数が上限値に達していると判定された場合、または、Ｓ２１５で第１始動入賞指定コマンドを送信する制御を行なった後に、ＣＰＵ５６は、第２始動口スイッチ１４ａがオンしたか否かを確認する（Ｓ２２１）。第２始動口スイッチ１４ａがオンしていれば、ＣＰＵ５６は、第２保留記憶数が上限値に達しているか否か（具体的には、第２保留記憶数をカウントするための第２保留記憶数カウンタの値が４であるか否か）を確認する（Ｓ２２２）。第２保留記憶数カウンタの値が４であれば、処理を終了する。なお、ＣＰＵ５６は、第２保留記憶数カウンタの値が４であれば、再度第１始動口スイッチ１３ａがオンしているか否かを確認する（Ｓ２１１参照）処理を行なうようにしてもよい。
【０１９４】
第２保留記憶数が上限値に達していなければ、ＣＰＵ５６は、第２保留記憶数カウンタの値を１増やす（Ｓ２２３）。次いで、ＣＰＵ５６は、乱数回路５０３やソフトウェア乱数を生成するためのカウンタから値を抽出し、それらを、第２保留記憶バッファにおける保存領域に保存（格納）する処理を実行する（Ｓ２２４）。
【０１９５】
次いで、ＣＰＵ５６は、第２始動入賞指定コマンドを送信する制御を行ない（Ｓ２２５）処理を終了する。
【０１９６】
なお、Ｓ２１３〜Ｓ２１５の処理とＳ２２３〜Ｓ２２５の処理とを、１つの共通ルーチンで実現してもよい。その場合、ＣＰＵ５６は、まず、第１始動口スイッチ１３ａがオン状態になったことを検出した場合に「第１」を示すデータをセットし、第２始動口スイッチ１４ａがオン状態になったことを検出した場合に「第２」を示すデータをセットし、共通ルーチンで、セットされているデータに応じて、保留記憶バッファ（第１保留記憶バッファまたは第２保留記憶バッファ）を選択したり始動入賞指定コマンド（第１始動入賞指定コマンドまたは第２始動入賞指定コマンド）を選択する。
【０１９７】
図１３は、特別図柄プロセス処理における特別図柄通常処理（Ｓ３００）を示すフローチャートである。特別図柄通常処理において、ＣＰＵ５６は、第１保留記憶バッファまたは第２保留記憶バッファ（図１２参照）に保留記憶データがあるかどうかを確認する（Ｓ５１）。第１保留記憶バッファおよび第２保留記憶バッファのどちらにも保留記憶データがない場合には、処理を終了する。
【０１９８】
第１保留記憶バッファまたは第２保留記憶バッファに保留記憶データがあるときには、ＣＰＵ５６は、第２保留記憶バッファの方に保留記憶データがあるか否か確認する（Ｓ５２）。第２保留記憶バッファに保留記憶データがあれば、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５４）。一方、第２保留記憶バッファに保留記憶データがなければ、特別図柄ポインタに「第１」を示すデータを設定する（Ｓ５３）。
【０１９９】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０２００】
なお、ここでいう「共通の処理ルーチン」とは、ある特定の一連の処理を実現するためのプログラムであり、この実施の形態では、第１特別図柄や第２特別図柄の変動表示を行なう一連の処理を実現するためのプログラムを指している。この実施の形態において、「共通の処理ルーチン」には、後述する特別図柄通常処理におけるＳ５５〜Ｓ７６の処理、Ｓ３０１の変動パターン設定処理、Ｓ３０２の表示結果特定コマンド送信処理、Ｓ３０３の特別図柄変動中処理およびＳ３０４の特別図柄停止処理が含まれる。
【０２０１】
Ｓ５２〜Ｓ５４の制御により、第２保留記憶バッファ内に第２保留記憶のデータが１つでも存在すれば、その第２保留記憶のデータに基づいた第２特別図柄表示器８ｂの変動表示が、第１保留記憶のデータに基づいた第１特別図柄表示器８ａの変動表示に優先して実行される。
【０２０２】
このように、第２特別図柄の変動表示が優先して実行される。これにより、次のような効果を得ることができる。大当り遊技状態の終了後の所定期間中においては、時短制御が行なわれることにより、可変入賞球装置１５において、第２始動入賞口１４に遊技球が入賞しやすくなる。したがって、大当り遊技状態の終了後の所定期間中には、それ以外のときに比べて、第２保留記憶のデータが発生しやすくなる。第１保留記憶バッファおよび第２保留記憶バッファの両方に保留記憶データが記憶されている場合は、第１保留記憶データに基づいた第１特別図柄表示器８ａの変動表示よりも第２保留記憶のデータに基づいた第２特別図柄表示器８ｂの変動表示が優先して実行されるので、大当り遊技状態の終了後の時短状態において発生しやすい保留記憶データを効率的に処理することができるから、第２保留記憶数の上限値による制限により第２保留記憶として記憶できず無効となる始動入賞（始動条件）の発生を低減することができる。これにより、大当り遊技状態の終了後の時短状態における第２特別図柄表示器８ｂの変動表示の実行効率を向上させることができる。
【０２０３】
次いで、ＣＰＵ５６は、ＲＡＭ５５において、特別図柄ポインタが示す方の保留記憶数＝１に対応する保存領域に格納されている各乱数値を読出してＲＡＭ５５の乱数バッファ領域に格納する（Ｓ５５）。具体的には、ＣＰＵ５６は、特別図柄ポインタが「第１」を示している場合には、第１保留記憶バッファにおける第１保留記憶数＝１に対応する保存領域に格納されている各乱数値を読出してＲＡＭ５５の乱数バッファ領域に格納する。また、ＣＰＵ５６は、特別図柄ポインタが「第２」を示している場合には、第２保留記憶バッファにおける第２保留記憶数＝１に対応する保存領域に格納されている各乱数値を読出してＲＡＭ５５の乱数バッファ領域に格納する。
【０２０４】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける各保存領域の内容をシフトする。
【０２０５】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。
【０２０６】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。
【０２０７】
また、ＣＰＵ５６は、減算後の特別図柄ポインタが示す方の保留記憶数カウンタの値に基づいて、特別図柄ポインタが示す方の保留記憶数指定コマンドを演出制御用マイクロコンピュータ１００に送信する制御を行なう（Ｓ５９）。この場合、特別図柄ポインタに「第１」を示す値が設定されている場合には、ＣＰＵ５６は、第１保留記憶数指定コマンドを送信する制御を行なう。また、特別図柄ポインタに「第２」を示す値が設定されている場合には、ＣＰＵ５６は、第２保留記憶数指定コマンドを送信する制御を行なう。
【０２０８】
演出制御用マイクロコンピュータ１００では、第１保留記憶数指定コマンドを受信したときに第１保留記憶数指定コマンドが指定する第１保留記憶数を記憶する第１保留記憶数記憶領域と、第２保留記憶数指定コマンドを受信したときに、第２保留記憶数指定コマンドが指定する第２保留記憶数を記憶する第２保留記憶数記憶領域とが設けられている。演出制御用マイクロコンピュータ１００では、第１保留記憶数指定コマンドを受信するごとに第１保留記憶数記憶領域に記憶された第１保留記憶数のデータを更新することで、最新の第１保留記憶数を認識し、第２保留記憶数指定コマンドを受信するごとに第２保留記憶数記憶領域に記憶された第２保留記憶数のデータを更新することで、最新の第２保留記憶数を認識する。
【０２０９】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０２１０】
次いで、ＣＰＵ５６は、乱数バッファ領域からランダムＲ（大当り判定用乱数）を読出し、大当り判定モジュールを実行する（Ｓ６０）。なお、この場合、ＣＰＵ５６は、始動口スイッチ通過処理のＳ２１４や始動口スイッチ通過処理のＳ２２４で抽出し第１保留記憶バッファや第２保留記憶バッファに予め格納した大当り判定用乱数を読出し、大当り判定を行なう。大当り判定モジュールは、予め決められている大当り判定値（図８参照）と大当り判定用乱数とを比較し、それらが一致したら大当りとすることに決定する処理を実行するプログラムである。すなわち、大当り判定の処理を実行するプログラムである。
【０２１１】
大当り判定の処理では、遊技状態が確変状態（高確率状態）の場合は、遊技状態が非確変状態（通常遊技状態および時短状態）の場合よりも、大当りとなる確率が高くなるように構成されている。具体的には、予め大当り判定値の数が多く設定されている確変時大当り判定テーブル（ＲＯＭ５４における図８（Ａ）の右側の数値が設定されているテーブル）と、大当り判定値の数が確変時大当り判定テーブルよりも少なく設定されている通常時大当り判定テーブル（ＲＯＭ５４における図８（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当りの判定の処理を行ない、遊技状態が通常遊態や時短状態であるときは、通常時大当り判定テーブルを使用して大当りの判定の処理を行なう。すなわち、ＣＰＵ５６は、大当り判定用乱数（ランダムＲ）の値が図８（Ａ）に示すいずれかの大当り判定値に一致すると、特別図柄に関して大当りとすることに決定する。大当りとすることに決定した場合には（Ｓ６０）、Ｓ７１に移行する。なお、大当りとするか否か決定するということは、大当り遊技状態に移行させるか否か決定するということであるが、特別図柄表示器における停止図柄を大当り図柄とするか否か決定するということでもある。
【０２１２】
なお、現在の遊技状態が確変状態であるか否かの確認は、確変フラグがセットされているか否かにより行なわれる。確変フラグは、遊技状態を確変状態に移行するときにセットされ、確変状態を終了するときにリセットされる。具体的に、確変フラグは、１５ラウンド通常大当り、１５ラウンド確変大当り、または、２ラウンド確変大当りとすることに決定され、大当り遊技を終了する処理においてセットされ、その後、所定回数（１００回）の変動表示が行なわれたという条件と、次回の大当りが決定されたという条件といずれか早い方の条件が成立したときに、特別図柄の変動表示を終了して停止図柄を停止表示するタイミングでリセットされる。
【０２１３】
大当り判定用乱数（ランダムＲ）の値がいずれの大当り判定値にも一致しなければ（Ｓ６０のＮ）、Ｓ７５に処理が移行される。
【０２１４】
Ｓ６０において大当り判定用乱数（ランダムＲ）の値がいずれかの大当り判定値に一致すればＣＰＵ５６は、大当りであることを示す大当りフラグをセットする（Ｓ７１）。そして、大当り種別を複数種類のうちのいずれかに決定するために使用するテーブルとして、図８（Ｂ）の第１特別図柄大当り種別判定用テーブルおよび図８（Ｃ）の第２特別図柄大当り種別判定用テーブルのうち、いずれかのテーブルを選択する（Ｓ７２）。具体的に、ＣＰＵ５６は、特別図柄ポインタが「第１」を示している場合には、図８（Ｂ）に示す第１特別図柄大当り種別判定用テーブルを選択する。
【０２１５】
また、ＣＰＵ５６は、特別図柄ポインタが「第２」を示している場合において、図８（Ｃ）の第２特別図柄大当り種別判定用テーブルを選択する。
【０２１６】
次いで、ＣＰＵ５６は、始動口スイッチ通過処理のＳ２１４や始動口スイッチ通過処理のＳ２２４で抽出し第１保留記憶バッファや第２保留記憶バッファに予め格納した大当り種別判定用乱数を読出し、Ｓ７２で選択した大当り種別判定テーブルを用いて、乱数バッファ領域に格納された大当り種別判定用の乱数（ランダム１）の値と一致する値に対応した大当り種別および大当り図柄を決定する（Ｓ７３）。また、この場合に、図８（Ｃ）に示すように、第２特別図柄の変動表示が実行される場合には、第１別図柄の変動表示が実行される場合と比較して、１５ラウンドの大当り（１５ラウンド通常大当りおよび１５ラウンド確変大当り）が選択される割合が高い。
【０２１７】
図８（Ｃ）に示すように、第１特別図柄および第２特別図柄については、大当り種別ごとに大当り図柄が異なるように大当り種別と大当り図柄との関係が設定されており、大当り種別と大当り図柄とが同時に決定されるので、大当り図柄と、大当り種別に応じた遊技制御との対応関係が単純化するため、遊技制御の複雑化を防ぐことができる。
【０２１８】
また、ＣＰＵ５６は、決定した大当りの種別を示すデータをＲＡＭ５５における大当り種別バッファに設定する（Ｓ７４）。たとえば、大当り種別が「１５ラウンド通常大当り」の場合には、大当り種別を示すデータとして「０１」が設定される。大当り種別が「１５ラウンド確変大当り」の場合には、大当り種別を示すデータとして「０２」が設定される。大当り種別が「２ラウンド確変大当り」の場合には大当り種別を示すデータとして「０３」が設定される。
【０２１９】
次いで、ＣＰＵ５６は、特別図柄の停止図柄を設定する（Ｓ７５）。具体的には、大当りフラグがセットされていない場合には、はずれ図柄となる「−」を特別図柄の停止図柄として設定する。大当りフラグがセットされている場合には、大当り種別の決定結果に応じて、Ｓ７３により決定された大当り図柄を特別図柄の停止図柄に設定する。すなわち、大当り種別が「１５ラウンド確変大当り」に決定されたときには「３」を特別図柄の停止図柄に設定する。大当り種別が「１５ラウンド確変大当り」に決定した場合には「７」を特別図柄の停止図柄に決定する。大当り種別が「２ラウンド確変大当り」に決定した場合には「５」を特別図柄の停止図柄に決定する。
【０２２０】
そして、特別図柄プロセスフラグの値を変動パターン設定処理（Ｓ３０１）に対応した値に更新する（Ｓ７６）。
【０２２１】
図１４は、特別図柄プロセス処理における変動パターン設定処理（Ｓ３０１）を示すフローチャートである。
【０２２２】
変動パターン設定処理において、ＣＰＵ５６は、大当りフラグがセットされているか否か確認する（Ｓ９１）。大当りフラグがセットされている場合は、大当りとすることが決定されているときであり、ＣＰＵ５６は、Ｓ７４で記憶された大当り種別情報と、非時短状態と時短状態とのうちどの状態にあるかを示す時短情報と、通常状態（非確変状態）と確変状態とのうちどの状態にあるかを示す確変情報に応じて、変動パターン種別および変動パターンを決定するために使用するテーブルとして、判定テーブルの選択条件に基づいて、いずれかのテーブルを選択する（Ｓ９２）。そして、Ｓ１１４に移行する。
【０２２３】
ここで、時短情報は、時短状態であるか否かを示す情報である。時短情報は、時短フラグがセットされているときには、時短状態であることを示し、時短フラグがセットされていないときには、非時短状態であることが示される。また、確変情報は、確変状態であるか否かを示す情報である。確変情報は、確変フラがセットされているときには確変状態であることを示し、確変フラグがセットされていないときには非確変状態であることが示される。なお、この実施の形態では、時短情報を示すデータと時短フラグのデータとが別個に設けられている場合を示したが、これに限らず、時短状態として時短フラグのデータをそのまま用いてもよい。また、この実施の形態では、確変情報を示すデータと確変フラグのデータとが別個に設けられている場合を示したが、これに限らず、確変状態として確変フラグのデータをそのまま用いてもよい。
【０２２４】
Ｓ９１で大当りフラグがセットされていない場合は、はずれとすることが決定されているときであり、ＣＰＵ５６は、前述の時短情報と、合算保留記憶数情報（前述の第１保留記憶数記憶領域に記憶された第１保留記憶数と第２保留記憶数記憶領域に記憶された第２保留記憶数とを合算することにより得られる情報）とに応じて、変動パターン種別および変動パターンを決定するために使用するテーブルとして、テーブルの選択条件に基づいて、いずれかのテーブルを選択する（Ｓ９５）。その後、Ｓ１１４に進む。
【０２２５】
次いで、Ｓ１１４において、ＣＰＵ５６は、乱数バッファ領域（第１保留記憶バッファまたは第２保留記憶バッファ）からランダム２（変動パターン種別判定用乱数）を読出し、Ｓ９２，Ｓ９４またはＳ９５の処理で選択した判定テーブルにおける変動パターン種別判定テーブル部のデータを参照することによって、変動パターン種別を複数種類のうちのいずれかに決定する（Ｓ１１４）。
【０２２６】
次いで、ＣＰＵ５６は、乱数バッファ領域（第１保留記憶バッファまたは第２保留記憶バッファ）からランダム３（変動パターン判定用乱数）を読出し、Ｓ９２，Ｓ９４またはＳ９５の処理で選択した判定テーブルにおいて、変動パターン判定テーブル部におけるＳ１１４で決定した変動パターン種別に関するデータを参照することによって、変動パターンを複数種類のうちのいずれかに決定する（Ｓ１１５）。
【０２２７】
なお、始動入賞のタイミングでランダム３（変動パターン判定用乱数）を抽出しないように構成する場合には、ＣＰＵ５６は、変動パターン判定用乱数（ランダム３）を生成するための変動パターン判定用乱数カウンタから値を直接抽出し、抽出した乱数値に基づいて変動パターンを決定するようにしてもよい。
【０２２８】
また、始動入賞のタイミングでランダム２（変動パターン種別判定用乱数）を抽出せず、Ｓ１１４で変動パターン種別を決定するときに、ランダム２を生成するための変動パターン種別判定用乱数カウンタから値を直接抽出し、抽出した乱数値に基づいて変動パターン種別を決定するようにしてもよい。
【０２２９】
次いで、決定した変動パターンに対応する演出制御コマンド（変動パターンコマンド）を、演出制御用マイクロコンピュータ１００に送信する制御を行なう（Ｓ１１６）。
【０２３０】
また、特別図柄の変動を開始する（Ｓ１１７）。たとえば、Ｓ３２の特別図柄表示制御処理で参照される特別図柄に対応した開始フラグをセットすることにより、第１特別図柄表示器８ａまたは第２特別図柄表示器８ｂにおいて、前述のように変動表示を開始させる。特別図柄ポインタに「第１」を示すデータが設定されている場合には第１特別図柄表示器８ａでの第１特別図柄の変動表示を開始させ、特別図柄ポインタに「第２」を示すデータが設定されている場合には第２特別図柄表示器８ｂでの第２特別図柄の変動表示を開始させる。なお、Ｓ３２の特別図柄表示制御処理においては、開始フラグを参照して特別図柄の変動表示を開始するのではなく、特別図柄プロセス処理のプロセスの状態を参照して特別図柄の変動表示を開始するようにしてもよい。また、ＲＡＭ５５に形成されている変動時間タイマに、選択された変動パターンに対応した変動時間に応じた値を設定する（Ｓ１１８）。そして、特別図柄プロセスフラグの値を表示結果指定コマンド送信処理（Ｓ３０２）に対応した値に更新する（Ｓ１１９）。
【０２３１】
なお、はずれと決定されている場合において、いきなり変動パターン種別を決定するのではなく、まず、リーチ判定用乱数を用いた抽選処理によってリーチとするか否かを決定するようにしてもよい。そして、リーチとするか否かの判定結果に基づいて、変動パターン種別を決定するようにしてもよい。この場合、予め非リーチ用の変動パターン種別判定テーブルと、リーチ用の変動パターン種別判定テーブルとを用意しておき、リーチ判定結果に基づいて、いずれかの変動パターン種別判定テーブルを選択して、変動パターン種別を決定するようにしてもよい。
【０２３２】
前述した表示結果指定コマンド送信処理（Ｓ３０２）においては、ＣＰＵ５６が、決定されている大当りの種類、または、はずれに応じて、表示結果１指定〜表示結果５指定コマンドのいずれかの演出制御コマンド（図９参照）を送信する制御を行なう。
【０２３３】
図１５は、特別図柄プロセス処理における特別図柄変動中処理（Ｓ３０３）を示すフローチャートである。特別図柄変動中処理において、ＣＰＵ５６は、変動時間タイマを１減算し（Ｓ１２５）、変動時間タイマがタイムアウトしたら（Ｓ１２６）、特別図柄プロセスフラグの値を特別図柄停止処理（Ｓ３０４）に対応した値に更新する（Ｓ１２７）。変動時間タイマがタイムアウトしていない場合には、そのまま処理を終了する。
【０２３４】
図１６は、特別図柄プロセス処理における特別図柄停止処理（Ｓ３０４）を示すフローチャートである。特別図柄停止処理において、ＣＰＵ５６は、Ｓ３２の特別図柄表示制御処理で参照される終了フラグをセットして特別図柄の変動表示を終了させ、第１特別図柄表示器８ａまたは第２特別図柄表示器８ｂに停止図柄を導出表示する制御を行なう（Ｓ１３１）。なお、特別図柄ポインタに「第１」を示すデータが設定されている場合には第１特別図柄表示器８ａでの第１特別図柄の変動を終了させ、特別図柄ポインタに「第２」を示すデータが設定されている場合には第２特別図柄表示器８ｂでの第２特別図柄の変動を終了させる。また、演出制御用マイクロコンピュータ１００に図柄確定指定コマンドをセットする（Ｓ１３２）。これにより、図柄確定指定コマンドが図６のＳ２８において、演出制御用マイクロコンピュータ１００に送信される。そして、大当りフラグがセットされていない場合には、Ｓ１３９に移行する（Ｓ１３３）。
【０２３５】
大当りフラグがセットされている場合には、ＣＰＵ５６は、確変フラグおよび時短フラグをリセットし（Ｓ１３４）、演出制御用マイクロコンピュータ１００に、決定された当りの種別に応じて、大当り開始１指定コマンド、大当り開始２指定コマンド、または、２ラウンド確変開始指定コマンドのいずれかのコマンド（大当り開始指定コマンド）をセットする（Ｓ１３５）。
【０２３６】
これにより、セットされた大当り開始指定コマンドが図６のＳ２８において、演出制御用マイクロコンピュータ１００に送信される。具体的には、大当りの種別が１５ラウンド通常大当りである場合には大当り開始１指定コマンドを送信する。大当りの種別が１５ラウンド確変大当りである場合には大当り開始２指定コマンドを送信する。大当りの種別が２ラウンド確変大当りである場合には２ラウンド確変開始指定コマンドを送信する。大当りの種別が１５ラウンド通常大当り、１５ラウンド確変大当り、２ラウンド確変大当りのいずれに該当するかは、ＲＡＭ５５に記憶されている大当り種別を示すデータ（大当り種別バッファに記憶されているデータ）に基づいて判定される。
【０２３７】
また、大入賞口制御タイマに、大当り表示時間（大当りが発生したことをたとえば、演出表示装置９において報知する時間）に相当する値を設定する（Ｓ１３６）。以降、大入賞口開放前処理において、大入賞口制御タイマが１減算されて、０になると大入賞口が開放されてラウンドが開始される。
【０２３８】
また、また、ＲＡＭ５５に記憶されている大当り種別を示すデータにより特定される大当りの種別に応じて、前述したＲＯＭ５４に記憶されている開放パターンデータを参照し、開放回数（たとえば、１５ラウンド通常大当りおよび１５ラウンド確変大当りの場合には１５回。２ラウンド確変大当りの場合には２回。）、開放時間（たとえば、１５ラウンド通常大当りおよび１５ラウンド確変大当りの場合には２９秒。２ラウンド確変大当りの場合には０．５秒）、ラウンド間のインターバル時間（たとえば、１５ラウンド通常大当りおよび１５ラウンド確変大当りの場合には５秒。２ラウンド確変大当りの場合には０．５秒。）等の開放態様を示すデータを所定の記憶領域にセットする（Ｓ１３７）。このようなデータのうち、開放回数のデータは、開放回数を計数するための開放回数カウンタにセットされる。そして、特別図柄プロセスフラグの値を大入賞口開放前処理（Ｓ３０５）に対応した値に更新する（Ｓ１３８）。
【０２３９】
なお、１５ラウンド通常大当りおよび１５ラウンド確変大当りと、２ラウンド確変大当りとで、ラウンド数を同じラウンド数とする場合には、Ｓ１３７においてセットする開放回数のデータとして固定値（たとえば１５回）を用いればよいので、大当り遊技状態の開放回数を設定するための処理を簡素化することができる。
【０２４０】
Ｓ１３９では、ＣＰＵ５６は、時短状態であることを示す時短フラグがセットされているか否か確認する（Ｓ１３９）。時短フラグがセットされている場合には、確変状態であることを示す確変フラグがセットされているか否か確認する（Ｓ１３９Ａ）。確変フラグがセットされていない場合には、非確変状態かつ時短状態のとき、すなわち、１５ラウンド通常大当りの大当り遊技状態終了後の時短状態である。
【０２４１】
１５ラウンド通常大当りの大当り遊技状態終了後の時短状態は、変動表示が１００回実行されるまでと、次の大当りが発生するまでとのいずれかの条件が成立するまで継続させる必要がある。このような変動表示１００回という継続期間は、時短状態における特別図柄の変動可能回数を示す時短回数カウンタを、変動表示が実行されるごとに特別図柄停止処理で更新することにより管理される。このような管理を行なうため、Ｓ１３９Ａで確変フラグがセットされていないと判断されたときは、時短回数カウンタの値を−１する（Ｓ１４０）。時短回数カウンタは、後述するように、１５ラウンド通常大当りの大当り遊技状態の終了時において、大当り終了処理（Ｓ３０７）において、所定回数（１００回）に対応する値（１００）にセットされる。
【０２４２】
そして、時短回数カウンタの値が０になったか否かを確認し（Ｓ１４１）、時短回数カウンタの値が０になった場合は、１５ラウンド通常大当り後の時短状態の継続期間が終了したと判断して、時短フラグをリセットする（Ｓ１４２）。これにより、遊技状態が時短状態から通常状態（非時短状態）に移行する。そして、ＣＰＵ５６は、遊技状態が時短状態から通常状態（非時短状態）に移行したことに応じて、演出制御用マイクロコンピュータ１００に送信する通常状態指定コマンドをセットし（Ｓ１４３）、Ｓ１４９に進む。これにより、通常状態指定コマンドが図６のＳ２８において、演出制御用マイクロコンピュータ１００に送信される。
【０２４３】
また、Ｓ１３９で時短フラグがセットされていないとき、または、Ｓ１３９Ａで確変フラグがセットされているときは、１５ラウンド通常大当り終了後の時短状態に該当しないので、そのままＳ１４９に進む。また、Ｓ１４１で時短回数カウンタの値が０になっていないときには、時短状態の継続中なので、そのままＳ１４９に進む。
【０２４４】
Ｓ１４９に処理が進められた場合、特別図柄プロセスフラグの値を特別図柄通常処理（Ｓ３００）に対応した値に更新する（Ｓ１４９）。
【０２４５】
図１７は、特別図柄プロセス処理における大入賞口開放前処理（Ｓ３０５）を示すフローチャートである。大入賞口開放前処理において、ＣＰＵ５６は、大入賞口制御タイマの値を−１する（Ｓ４０１）。そして、大入賞口制御タイマの値が０であるか否かを確認し（Ｓ４０２）、大入賞口制御タイマの値が０になっていなければ、処理を終了する。これにより、大当り遊技状態の開始時においては、大入賞口制御タイマの値が０になるまで、前述したように設定された大当り表示時間となるので、大当りが発生したことを報知する制御が行なわれる。また、大当り遊技状態中のラウンド間においては、大入賞口制御タイマの値が０になるまで、後述するＳ４４０により設定されたインターバル時間となるので、インターバル時間について予め定められた演出をする制御が行なわれる。
【０２４６】
大入賞口制御タイマの値が０になっている場合には、ＣＰＵ５６は、大入賞口の開放中（ラウンド中）におけるラウンド数に応じた表示状態を指定する大入賞口開放中指定コマンド（Ａ１ＸＸ（Ｈ））を演出制御用マイクロコンピュータ１００に送信する制御を行なう（Ｓ４０３）。ＣＰＵ５６は、ラウンド数を、大当り遊技中のラウンド数をカウントするための開放回数カウンタの値を確認することにより認識する。そして、ＣＰＵ５６は、ソレノイド２１を駆動して大入賞口（特別可変入賞球装置２０）を開放する制御を行なうとともに（Ｓ４０４）、開放回数カウンタの値を−１する（Ｓ４０５）。
【０２４７】
また、大入賞口制御タイマに、各ラウンドにおいて大入賞口が開放可能な最大時間に応じた値として、大当りの種別に応じた開放パターンデータに基づく、当該ラウンドの開放時間に相当する値を設定する（Ｓ４０６）。ラウンドの開放時間としては、Ｓ１３７によりセットされた開放時間のデータが設定される。たとえば、１５ラウンド通常大当りおよび１５ラウンド確変大当りの場合には開放時間が２９秒に設定され、２ラウンド確変大当りの場合には開放時間が０．５秒に設定される。そして、特別図柄プロセスフラグの値を大入賞口開放中処理（Ｓ３０６）に応じた値に更新する（Ｓ４０７）。
【０２４８】
図１８は、特別図柄プロセス処理における大入賞口開放中処理（Ｓ３０６）を示すフローチャートである。大入賞口開放中処理において、ＣＰＵ５６は、大入賞口制御タイマの値を−１する（Ｓ４２０）。
【０２４９】
そして、ＣＰＵ５６は、大入賞口制御タイマの値が０になったか否か確認する（Ｓ４２１）。大入賞口制御タイマの値が０になっていないときは、カウントスイッチ２３がオンしたか否か確認し（Ｓ４３２）、カウントスイッチ２３がオンしていなければ、処理を終了する。カウントスイッチ２３がオンした場合には、大入賞口への遊技球の入賞個数をカウントするための入賞個数カウンタの値を＋１する（Ｓ４３３）。そして、ＣＰＵ５６は、入賞個数カウンタの値が所定数（たとえば１０）になっているか否か確認する（Ｓ４３４）。入賞個数カウンタの値が所定数になっていなければ、処理を終了する。なお、Ｓ４２１とＳ４３２との判定順は逆でもよい。
【０２５０】
大入賞口制御タイマの値が０になっているとき、または入賞個数カウンタの値が所定数になっているときには、ＣＰＵ５６は、ソレノイド２１を駆動して大入賞口を閉鎖する制御を行なう（Ｓ４３５）。そして、入賞個数カウンタの値をクリアする（０にする）（Ｓ４３６）。
【０２５１】
次いで、ＣＰＵ５６は、開放回数カウンタの値を確認する（Ｓ４３８）。開放回数カウンタの値が０でない場合には、ＣＰＵ５６は、大入賞口の開放後（ラウンドの終了後）におけるラウンド数に応じた表示状態を指定する大入賞口開放後指定コマンド（Ａ２ＸＸ（Ｈ））を演出制御用マイクロコンピュータ１００に送信する制御を行なう（Ｓ４３９）。そして、大入賞口制御タイマに、ラウンドが終了してから次のラウンドが開始するまでのインターバル時間に相当する値を設定する（Ｓ４４０）。具体的に、具体的に、インターバル時間としては、Ｓ１３７によりセットされたインターバル時間のデータが設定される。そして、特別図柄プロセスフラグの値を大入賞口開放前処理（Ｓ３０５）に応じた値に更新する（Ｓ４４１）。
【０２５２】
また、開放回数カウンタの値が０である場合に、ＣＰＵ５６は、大当り種別に応じた大当り終了コマンドを演出制御用マイクロコンピュータ１００に送信するための制御を行なう（Ｓ４４２）。具体的に、Ｓ４４２では、ＲＡＭ５５における大当り種別バッファに設定した大当り種別を示すデータに基づいて、大当り種別を確認する。そして、ＣＰＵ５６は、大入賞口制御タイマに大当り終了時間（大当り遊技が終了したことをたとえば、演出表示装置９において報知する時間）に相当する値を設定し（Ｓ４４３）、特別図柄プロセスフラグの値を大当り終了処理（Ｓ３０７）に応じた値に更新し（Ｓ４４４）、処理を終了する。
【０２５３】
図１９は、特別図柄プロセス処理における大当り終了処理（Ｓ３０７）を示すフローチャートである。大当り終了処理において、ＣＰＵ５６は、大当り終了時間が設定された大入賞口制御タイマの値を１減算する（Ｓ１５４）。そして、ＣＰＵ５６は、大入賞口制御タイマの値が０になっているか否（大当り終了時間が経過したか否か）確認する（Ｓ１５５）。大入賞口制御タイマの値が０になっていなければ処理を終了する。大入賞口制御タイマの値が０になっていれば、大当りの種別が１５ラウンド確変大当りまたは２ラウンド確変大当りであったか否か確認する（Ｓ１５８）。
【０２５４】
大当りの種別が１５ラウンド確変大当りまたは２ラウンド確変大当りであった場合には、確変フラグをセットし（Ｓ１５９）、遊技状態を確変状態に移行させる。そして、Ｓ１６１に移行する。また、Ｓ１５８において大当りの種別が１５ラウンド確変大当りまたは２ラウンド確変大当りでなかった場合（１５ラウンド通常大当りである場合）には、Ｓ１６１に移行する。
【０２５５】
Ｓ１６１では、時短フラグをセットする（Ｓ１６１）。そして、確変フラグがセットされているか否かを確認する（Ｓ１６１Ａ）。確変フラグがセットされていないときは、消去法的に１５ラウンド通常大当りの大当り遊技状態の終了時であり、時短回数カウンタにたとえば１００をセットし（Ｓ１６２）、Ｓ１６３に進む。これにより、１５ラウンド通常大当りの大当り遊技状態の終了後には、変動表示が１００回実行されるまでの期間継続して時短状態に制御されることとなる。一方、確変フラグがセットされているときは、消去法的に１５ラウンド確変大当りまたは２ラウンド確変大当りの大当り遊技状態の終了時であり、そのままＳ１６３に進む。これにより、１５ラウンド確変大当りおよび２ラウンド確変大当りのときには、変動表示の実行回数に制限されず、次回の大当りまで継続して時短状態に制御されることとなる。Ｓ１６３では、ＣＰＵ５６は、時短状態指定コマンドを演出制御用マイクロコンピュータ１００に送信するための処理を行なう（Ｓ１６３）。これにより、時短状態指定コマンドが演出制御用マイクロコンピュータ１００に送信される。次いで、ＣＰＵ５６は、特別図柄プロセスフラグの値を特別図柄通常処理（Ｓ３００）に対応した値に更新し（Ｓ１６４）、処理を終了する。
【０２５６】
前述したように、時短状態となるときに、時短状態指定コマンドを送信することにより、演出制御用マイクロコンピュータ１００において、時短状態であることを認識することができる。
【０２５７】
次に、普通図柄の表示結果を決定するために用いる普通図柄表示結果決定テーブルについて説明する。図２０は、普通図柄表示結果決定テーブルを示す説明図である。普通図柄表示結果決定テーブルは、ＲＯＭ５４に記憶されている。
【０２５８】
普通図柄表示結果決定テーブルにおいては、普通図柄当り判定用のランダム４（１〜２０１）の値（決定値）と、普通図柄の表示結果と、普通図柄の変動時間と、可変入賞球装置１５（第２始動入賞口１４）の開放時間および開放回数との関係が、通常遊技状態（電チューサポート制御がされていない遊技状態）と、電チューサポート制御状態とに分けて示されている。
【０２５９】
通常遊技状態のときにおいて、決定値が１〜２０のいずれかとなったときには、普通図柄の表示結果を当りとし、変動時間が１０秒間に設定されるとともに、開放時間が０．３秒間で１回開放することに設定される。一方、通常遊技状態のときにおいて、決定値が２１〜２０１のいずれかとなったときには、普通図柄の表示結果をはずれとし、変動時間が１０秒間に設定される。
【０２６０】
また、電チューサポート制御状態のときにおいて、決定値が１〜１８０のいずれかとなったときには、普通図柄の表示結果を当りとし、変動時間が１秒間に設定されるとともに、開放時間が１．５秒間で３回開放することに設定される。一方、電チューサポート制御状態のときにおいて、決定値が１８１〜２０１のいずれかとなったときには、普通図柄の表示結果をはずれとし、変動時間が１秒間に設定される。
【０２６１】
このように、普通図柄の制御に関し、電チューサポート制御状態のときには、通常遊技状態と比べて、決定値が当りとなる割合が高くなるように設定され、変動時間が短くなるように設定され、さらに、開放時間および開放回数が増加するように設定される。
【０２６２】
図２１は、図６のＳ２７において実行される普通図柄プロセス処理の一例を示すフローチャートである。この普通図柄プロセス処理において、ＣＰＵ５６は、まず、ゲート３２に設けられたゲートスイッチ３２ａからの検出信号がオン状態であるか否かをチェックすることにより、ゲート３２を通過した遊技球が検出されたか否かの判定を行なう（Ｓ５０１）。Ｓ５０１では、遊技球がゲート３２を通過してゲートスイッチ３２ａからの検出信号が所定期間オン状態となった場合に、遊技球のゲート通過（通過球）の検出があったものと判断して、ゲート通過時処理を実行する（Ｓ５０２）。
【０２６３】
Ｓ５０２において実行されるゲート通過時処理の一例として、以下のような処理が実行される。まず、ＲＡＭ５５の所定領域に設けられた普図保留記憶部に記憶されている普図保留記憶データの個数である普図保留記憶数が、所定の上限値（たとえば「４」）となっているか否かを判定する。普図保留記憶部は、ゲートスイッチ３２ａにより遊技球のゲート通過が検出されたときに抽出した普通図柄の表示結果決定用のランダム４の数値データを普図保留記憶データとして、最大限４つ保留記憶するデータ記憶領域を有する。この普図保留記憶部は、前述した第１保留記憶バッファおよび第２保留記憶バッファと同様に、普図保留記憶データを格納された順番を特定可能な状態で保存していき、順番にしたがって変動表示に使用された普図保留記憶データを消去し、残りの普図保留記憶データについてデータ記憶領域を１つずつシフトしていく構成となっている。
【０２６４】
Ｓ５０２において、普図保留記憶数が上限値未満であるときには、ＣＰＵ５６が、ランダム４を示す数値データを抽出する。そして、抽出したランダム４の数値データを普図保留記憶データとして、普図保留記憶部でデータが記憶されずに空いているデータ記憶領域のうち先頭順番の領域にセットする。一方、普図保留記憶部において、普図保留記憶数が上限値となっていれば、今回の遊技球の検出は無効として、ランダム４の数値データの新たな抽出および記憶は行なわない。
【０２６５】
ゲート通過時処理を実行した後、および、Ｓ５０１でゲートスイッチ３２ａからの検出信号がオフ状態であると判定された後には、普通図柄プロセスフラグの値に応じて、以下のようなＳ５１０〜Ｓ５１４の各処理を実行する。
【０２６６】
Ｓ５１０の普通図柄通常処理は、普通図柄プロセスフラグの値が「０」のときに実行される。この普通図柄通常処理では、普図保留記憶部に格納された普図保留記憶データの有無等に基づいて、普通図柄表示器１０による普通図柄の変動表示を開始するか否かの判定が行なわれる。このとき、たとえば普図保留記憶部に格納された普図保留記憶データがある場合には、普通図柄プロセスフラグの値を「１」に更新する。
【０２６７】
Ｓ５１１の普通図柄判定処理は、普通図柄プロセスフラグの値が「１」のときに実行される。この普通図柄判定処理では、時短フラグがセットされているか否かに基づいて、電チューサポート制御状態であるか否かを認識し、普図保留記憶部の先頭順番に格納された普図保留記憶データ（普通図柄の表示結果決定用のランダム４を示す数値データ）に基づき、図２０に示す普通図柄表示結果決定テーブルを参照して、普通図柄の変動表示における表示結果を、「当り」とするか「はずれ」とするかの決定等が行なわれる。
【０２６８】
前述したように、普通図柄表示結果決定テーブルでは、時短状態に対応した電チューサポート制御状態である場合に、非電チューサポート制御状態である通常遊技状態である場合よりも普通図柄の表示結果を「当り」とする決定がなされる割合が高くなるように、ランダム４と比較される決定値が割振られている。これにより、電チューサポート制御状態では、Ｓ５１１の普通図柄判定処理において、通常遊技状態と比べて普通図柄の表示結果が「当り」と判定されやすくなることで、可変入賞球装置１５が形成する第２始動入賞口１４が開放状態となりやすく、遊技球が第２始動入賞口１４に進入（始動入賞）しやすくなる。
【０２６９】
また、普通図柄判定処理では、普通図柄表示結果決定テーブルを用いて、普通図柄の変動時間も決定される。前述したように、普通図柄表示結果決定テーブルでは、時短状態に対応した電チューサポート制御状態である場合に、非電チューサポート制御状態である通常遊技状態である場合よりも普通図柄の変動時間が短くなるように設定されている。これにより、電チューサポート制御状態では、Ｓ５１１の普通図柄判定処理において、時短フラグがセットされているときに電チューサポート制御状態であると認識し、通常遊技状態と比べて普通図柄の変動時間が短くなるように変動時間が決定される。電チューサポート制御状態では、普通図柄の変動表示結果が導出表示される間隔が短くなることで、「当り」の変動表示結果が導出表示される間隔も短くなり、可変入賞球装置１５が形成する第２始動入賞口１４が開放状態となりやすく、遊技球が第２始動入賞口１４に進入（始動入賞）しやすくなる。
【０２７０】
さらに、普通図柄判定処理では、普通図柄表示結果決定テーブルを用いて、可変入賞球装置１５（第２始動入賞口１４）の開放時間および開放回数も決定される。前述したように、普通図柄表示結果決定テーブルでは、時短フラグがセットされているときに電チューサポート制御状態であると認識し、電チューサポート制御状態である場合に、非電チューサポート制御状態である通常遊技状態である場合よりも、可変入賞球装置１５（第２始動入賞口１４）の開放時間が長くなり、かつ、開放回数が多くなるように設定されている。したがって、電チューサポート制御状態である場合に、非電チューサポート制御状態である通常遊技状態である場合よりも、可変入賞球装置１５（第２始動入賞口１４）の開放時間が長くなり、かつ、開放回数が多くなるような制御が行なわれる。これにより、電チューサポート制御状態では、開放時間が長くなり、かつ、開放回数が多くなることで、可変入賞球装置１５（第２始動入賞口１４）が開放状態となる時間および回数が増加し、遊技球が第２始動入賞口１４に進入（始動入賞）しやすくなる。
【０２７１】
普通図柄判定処理では、このような各種判定がされた後、普通図柄プロセスフラグの値を「２」に更新する。
【０２７２】
Ｓ５１２の普通図柄変動処理は、普通図柄プロセスフラグの値が「２」のときに実行される。この普通図柄変動処理では、普通図柄表示器１０による普通図柄の変動表示において普通図柄を変動させるための設定が行なわれる。こうした設定に基づいて変動表示する普通図柄は、Ｓ５１３の普通図柄停止処理が実行されることにより、その変動表示が停止して普通図柄の表示結果となる普通図柄の表示結果が表示される。普通図柄変動処理では、普通図柄が変動表示を開始してからの経過時間が計測される。このときには、計測された経過時間が、普通図柄判定処理で決定された変動時間に達したか否かの判定が行なわれる。そして、決定された変動時間に達したときには、普通図柄プロセスフラグの値を「３」に更新する。
【０２７３】
Ｓ５１３の普通図柄停止処理は、普通図柄プロセスフラグの値が「３」のときに実行される。この普通図柄停止処理では、普通図柄表示器１０において普通図柄の変動表示を停止して表示結果を導出表示させるための設定が行なわれる。なお、普通図柄の表示結果を導出表示させるための設定は、Ｓ５１２の普通図柄変動処理において、計測された経過時間が決定された変動時間に達したときに、普通図柄プロセスフラグの値を「３」に更新する以前に行なわれるようにしてもよい。また、普通図柄停止処理では、普通図柄判定処理で決定された普通図柄の表示結果が「当り」である場合に、普通図柄判定処理で決定された開放時間および開放回数で可変入賞球装置１５を開閉するようにソレノイド１６を駆動する作動パターンの設定を行なってから、普通図柄プロセスフラグの値が「４」に更新される。一方、普通図柄判定処理で決定された普通図柄の表示結果が「はずれ」である場合には、普通図柄プロセスフラグをクリアして、その値を「０」に更新する。
【０２７４】
Ｓ５１４の普通電動役物作動処理は、普通図柄プロセスフラグの値が「４」のときに実行される。この普通電動役物作動処理では、普通図柄の変動表示における表示結果が「当り」となったことに対応して、可変入賞球装置１５において可動片を開放状態に動作させることにより、第２始動入賞口１４を閉状態から開状態に変化させる制御が行なわれる。たとえば、普通電動役物作動処理では、Ｓ５１３の普通図柄停止処理においてセットされた作動パターンの設定に応じて、ソレノイド１６を駆動するための駆動制御信号を生成することにより、可変入賞球装置１５を、普通図柄判定処理で決定された開放時間および開放回数で開状態とする制御を行なう。これにより、図２０に示すような遊技状態および表示結果に応じた動作パターンで可変入賞球装置１５が開閉動作させられることとなる。そして、作動パターンの設定に応じたソレノイド１６の駆動が終了すると、普通図柄プロセスフラグをクリアして、その値を「０」に更新する。
【０２７５】
次に、演出制御用マイクロコンピュータ１００で実行される制御を説明する。図２２は、演出制御用マイクロコンピュータ１００が用いる乱数を示す説明図である。
【０２７６】
図２２には、一例として、演出図柄の左停止図柄決定用のＳＲ１−１、演出図柄の中停止図柄決定用のＳＲ１−２、演出図柄の右停止図柄決定用のＳＲ１−３、各種の演出決定用のＳＲ２が示されている。
【０２７７】
ＳＲ１−１，ＳＲ１−２，ＳＲ１−３は、演出図柄の左，中，右の停止図柄（仮停止図柄を除く最終的な停止図柄）をランダムに決定するために用いられる。ＳＲ２は、演出表示装置９で表示される画像による演出内容等の各種の演出内容をランダムに決定するために用いられる。
【０２７８】
このような乱数ＳＲ１−１〜ＳＲ２のそれぞれは、ソフトウェアによりカウント値を更新するランダムカウンタのカウントにより生成されるものであり、図２２において対応付けられた範囲内でそれぞれ巡回更新され、それぞれについて定められたタイミングで抽出されることにより乱数として用いられる。
【０２７９】
図２３は、演出表示装置９における演出図柄（飾り図柄）の停止図柄の一例を示す説明図である。
【０２８０】
図２３に示す例では、演出制御用ＣＰＵ１０１は、受信した表示結果指定コマンドが、１５ラウンド通常大当りを示している場合（受信した表示結果指定コマンドが表示結果２指定コマンドである場合）には、停止図柄として左，中，右の３図柄が偶数図柄で揃った演出図柄の組合せ（１５ラウンド通常大当り図柄の組合せ）を決定する。
【０２８１】
演出制御用ＣＰＵ１０１は、受信した表示結果指定コマンドが、１５ラウンド確変大当りを示している場合（受信した表示結果指定コマンドが表示結果３指定コマンドである場合）には、停止図柄として左，中，右の３図柄が奇数で揃った演出図柄の組合せ（１５ラウンド確変大当り図柄の組合せ）を決定する。そして、はずれの場合（受信した表示結果指定コマンドが表示結果１指定コマンドである場合）には、上記以外の演出図柄の組合せ（左右不一致、左右のみ一致等のはずれ図柄の組合せ）を決定する。ただし、リーチ演出を伴う場合には、左，右の２図柄が揃った演出図柄の組合せを決定する。
【０２８２】
演出制御用ＣＰＵ１０１は、受信した表示結果指定コマンドが、２ラウンド確変大当りを示している場合（受信した表示結果指定コマンドが表示結果４指定コマンド、または、表示結果５指定コマンドである場合）に、停止図柄として「１，２，３」、「４，５，６」、または、「７，８，９」等の所定の演出図柄の組合せを決定する。
【０２８３】
次に、演出制御用マイクロコンピュータ１００の動作を説明する。図２４は、演出制御基板８０に搭載されている演出制御用マイクロコンピュータ１００（具体的には、演出制御用ＣＰＵ１０１）が実行する演出制御メイン処理を示すフローチャートである。
【０２８４】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、２ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０２８５】
演出制御処理において、演出制御用ＣＰＵ１０１は、まず、受信した演出制御コマンドを解析し、受信した演出制御コマンドがどのようなことを指示するコマンドであるかを特定可能なフラグ等のデータをセットする処理等を行なう（コマンド解析処理：Ｓ７０４）。次いで、演出制御用ＣＰＵ１０１は、演出制御プロセス処理を行なう（Ｓ７０５）。演出制御プロセス処理では、Ｓ７０４で解析した演出制御コマンドの内容にしたがって演出表示装置９での演出図柄の変動表示等の各種演出を行なうために、制御状態に応じた各プロセスのうち、現在の制御状態（演出制御プロセスフラグ）に対応した処理を選択して演出制御を実行する。
【０２８６】
次いで、図２２に示すようなＳＲ１−１，ＳＲ１−２，ＳＲ１−３、および、ＳＲ２を含む各種乱数を生成するためのカウンタのカウント値を更新する乱数更新処理を実行する（Ｓ７０６）。また、第１保留記憶表示部１８ｃおよび第２保留記憶表示部１８ｄの表示状態の制御を行なう保留記憶表示制御処理を実行する（Ｓ７０７）。具体的に、前述の第１保留記憶数記憶領域に記憶された第１保留記憶数のデータ対応して第１保留記憶表示部１８ｃにおいて第１保留記憶数を表示する制御を行なう。また、前述の第２保留記憶数記憶領域に記憶された第２保留記憶数のデータ対応して第２保留記憶表示部１８ｄにおいて第２保留記憶数を表示する制御を行なう。その後、Ｓ７０２に移行する。
【０２８７】
このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７等の演出装置を制御することにより、遊技状態に応じた各種の演出制御が行なわれる。
【０２８８】
図２５は、図２４に示された演出制御メイン処理における演出制御プロセス処理（Ｓ７０５）を示すフローチャートである。演出制御プロセス処理では、演出制御用ＣＰＵ１０１は、演出制御プロセスフラグの値に応じてＳ８００〜Ｓ８０７のうちのいずれかの処理を行なう。各処理において、以下のような処理を実行する。なお、演出制御プロセス処理では、演出表示装置９の表示状態が制御され、演出図柄の変動表示が実現されるが、第１特別図柄の変動に同期した演出図柄の変動表示に関する制御も、第２特別図柄の変動に同期した演出図柄の変動表示に関する制御も、一つの演出制御プロセス処理において実行される。
【０２８９】
変動パターンコマンド受信待ち処理（Ｓ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（Ｓ８０１）に対応した値に変更する。
【０２９０】
演出図柄変動開始処理（Ｓ８０１）：演出図柄（飾り図柄）の変動表示が開始されるように制御する。また、演出図柄の停止図柄（表示結果）をＳＲ１−１〜ＳＲ１−３等に基づいて決定する。変動表示の開始時に、受信した変動パターンコマンドに対応して実行する変動表示の変動時間を計時する変動表示時間タイマの計時をスタートさせる。そして、演出制御プロセスフラグの値を演出図柄変動中処理（Ｓ８０２）に対応した値に更新する。
【０２９１】
演出図柄変動中処理（Ｓ８０２）：変動パターンを構成する各変動状態（変動速度）の切替えタイミング等を制御するとともに、変動表示時間タイマにより計時される変動時間が終了したか否かを監視する。そして、変動時間が終了したか、または、全図柄停止を指示する演出制御コマンド（図柄確定指定コマンド）を受信したことに基づいて、変動表示を終了させるために、演出制御プロセスフラグの値を演出図柄変動停止処理（Ｓ８０３）に対応した値に更新する。
【０２９２】
演出図柄変動停止処理（Ｓ８０３）：演出図柄（飾り図柄）の変動表示を停止し、変動表示の表示結果（停止図柄）を導出表示する制御を行なう。そして、演出制御プロセスフラグの値を大当り表示処理（Ｓ８０４）または変動パターンコマンド受信待ち処理（Ｓ８００）に対応した値に更新する。
【０２９３】
大当り表示処理（Ｓ８０４）：変動時間の終了後、演出表示装置９に大当りの発生を報知するための画面を表示する制御を行なう。そして、演出制御プロセスフラグの値を大当り遊技中処理（Ｓ８０５）に対応した値に更新する。
【０２９４】
ラウンド中処理（Ｓ８０５）：ラウンド中の表示制御を行なう。そして、ラウンド終了条件が成立したら、最終ラウンドが終了していなければ、演出制御プロセスフラグの値をラウンド後処理（Ｓ８０６）に対応した値に更新する。最終ラウンドが終了していれば、演出制御プロセスフラグの値を大当り終了処理（Ｓ８０７）に対応した値に更新する。
【０２９５】
ラウンド後処理（Ｓ８０６）：ラウンド間の表示制御を行なう。そして、ラウンド開始条件が成立したら、演出制御プロセスフラグの値をラウンド中処理（Ｓ８０５）に対応した値に更新する。
【０２９６】
大当り終了演出処理（Ｓ８０７）：演出表示装置９において、大当り遊技状態が終了したことを遊技者に報知する表示制御を行なう。そして、演出制御プロセスフラグの値を変動パターンコマンド受信待ち処理（Ｓ８００）に対応した値に更新する。
【０２９７】
演出制御用ＣＰＵ１０１は、たとえば、次のように演出図柄の停止図柄を決定する。たとえば、演出図柄変動開始処理において、演出図柄の停止図柄決定用の乱数ＳＲ１−１〜ＳＲ１−３を抽出し、これらと、演出図柄を示すデータと数値とが対応付けられている停止図柄決定テーブルとを用いて、演出図柄の停止図柄を決定する。すなわち、抽出した乱数に一致する数値に対応する演出図柄の組合せを示すデータを選択することによって停止図柄を決定する。そして、演出制御用ＣＰＵ１０１は、演出図柄の変動表示を停止するときに、このように決定された停止図柄で演出図柄を停止させる。演出図柄についても、大当りを想起させるような停止図柄を大当り図柄という。そして、はずれを想起させるような停止図柄をはずれ図柄という。
【０２９８】
具体的に、演出図柄の停止図柄は、たとえば、次のように決定する。非リーチはずれの図柄の組合せを決定する場合においては、所定のタイミングでＳＲ１−１〜ＳＲ１−３のそれぞれから数値データ（乱数）を抽出し、演出制御用マイクロコンピュータ１００のＲＯＭに記憶されたはずれ図柄決定用データテーブルを用い、抽出した乱数に対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然大当り図柄の組合せまたは特殊図柄（チャンス目）の組合せと一致する場合には、はずれ図柄の組合せとなるように補正（たとえば、右図柄を１図柄ずらす補正）して各停止図柄が決定される。また、抽出された乱数に対応する停止図柄が偶然リーチ図柄となってしまう場合には、非リーチはずれ図柄の組合せとなるように補正（たとえば、中図柄を１図柄ずらすように補正）して各停止図柄が決定される。
【０２９９】
また、リーチはずれの図柄の組合せを決定する場合においては、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する各演出図柄の停止図柄として決定され、ＳＲ１−２から抽出されたカウンタの値と合致する乱数に対応する図柄が最終停止図柄の停止図柄として決定される。
【０３００】
大当りの図柄の組合せを決定する場合においては、大当りの種別に応じて大当り図柄の組合せを決定する。
【０３０１】
１５ラウンド確変大当りにすることに決定されているときには、奇数大当り図柄決定用テーブルを用いて、たとえば、左，中，右が「７，７，７」というようないずれかの奇数図柄の組合せを選択決定する。奇数大当り図柄決定用テーブルは、予め定められた複数種類の奇数図柄のそれぞれに、ＳＲ１−１のそれぞれの数値データが対応付けられている。奇数図柄の大当り図柄の組合せを決定するときには、所定のタイミングでＳＲ１−１から数値データ（乱数）を抽出し、奇数大当り図柄決定用テーブルを用い、抽出した乱数に対応する図柄を、奇数図柄の大当り図柄の組合せを構成する左，中，右の演出図柄の停止図柄の組合せとして決定する。このように決定された図柄が大当り遊技状態に制御される前の変動表示結果である最終停止図柄として用いられる。
【０３０２】
また、１５ラウンド通常大当りにすることに決定されているときには、偶数大当り図柄決定用テーブルを用いて、たとえば、左，中，右が「２，２，２」というようないずれかの偶数図柄の組合せを選択決定する。偶数大当り図柄決定用テーブルは、予め定められた複数種類の偶数図柄のそれぞれに、ＳＲ１−１のそれぞれの数値データが対応付けられている。偶数大当り図柄の組合せを決定するときには、所定のタイミングでＳＲ１−１から数値データ（乱数）を抽出し、偶数大当り図柄決定用テーブルを用い、抽出した乱数に対応する図柄を、偶数大当り図柄の組合せを構成する左，中，右の演出図柄の停止図柄の組合せとして決定する。
【０３０３】
また、２ラウンド確変大当りにすることに決定されているときには、特殊図柄決定用テーブルを用いて、たとえば、左，中，右が「１，２，３」、「４，５，６」、または、「７，８，９」の演出図柄の組合せとして選択決定する。
【０３０４】
図２６は、プロセステーブルの構成例を示す説明図である。プロセステーブルとは、演出制御用ＣＰＵ１０１が演出装置の制御を実行する際に参照するプロセスデータが設定されたテーブルである。すなわち、演出制御用ＣＰＵ１０１は、変動表示の開始時から変動表示の停止時まで、および、大当り遊技状態の開始時から大当り遊技状態の終了時までの予め定められた演出制御期間中において、プロセステーブルに設定されているプロセスデータにしたがって演出表示装置９等の演出装置（演出用部品）の制御を行なう。
【０３０５】
プロセステーブルは、プロセスタイマ設定値と、表示制御実行データ、ランプ制御実行データおよび音番号データの組合せが複数集まったデータとで構成されている。表示制御実行データには、演出図柄（飾り図柄）の変動表示の変動時間（変動表示時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行なう。
【０３０６】
図２６に示すプロセステーブルは、演出制御基板８０におけるＲＯＭに格納されている。また、プロセステーブルは、各変動パターンに応じて用意されている。
【０３０７】
なお、リーチ演出を伴う変動パターンについて演出制御を実行する場合に用いられるプロセステーブルには、変動開始から所定時間が経過したときに左図柄を停止表示させ、さらに所定時間が経過すると右図柄を停止表示させることを示すプロセスデータが設定されている。なお、停止表示させる図柄をプロセステーブルに設定するのではなく、決定された停止図柄、演出における仮停止図柄に応じて、図柄を表示するための画像を合成して生成するようにしてもよい。
【０３０８】
演出制御用ＣＰＵ１０１は、演出図柄の変動表示を行なうときに、Ｓ８０１〜Ｓ８０３において、変動パターンに応じて選択したプロセスデータ１の内容（表示制御実行データ１、ランプ制御実行データ１、音番号データ１）にしたがって演出装置（演出用部品としての演出表示装置９、演出用部品としての各種ランプおよび演出用部品としてのスピーカ２７Ｒ，２７Ｌ）の制御を実行する。たとえば、演出表示装置９において変動パターンに応じた画像を表示させるために、ＶＤＰ１０９に指令を出力する。また、各種ランプを点灯／消灯制御を行なわせるために、ランプドライバ基板３５に対して制御信号（ランプ制御実行データ）を出力する。また、スピーカ２７Ｒ，２７Ｌからの音声出力を行なわせるために、音声出力基板７０に対して制御信号（音番号データ）を出力する。
【０３０９】
なお、この実施の形態では、演出制御用ＣＰＵ１０１は、変動パターンコマンドに１対１に対応する変動パターンによる演出図柄の変動表示が行なわれるように制御するが、演出制御用ＣＰＵ１０１は、変動パターンコマンドに対応する複数種類の変動パターンから、使用する変動パターンを選択するようにしてもよい。
【０３１０】
図２７は、図２５に示された演出制御プロセス処理における演出図柄変動開始処理（Ｓ８０１）を示すフローチャートである。
【０３１１】
演出図柄変動開始処理において、演出制御用ＣＰＵ１０１は、変動表示結果をはずれとすることに決定されているか否か確認する（Ｓ８１１）。はずれとすることに決定されているか否かは、たとえば、コマンド解析処理により当該変動表示について表示結果１指定コマンドを受信したことを示すデータがＲＡＭに設けられた変動パターンコマンド格納領域に格納されているか否かによって判定される。なお、はずれとすることに決定されているか否かは、大当りとするか否かを特定可能な変動パターンコマンドの種類に基づいて、確認するようにしてもよい。はずれとすることに決定されている場合には、変動パターンコマンドとして、リーチとならない非リーチ変動パターン（通常変動の変動パターン）に対応したコマンド（通常変動の変動パターンを示す変動パターンコマンド）を受信したか否か確認する（Ｓ８１２）。非リーチ変動パターンに対応したコマンドを受信したか否かは、たとえば、変動パターンコマンド格納領域に格納されているデータによって判定される。
【０３１２】
非リーチ変動パターンに対応したコマンドを受信したと判定した場合、演出制御用ＣＰＵ１０１は、予め定められたはずれ図柄決定用データテーブルを用いて、演出図柄のリーチにならないはずれの停止図柄を決定し（Ｓ８１４）、Ｓ８２０へ進む。はずれ図柄決定用データテーブルでは、複数種類の演出図柄のそれぞれに、ＳＲ１−１〜ＳＲ１−３のそれぞれの数値データが対応付けられている。Ｓ８１４の処理では、所定のタイミングでＳＲ１−１〜ＳＲ１−３のそれぞれから数値データ（乱数）を抽出し、演出制御用マイクロコンピュータ１００のＲＯＭに記憶されたはずれ図柄決定用データテーブルを用い、抽出した乱数に対応する図柄がそれぞれ左，中，右の演出図柄の変動表示結果となる停止図柄の組合せとして決定される。このように非リーチはずれの図柄の組合せを決定する場合において、抽出された乱数に対応する停止図柄が偶然、大当り図柄の組合せ（１５ラウンド確変大当り図柄の組合せ、１５ラウンド通常大当り図柄の組合せ、２ラウンド確変大当り図柄の組合せ）と一致する場合には、はずれ図柄の組合せとなるように補正（たとえば、右図柄を１図柄ずらす補正）して各停止図柄が決定される。また、抽出された乱数に対応する停止図柄が偶然、リーチ図柄となってしまう場合には、非リーチはずれ図柄の組合せとなるように補正（たとえば、右図柄を１図柄ずらす補正）して各停止図柄が決定される。
【０３１３】
Ｓ８１２の処理で非リーチ変動パターンではないと判定した場合（リーチ変動パターンであると判定した場合）に、演出制御用ＣＰＵ１０１は、リーチの組合せを構成する演出図柄の停止図柄を決定し（Ｓ８１５）、Ｓ８２０へ進む。Ｓ８１５の処理では、所定のタイミングでＳＲ１−１〜ＳＲ１−３のそれぞれから数値データ（乱数）を抽出し、はずれ図柄決定用データテーブルを用い、ＳＲ１−１から抽出された乱数に対応する図柄がリーチ状態を形成する左，右の各演出図柄の停止図柄として決定され、ＳＲ１−２から抽出されたカウンタの値と合致する乱数に対応する図柄が中図柄の停止図柄として決定される。また、この場合も、偶然、大当り図柄の組合せとなってしまうときには、チャンス目以外のはずれ図柄の組合せとなるように補正（たとえば、中図柄を１図柄ずらす補正）して各停止図柄が決定される。
【０３１４】
また、はずれとすることに決定されていない場合に（Ｓ８１１）、演出制御用ＣＰＵ１０１は、大当りの種別に応じて、当り図柄の組合せを構成する演出図柄の停止図柄を決定し（Ｓ８１３）、Ｓ８２０へ進む。
【０３１５】
Ｓ８１３では、以下のように、当りの種別に応じて当り図柄の組合せを決定する。演出制御用ＣＰＵ１０１は、表示結果２指定コマンド〜表示結果４指定コマンドのうちのどの表示結果指定コマンドが表示結果特定コマンド格納領域に格納されているかに基づいて、大当りの種別を判定する。
【０３１６】
１５ラウンド確変大当りにすることに決定されていると判定したときには、１５ラウンド確変大当り図柄決定用テーブルを用いて、１５ラウンド確変大当り図柄の組合せ（たとえば、左，中，右が「７，７，７」というようないずれかの奇数図柄の組合せ）を選択決定する。１５ラウンド確変大当り図柄決定用テーブルは、予め定められた複数種類の１５ラウンド確変大当り図柄のそれぞれに、ＳＲ１−１のそれぞれの数値データが対応付けられている。１５ラウンド確変大当り図柄の組合せを決定するときには、所定のタイミングでＳＲ１−１から数値データ（乱数）を抽出し、１５ラウンド確変大当り図柄決定用テーブルを用い、抽出した乱数に対応する図柄を、１５ラウンド確変大当り図柄の組合せを構成する左，中，右の演出図柄の停止図柄の組合せとして決定する。このように決定された図柄が大当り遊技状態に制御される前の変動表示結果である最終停止図柄として用いられる。
【０３１７】
また、演出制御用ＣＰＵ１０１は、１５ラウンド通常大当りにすることに決定されていると判定したときには、１５ラウンド通常大当り図柄決定用テーブルを用いて、１５ラウンド通常大当り図柄の組合（たとえば、左，中，右が「２，２，２」というようないずれかの偶数図柄のゾロ目の組合せ）を選択決定する。１５ラウンド通常大当り図柄決定用テーブルは、予め定められた複数種類の１５ラウンド通常大当り図柄のそれぞれに、ＳＲ１−１のそれぞれの数値データが対応付けられている。１５ラウンド通常大当り図柄の組合せを決定するときには、所定のタイミングでＳＲ１−１から数値データ（乱数）を抽出し、１５ラウンド通常大当り図柄決定用テーブルを用い、抽出した乱数に対応する図柄を、１５ラウンド通常大当り図柄の組合せを構成する左，中，右の演出図柄の停止図柄の組合せとして決定する。
【０３１８】
また、演出制御用ＣＰＵ１０１は、２ラウンド確変大当りにすることに決定されていると判定したときには、２ラウンド確変図柄決定用テーブルを用いて、２ラウンド確変大当り図柄の組合せ（たとえば、左，中，右が「１，２，３」、「４，５，６」、または、「７，８，９」等のチャンス目の組合せ）を選択決定する。２ラウンド確変図柄決定用テーブルは、複数種類の２ラウンド確変大当り図柄の組合せのそれぞれに、ＳＲ１−１のそれぞれの数値データが対応付けられている。２ラウンド確変大当り図柄の組合せを決定するときには、所定のタイミングでＳＲ１−１から数値データ（乱数）を抽出し、２ラウンド確変図柄決定用テーブルを用い、抽出した乱数に対応する図柄を、２ラウンド確変図柄の組合せを構成する左，中，右の演出図柄の停止図柄の組合せとして決定する。
【０３１９】
Ｓ５２０において、演出制御用ＣＰＵ１０１は、演出制御パターンを複数種類の演出制御パターンうちのいずれかに決定する（Ｓ８２０）。Ｓ８２０において、演出制御用ＣＰＵ１０１は、変動パターン指定コマンドによって指定された変動パターンにより指定された各種演出制御（演出動作）パターンに応じて、図柄変動制御パターンテーブルに格納されている複数種類の図柄変動制御パターンのうち、指定された各種演出動作パターンに対応するいずれかの演出制御パターンを変動表示の演出として使用する演出制御パターンとして選択決定する。
【０３２０】
演出制御用マイクロコンピュータ１００におけるＲＯＭに記憶されている制御パターンテーブルには、たとえば、演出図柄の変動が開始されてから最終停止図柄となる演出図柄が停止表示されるまでの期間における、演出表示装置９の表示領域における演出図柄の変動表示動作、リーチ演出における演出表示動作、および、予告演出における演出表示動作といった各種の演出動作の制御内容を示すデータが、図柄変動制御パターンとして複数種類格納されている。
【０３２１】
また、各図柄変動制御パターンは、たとえば、演出制御プロセスタイマ設定値、演出制御プロセスタイマ判定値、演出表示制御データ、音声制御データ、ランプ制御データ、および、終了コードといった、演出図柄の変動表示に応じた各種の演出動作を制御するための制御データを含み、時系列的に、各種の演出制御の内容、および、演出制御の切替えタイミング等が設定されている。
【０３２２】
次いで、演出制御用ＣＰＵ１０１は、Ｓ８２０で選択した演出制御パターンに応じたプロセステーブルを選択する（Ｓ８２１）。そして、選択したプロセステーブルのプロセスデータ１におけるプロセスタイマ（演出設定プロセスタイマ）をスタートさせる（Ｓ８２２）。
【０３２３】
そして、演出制御用ＣＰＵ１０１は、プロセスデータ１の内容（表示制御実行データ１、ランプ制御実行データ１、音番号データ１）にしたがって演出装置（演出用部品としての演出表示装置９、演出用部品としての各種ランプ、および、演出用部品としてのスピーカ２７）の制御を開始する（Ｓ８２４）。たとえば、表示制御実行データにしたがって、演出表示装置９において変動パターンに応じた画像（演出図柄を含む。）を表示させるために、ＶＤＰ１０９に指令を出力する。また、各種ランプを点灯／消灯制御を行なわせるために、ランプドライバ基板３５に対して制御信号（ランプ制御実行データ）を出力する。また、スピーカ２７からの音声出力を行なわせるために、音声出力基板７０に対して制御信号（音番号データ）を出力する。また、可動部材制御データにしたがって、可動部材７８を動作させるための駆動信号を出力する。
【０３２４】
そして、変動表示時間タイマに、変動パターンコマンドで特定される変動時間に相当する値を設定する（Ｓ８２５）。変動表示時間タイマは、演出図柄の変動を開始してから最終停止図柄を停止表示するまでの変動時間を計測するためのタイマである。その後、演出制御プロセスフラグの値を演出図柄変動中処理（Ｓ８０２）に対応した値にし（Ｓ８２６）、処理を終了する。
【０３２５】
図２８は、演出制御プロセス処理における演出図柄変動中処理（Ｓ８０２）を示すフローチャートである。
【０３２６】
演出図柄変動中処理において、演出制御用ＣＰＵ１０１は、プロセスタイマの値を１減算するとともに（Ｓ８４１）、変動表示時間タイマの値を１減算する（Ｓ８４２）。そしてプロセスタイマがタイムアウトしているか否かを判断する（Ｓ８４３）。
【０３２７】
プロセスタイマがタイムアウトするまで（Ｓ８４３Ｎ）は、Ｓ８４６に進む。Ｓ８４３においてプロセスタイマがタイムアウトしたと判断したときは（Ｓ８４３Ｙ）、プロセスデータの切替えを行なう（Ｓ８４４）。すなわち、プロセステーブルにおける次に設定されているプロセスタイマ設定値をプロセスタイマに設定することによってプロセスタイマをあらためてスタートさせる（Ｓ８４４）。また、その次に設定されている表示制御実行データ、ランプ制御実行データ、および、音番号データ等のプロセスデータに基づいて演出装置（演出用部品）に対する制御状態を変更する等、次のプロセスデータの内容にしたがって、演出装置を制御する（Ｓ８４５）。
【０３２８】
このように、プロセスタイマを用いて時間管理を行なって、プロセスデータを順次切替えていくことにより、変動表示制御を含む各種演出制御が行なわれる。
【０３２９】
次に、演出制御用ＣＰＵ１０１は、変動表示時間タイマの値に基づいて、変動表示時間タイマがタイムアウトしたか否かを確認する（Ｓ８４７）。変動表示時間タイマがタイムアウトしていれば（Ｓ８４７でＹ）、演出制御プロセスフラグの値を演出図柄変動停止処理（Ｓ８０３）に応じた値に更新する（Ｓ８４９）。一方、変動表示時間タイマがタイムアウトしていないときは（Ｓ８４７でＮ）、図柄確定指定コマンドを受信したことを示す確定コマンド受信フラグがセットされているか否かを確認する（Ｓ８４８）。確定コマンド受信フラグがセットされていないときは（Ｓ８４８でＮ）、演出図柄変動中処理が終了する。一方、確定コマンド受信フラグがセットされているときは（Ｓ８４８でＹ）、Ｓ８４９に移行する。変動表示時間タイマがタイムアウトしていなくても（Ｓ８４８でＮ）、図柄確定指定コマンドを受信したら変動を停止させる制御に移行するので、たとえば、基板間でのノイズ等に起因して長い変動時間を示す変動パターンコマンドを受信したような場合でも、正規の変動時間経過時（特別図柄の変動終了時）に、演出図柄の変動を終了させることができる。
【０３３０】
たとえば、演出制御用マイクロコンピュータ１００においては、変動パターンコマンドを受信したときに、演出図柄の変動表示を開始させ、図柄確定指定コマンドを受信したときに、演出図柄の変動表示を停止させる。変動表示は、各変動パターンコマンドに対応する変動時間で実行されるように制御される。
【０３３１】
また、演出制御用マイクロコンピュータ１００においては、遊技制御用マイクロコンピュータ５６０から送信されてくる通常状態指定コマンド、時短状態指定コマンド、および、確変終了指定コマンド等に基づいて、遊技状態がどのような状態にあるかを特定するデータを記憶し、その記憶データに基づいて、遊技状態を常に認識する。そして、このように認識している遊技状態と、遊技制御用マイクロコンピュータ５６０から送信されてくる変動パターンコマンドとに基づいて、演出制御用マイクロコンピュータ１００は、現在の遊技状態に応じた演出態様で演出図柄の変動表示を実行させる。
【０３３２】
図２９は、図２５の演出制御プロセス処理における演出図柄変動停止処理（Ｓ８０３）を示すフローチャートである。演出図柄変動停止処理において、演出制御用ＣＰＵ１０１は、確定コマンド受信フラグがセットされているか否か確認する（Ｓ８５１）。確定コマンド受信フラグがセットされている場合には、確定コマンド受信フラグをリセットし（Ｓ８５２）、図２７のＳ８１３、Ｓ８１４、Ｓ８１５のいずれかで決定された停止図柄を導出表示する制御を行なう（Ｓ８５３Ａ）。また、飾り図柄変動終了フラグをセットする（Ｓ８５３Ｂ）。
【０３３３】
飾り図柄変動終了フラグがセットされると、演出表示装置９における変動が停止される。そして、演出制御用ＣＰＵ１０１は、大当りとすることに決定されているか否か確認する（Ｓ８５４）。大当りとすることに決定されているか否かは、たとえば、表示結果特定コマンド格納領域に格納されている表示結果特定コマンドによって確認される。なお、この実施の形態では、決定されている停止図柄によって、大当りとすることに決定されているか否か確認することもできる。
【０３３４】
大当りとすることに決定されている場合には、１５ラウンド確変大当りまたは１５ラウンド通常大当りであるか否かが判断される。１５ラウンド大当りでないと判断された場合、処理がＳ８９７に進められる。
【０３３５】
一方、いずれかの１５ラウンド大当りであると判断された場合、大当り継続回数（いわゆる連チャン回数）が１加算され（Ｓ８９１）、大当り継続回数が演出表示装置９に表示される。なお、大当り継続回数は、演出表示装置９に表示されることに限定されず、他の装置（たとえば、パチンコ遊技機１、カードユニットおよび呼出しランプなど）に設けられた表示装置（たとえば、液晶表示装置および７セグメント表示器など）に表示されるようにしてもよい。
【０３３６】
図３２は、演出表示装置９における大当り継続回数、時短残り回数、および、引戻し回数の表示例を示す表示画面図である。図３２を参照して、大当り継続回数は、たとえば、図３２（Ａ）の左上の「５連勝！」といったような態様で表示される。
【０３３７】
図２９に戻って、次に、大当り継続回数が１０回以上となったか否かが判断される（Ｓ８９３）。大当り継続回数が１０回未満であると判断された場合、実行される処理がＳ８９７に進められる。
【０３３８】
一方、大当り継続回数が１０回以上となったと判断された場合、大当りが１５ラウンド通常大当りであるか否かが判断される（Ｓ８９４）。１５ラウンド通常大当りでないと判断された場合、実行される処理がＳ８９７に進められる。
【０３３９】
一方、１５ラウンド通常大当りであると判断された場合、エンディング演出実行フラグがセットされ（Ｓ８９５）、演出表示装置９におけるエンディング演出の実行が開始される（Ｓ８９６）。その後、実行される処理がＳ８９７に進められる。
【０３４０】
ここで、エンディング演出とは、大当り継続回数が１０回以上となった場合、または、大当り継続回数が１０回以上となり、かつ、有利度が所定の有利度（たとえば、１５ラウンド確変大当りの有利度）未満の大当り（たとえば、１５ラウンド通常大当り、または、２ラウンド確変大当り）に制御された場合に実行される特定演出であり、大当り継続回数が所定回数（ここでは１０回）以上となったことを遊技者に報知するための演出であり、たとえば、他の大当り中の演出と大当り中の背景が変わる演出である。なお、エンディング演出は、大当り継続中に、一度、実行されると、大当りの継続が終了するまで実行されない。
【０３４１】
Ｓ８９７では、今回の大当りの種類（本実施の形態においては、１５ラウンド確変大当り、１５ラウンド通常大当り、２ラウンド確変大当り）が、大当り履歴として、演出制御用マイクロコンピュータ１００のＲＡＭに記憶させられる。記憶される大当り履歴は、少なくとも、大当りが継続している間（大当り継続期間）の履歴である。
【０３４２】
そして、演出制御プロセスフラグの値を大当り表示処理（Ｓ８０４）に応じた値に更新する（Ｓ８９８）。
【０３４３】
大当りとしないことに決定されている場合（Ｓ８５４でＮＯの場合）には、演出制御用ＣＰＵ１０１は、はずれ時処理を実行する。
【０３４４】
図３０は、はずれ時処理を示すフローチャートである。図３０を参照して、まず、引戻しモード中であることを示す引戻しモードフラグがセットされているか否かが判断される（Ｓ８６１）。
【０３４５】
従来は、大当り継続回数が０回の時点での大当りである初当りに制御されてから時短状態が終了するまで、大当りの継続回数が計数されていた。本実施の形態においては、引戻しモードとして、時短状態が終了してから所定の引戻し期間の間、大当りの継続回数を計数する期間を延長する場合における、引戻し期間の間の制御状態のモードを設ける。
【０３４６】
引戻しモードフラグがセットされていないと判断された場合（Ｓ８６１でＮＯの場合）、時短状態フラグがセットされているか否かが判断される。時短状態フラグは、大当り終了時に、後述する図３１のＳ９８１でセットされ、時短終了時に、後述する図３０のＳ８６６でリセットされるフラグであり、時短状態に制御されていることを示す。時短状態フラグがセットされていないと判断された場合（Ｓ８６２でＮＯの場合）、実行される処理がＳ８７８の処理に進められる。
【０３４７】
一方、時短状態フラグがセットされていると判断された場合（Ｓ８６２でＹＥＳの場合）、時短状態の残りの変動回数を計数するための時短変動残り回数カウンタの値が１減算され（Ｓ８６３）、時短変動残り回数カウンタで示される時短状態の変動表示の残り回数が演出表示装置９に表示される（Ｓ８６４）。
【０３４８】
再び図３２を参照して、図３２（Ａ）で示されるように、時短状態の変動表示の残り回数は、たとえば、演出表示装置９の右上に、「残り１回」といった態様で表示される。
【０３４９】
図３０に戻って、次に、時短変動残り回数カウンタで示される時短状態の変動表示の残り回数が０回に達したか否かが判断される（Ｓ８６５）。達していないと判断された場合（Ｓ８６５でＮＯの場合）、実行される処理がＳ８７８の処理に進められる。
【０３５０】
一方、時短状態の変動表示の残り回数が０回に達したと判断された場合（Ｓ８６５でＹＥＳの場合）、時短状態フラグがリセットされ（Ｓ８６６）、引戻しモードフラグがセットされる（Ｓ８６７）。
【０３５１】
そして、図２９のＳ８９５で説明したエンディング演出実行フラグがセットされているか否か、つまり、エンディング演出の実行が開始されたか否かが判断される（Ｓ８６８）。
【０３５２】
エンディング演出実行フラグがセットされていると判断された場合（Ｓ８６８でＹＥＳの場合）、図２９のＳ８９７でＲＡＭに記憶された大当り履歴で示されるエンディング演出が実行された回までの大当りの種類に基づき、引戻し期間の変動表示の回数である引戻し回数が算出され、残り引戻し回数カウンタにセットされる（Ｓ８６９）。このように、引戻しモードに制御されるときに、一度だけ引戻し回数を算出するので、エンディング演出が実行されてから引戻しモードに制御されるまでの大当り終了ごとに、毎回、引戻し回数を算出する場合と比較して、制御負担が軽減される。
【０３５３】
一方、エンディング演出実行フラグがセットされていないと判断された場合（Ｓ８６８でＮＯの場合）、図２９のＳ８９７でＲＡＭに記憶された大当り履歴で示される今回の変動表示までの大当りの種類に基づき、引戻し回数が算出され、残り引戻し回数カウンタにセットされる（Ｓ８７０）。
【０３５４】
引戻し回数の算出方法としては、本実施の形態においては、対象期間の２ラウンド確変大当りの回数をｍ回、１５ラウンド確変大当りと１５ラウンド通常大当りとを合わせた回数をｎ回とした場合に、引戻し回数＝１０ｍ＋５ｎの算出式で算出する。
【０３５５】
このような算出式で算出することにより、１５ラウンドの大当りと比較して得られる賞球が少なく有利度の低い２ラウンドの大当りが多く発生した場合であっても、１５ラウンドの大当りが発生した場合よりも、引戻し回数が多くなるので、遊技者のがっかり感を軽減することができる。
【０３５６】
Ｓ８６９およびＳ８７０の後、引戻しモード突入画面および残り引戻し回数が演出表示装置９に表示される（Ｓ８７１）。次に、引戻しモード演出が実行される（Ｓ８７２）。引戻しモード演出は、他の状態またはモードでは実行されない特別演出であり、引戻しモードに制御されていることを遊技者に報知可能な演出である。なお、引戻しモード演出は引戻しモードの間、実行される。その後、実行される処理がＳ８７８の処理に進められる。
【０３５７】
再び図３２を参照して、引戻しモード突入画面は、図３２（Ｂ）で示すように、たとえば「モード突入」と表示することによって、引戻しモードに突入したことを報知する画面である。残り引戻し回数は、たとえば、図３２（Ｂ）の画面の右下に「２５回」といった態様で表示される。
【０３５８】
引戻しモードフラグがセットされていると判断された場合（Ｓ８６１でＹＥＳの場合）、残り引戻し回数カウンタの値が１減算され（Ｓ８７２）、残り引戻し回数カウンタで示される残り引戻し回数が演出表示装置９に表示される（Ｓ８７３）。
【０３５９】
再び図３２を参照して、図３２（Ｃ）、図３２（Ｄ）および図３２（Ｆ）で示されるように、残り引戻し回数は、たとえば、演出表示装置９の右下に、「２４回」および「０回」といった態様で表示される。
【０３６０】
図３０に戻って、次に、残り引戻し回数カウンタで示される残り引戻し回数が０回に達したか否かが判断される（Ｓ８７４）。達していないと判断された場合（Ｓ８７４でＮＯの場合）、実行される処理がＳ８７８の処理に進められる。
【０３６１】
一方、残り引戻し回数が０回に達したと判断された場合（Ｓ８７４でＹＥＳの場合）、引戻しモードフラグがリセットされ（Ｓ８７６）、通常モードに戻った旨が演出表示装置９で報知される（Ｓ８７７）。その後、実行される処理がＳ８７８の処理に進められる。
【０３６２】
再び図３２を参照して、たとえば、図３２（Ｇ）で示されるように、「通常モード」と表示されることによって、通常モードに戻った旨が報知される。その後、図３２（Ｈ）で示されるように、大当り継続回数が計数されない変動表示が開始される。
【０３６３】
図３０に戻って、Ｓ８７８では、演出制御プロセスフラグの値が変動パターンコマンド受信待ち処理（Ｓ８００）に応じた値に更新される。
【０３６４】
図３１は、大当り終了演出処理（Ｓ８０７）を示すフローチャートである。大当り終了演出処理において、演出制御用マイクロコンピュータ１００は、まず、演出時間計測タイマの値を１減算する（Ｓ９７１）。演出時間計測タイマは、大当り遊技状態の終了時に行なわれる演出を管理する時間を計測するために、大当り終了演出処理前の段階でラウンド中処理においてセットされるタイマである。演出時間計測タイマは、たとえば、大当り終了指定コマンドによりより特定される大当りの種別に応じて定められた時間に設定される。そして、演出時間計測タイマがタイムアウトしたか否かを確認する（Ｓ９７２）。
【０３６５】
演出時間計測タイマがタイムアウトしたときは（Ｓ９７２のＹ）、Ｓ９８１に進む。一方、演出時間計測タイマがタイムアウトしていないときは（Ｓ９７２のＮ）、演出制御用マイクロコンピュータ１００は、プロセスタイマの値を１減算する（Ｓ９７３）。
【０３６６】
次いで、演出制御用マイクロコンピュータ１００は、プロセスデータｎの内容（表示制御実行データｎ）にしたがって、演出装置（演出表示装置９、スピーカ２７、各種ランプ（ＬＥＤ２８ａ〜２８ｃ）等）を制御する処理を実行する（Ｓ９７６）。たとえば、演出表示装置９においてエンディング演出に応じた画像を表示させるために、プロセスデータｎの内容（表示制御実行データｎ）にしたがってＣＧＲＯＭから画像データを読出し、読出した画像データをＶＤＰ１０９に出力するとともに制御信号を出力する。また、各種ランプを点灯／消灯制御を行なわせるために、ランプドライバ基板３５に対して制御信号を出力する。また、スピーカ２７からの音声出力を行なわせるために、音声出力基板７０に対して制御信号（音番号データ）を出力する。
【０３６７】
この場合、たとえば、大当りが終了することを表示したり、演出表示装置９の表示画面に所定のキャラクタを表示したりすることによって、大当りが終了することを報知する。
【０３６８】
そして、演出制御用マイクロコンピュータ１００は、プロセスタイマがタイムアウトしていないかどうかを確認し（Ｓ９７７）、プロセスタイマがタイムアウトしていれば、プロセスデータの切替えを行なう（Ｓ９７８）。そして、次のプロセスデータにおけるプロセスタイマ設定値をプロセスタイマに設定してプロセスタイマをスタートさせ（Ｓ９７９）、処理を終了する。
【０３６９】
演出時間計測タイマがタイムアウトしたと判断された場合（Ｓ９７２でＮＯの場合）、つまり、大当り終了演出が終了したときに、時短状態フラグがセットされる（Ｓ９８１）。次に、大当りが確変大当りであったか否かが判断される（Ｓ９８２）。確変大当りであった場合（Ｓ９８２でＹＥＳの場合）、前回の大当り終了時に確変状態フラグがリセットされていた場合だけでなく、前回の大当り終了時に確変状態フラグが既にセットされていた場合であっても、確変状態フラグがセットされ、実行される処理がＳ９８６に進められる。
【０３７０】
一方、確変大当りでなかった場合（Ｓ９８２でＮＯの場合）、前回の大当り終了時に確変状態フラグがセットされていた場合だけでなく、前回の大当り終了時に確変状態フラグが既にリセットされていた場合であっても、確変状態フラグがリセットされ、実行される処理がＳ９８６に進められる。
【０３７１】
Ｓ９８６に処理が進められた場合、以降の処理に必要な所定フラグ以外のフラグがリセットされる（Ｓ９８６）。そして、演出制御プロセスフラグの値が変動パターンコマンド受信待ち処理（Ｓ８００）に応じた値に更新され（Ｓ９８７）、実行する処理がこの処理の呼出元の処理に戻される。
【０３７２】
再び図３２を参照して、引戻しモードにおいて大当りが発生すると、図２９のＳ８９１で大当り継続回数が１加算され、Ｓ８９２で、図３２（Ｅ）で示すように、大当り継続回数が、１加算された状態、たとえば、「６連勝！」といった態様で、演出表示装置９に表示される。
【０３７３】
図３３は、大当り継続回数を説明するための第１の図である。図３３（Ａ）を参照して、大当り（たとえば、１５ラウンド確変大当り）が発生した直後に、大当り（たとえば、２ラウンド確変大当り）が発生すると大当り終了時には、大当り継続回数が２回（いわゆる２連チャン）となる。
【０３７４】
さらに、２連チャン目の大当りが発生した直後に、大当り（たとえば、１５ラウンド通常大当り）が発生すると大当り終了時には、大当り継続回数が３回（いわゆる３連チャン）となる。
【０３７５】
大当りが発生した後、時短状態に制御され、時短状態における変動表示１００回において大当りが発生しなければ時短状態が終了する。時短状態が終了するまでに大当りが発生しなければ、従来は、大当り継続回数の積算が終了、つまり、連チャンが終了するように制御されていた。
【０３７６】
図３３（Ｂ）を参照して、大当りの発生後の時短状態が終了するまでに大当りが発生すれば、３回であった大当り継続回数が積算されて４回（いわゆる４連チャン）となる。
【０３７７】
図３４は、大当り継続回数を説明するための第２の図である。図３４（Ａ）を参照して、時短状態が終了するまでに大当りが発生しなければ、本実施の形態においては、引戻しモードに制御される。
【０３７８】
ここでは、大当り継続回数が１０回に達しておらず、エンディング演出は実行されていないので、図３０のＳ８７０で説明したように、初当りから今回の変動表示までの大当りの種類に基づき、２ラウンド確変大当りの回数ｍ＝１回で、１５ラウンド大当りの回数ｎ＝２回であるので、引戻し回数＝１０ｍ＋５ｎ＝１０×１＋５×２＝２０回と算出される。
【０３７９】
そして、引戻しモードが終了するまでに大当りが発生しなければ、大当り継続回数の積算が終了、つまり、連チャンが終了するように制御される。その後は、時短状態でも引戻しモードでもない通常モードに制御される。
【０３８０】
図３４（Ｂ）を参照して、この場合も、図３４（Ａ）の場合と同様、大当り継続回数が１０回に達しておらず、エンディング演出は実行されていないので、図３０のＳ８７０で説明したように、初当りから今回の変動表示までの大当りの種類に基づき、２ラウンド確変大当りの回数ｍ＝０回で、１５ラウンド大当りの回数ｎ＝２回であるので、引戻し回数＝１０ｍ＋５ｎ＝１０×０＋５×２＝１０回と算出される。
【０３８１】
図３４（Ｃ）を参照して、引戻しモードが終了するまでに大当りが発生すれば、３回であった大当り継続回数が積算されて４回（いわゆる４連チャン）となる。
【０３８２】
図３５は、大当り継続回数を説明するための第３の図である。図３５（Ａ）を参照して、この場合は、図３４（Ａ）および図３４（Ｂ）の場合と異なり、大当り継続回数が１０回に達しており、かつ、有利度の低い１５ラウンド通常大当りが発生しているので、当該大当りの終了時に、エンディング演出が実行される。
【０３８３】
そして、時短状態が終了するまでに大当りが発生しなければ、引戻しモードに制御される。
【０３８４】
ここでは、大当り継続回数が１０回に達しており、かつ、有利度の低い１５ラウンド通常大当りが発生して、エンディング演出が実行されているので、図３０のＳ８６９で説明したように、初当りからエンディング演出が実行されるまでの大当りの種類に基づき、引戻し回数が算出される。
【０３８５】
図３５（Ｂ）を参照して、エンディング演出が実行された後に、時短状態および引戻しモード終了までに大当りが発生した場合、引戻しモードの回数は、最初の引戻しモードから今回の引戻しモードが開始されるまでに、何度、大当りが発生していたとしても、引戻しモードの回数は、最初の引戻しモードのときに算出された引戻しモードの回数から変化させない。
【０３８６】
次に、前述した実施の形態により得られる主な効果を説明する。
（１−１）  各々を識別可能な複数種類の識別情報（たとえば、飾り図柄）を変動表示可能な変動表示装置（たとえば、演出表示装置９）を有し、該変動表示の表示結果が予め定められた特定の表示態様となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記事前決定手段によって前記特定遊技状態にすることが決定され当該特定遊技状態に制御されてから所定期間（たとえば、連チャン回数を計数する期間）が経過するまでに前記事前決定手段によって決定され制御された前記特定遊技状態の回数（たとえば、大当り継続回数、連チャン回数）を計数する計数手段（たとえば、演出制御用マイクロコンピュータ１００、図２９のＳ８９１）と、
前記計数手段によって計数された前記回数を表示する表示手段（たとえば、演出表示装置９、演出制御用マイクロコンピュータ１００、図２９のＳ８９２）と、
前記所定期間における前記事前決定手段によって決定され制御された前記特定遊技状態の種類に基づいて前記所定期間を変化させる（たとえば、大当りの種類に応じて回数を累積した回数の引戻し期間分、連チャン期間を延長する、具体的には、１５ラウンド大当りの場合５回、２ラウンド大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。）所定期間変化手段（たとえば、図２９のＳ８９７、図３０のＳ８６９，Ｓ８７０）とを備えることを特徴とする。
【０３８７】
このような構成によれば、特定遊技状態とするか否か、および、特定遊技状態とする場合に複数種類のうちのいずれの特定遊技状態にするかが決定され、特定遊技状態にすることが決定され当該特定遊技状態に制御されてから所定期間が経過するまでに決定され制御された特定遊技状態の回数が計数され、計数された回数が表示され、所定期間における決定され制御された特定遊技状態の種類に基づいて所定期間が変化させられる。
【０３８８】
このため、所定期間中の特定遊技状態の種類に基づいて所定期間が変化するため、遊技の興趣を向上させることができるとともに、所定期間における特定遊技状態の種類にも遊技者を注目させることができ、遊技の興趣を向上させることができる。その結果、特定遊技状態の継続回数によって遊技の興趣を向上させることが可能な遊技機を提供することができる。
【０３８９】
（１−２）  上記（１−１）の遊技機において、
前記複数種類の特定遊技状態には、第１の特定遊技状態（たとえば、１５ラウンド確変大当り、１５ラウンド通常大当り）と該第１の特定遊技状態よりも有利度の低い第２の特定遊技状態（たとえば、２ラウンド確変大当り）とが含まれ、
前記所定期間変化手段は、前記事前決定手段によって前記第２の特定遊技状態が決定され制御された割合が多いほど、前記所定期間を長く変化させる（たとえば、図３０のＳ８６９，Ｓ８７０で、２ラウンド確変大当りの回数をｍ、１５ラウンド大当りの回数をｎとしたときに、引戻し回数＝１０ｍ＋５ｎとされる）ことを特徴とする。
【０３９０】
このような構成によれば、複数種類の特定遊技状態には、第１の特定遊技状態と該第１の特定遊技状態よりも有利度の低い第２の特定遊技状態とが含まれ、第２の特定遊技状態が決定され制御された割合が多いほど、所定期間が長く変化させられる。
【０３９１】
このため、所定期間中の特定遊技状態の種類に基づいて所定期間が長く変化させられ、所定期間における特定遊技状態の回数が多くなるので、遊技の興趣をさらに向上させることができるとともに、所定期間における特定遊技状態の種類にも遊技者をさらに注目させることができ、遊技の興趣をさらに向上させることができる。その結果、特定遊技状態の継続回数によって遊技の興趣をさらに向上させることができる。
【０３９２】
（１−３）  上記（１−１）または（１−２）の遊技機において、
前記所定期間に亘って特別演出（たとえば、引戻しモード演出）を実行する特別演出実行手段（たとえば、演出制御用マイクロコンピュータ１００、図３０のＳ８７２）をさらに備えることを特徴とする。
【０３９３】
このような構成によれば、所定期間に亘って特別演出が実行される。このため、所定期間が変化させられた期間を、遊技者に分かり易く報知することができる。
【０３９４】
（１−４）  上記（１−１）から（１−３）のいずれかに記載の遊技機において、
前記計数手段によって計数された前記回数が所定回数（たとえば、１０連チャン）以上となった場合に、特定演出（たとえば、エンディング演出）を実行する特定演出実行手段（たとえば、演出制御用マイクロコンピュータ１００、図２９のＳ８９３，Ｓ８９６）をさらに備えることを特徴とする。
【０３９５】
このような構成によれば、計数された回数が所定回数以上となった場合に、特定演出が実行される。このため、所定期間における特定遊技状態が所定回数以上となったことを、遊技者に分かり易く報知することができる。
【０３９６】
（２−１）  各々を識別可能な複数種類の識別情報（たとえば、飾り図柄）を変動表示可能な変動表示装置（たとえば、演出表示装置９）を有し、該変動表示の表示結果が予め定められた特定の表示態様となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記事前決定手段によって前記特定遊技状態にすることが決定され当該特定遊技状態に制御されてから所定期間（たとえば、連チャン回数を計数する期間）が経過するまでに前記事前決定手段によって決定され制御された前記特定遊技状態の回数（たとえば、大当り継続回数、連チャン回数）を計数する計数手段（たとえば、演出制御用マイクロコンピュータ１００、図２９のＳ８９１）と、
前記計数手段によって計数された前記回数を表示する表示手段（たとえば、演出表示装置９、演出制御用マイクロコンピュータ１００、図２９のＳ８９２）と、
前記計数手段によって計数された前記回数が所定回数（たとえば、１０連チャン）となった場合に、特定演出（たとえば、エンディング演出）を実行する特定演出実行手段（たとえば、演出制御用マイクロコンピュータ１００、図２９のＳ８９３，Ｓ８９６）と、
長さの異なる複数種類の期間の中から前記所定期間を設定する所定期間設定手段（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。）と、
前記特定演出実行手段によって前記特定演出が実行された後は、前記所定期間設定手段により設定される期間として、当該特定演出が実行される前の前記所定期間よりも長い所定期間を設定することを制限する所定期間制限手段（たとえば、図２９のＳ８９７、図３０のＳ８６９，Ｓ８７０、エンディング演出が実行された後は、Ｓ８６９で決定される引戻し回数は一定となる）とを備えることを特徴とする。
【０３９７】
このような構成によれば、特定遊技状態とするか否か、および、特定遊技状態とする場合に複数種類のうちのいずれの特定遊技状態にするかが決定され、特定遊技状態にすることが決定され当該特定遊技状態に制御されてから所定期間が経過するまでに決定され制御された特定遊技状態の回数が計数され、計数された回数が表示され、計数された回数が所定回数となった場合に、特定演出が実行され、長さの異なる複数種類の期間の中から所定期間が設定され、特定演出が実行された後は、設定される期間として、当該特定演出が実行される前の所定期間よりも長い所定期間を設定することが制限される。
【０３９８】
このため、所定期間における特定遊技状態の回数が所定回数となって、遊技者が満足感を得ている場合には、必要以上に所定期間を長くさせないようにできる一方、所定回数未満であり、遊技者が満足感を得ていない場合に、長さの異なる複数種類の期間の中から所定期間が設定されるため、遊技の興趣を向上させることができる。その結果、特定遊技状態の継続回数によって遊技の興趣を向上させることが可能な遊技機を提供することができる。
【０３９９】
また、計数された回数が所定回数となった場合に、特定演出が実行される。このため、所定期間における特定遊技状態が所定回数となったことを、遊技者に分かり易く報知することができる。
【０４００】
（２−２）  上記（２−１）の遊技機において、
前記所定期間設定手段は、前記所定期間における前記事前決定手段によって決定され制御された前記特定遊技状態の種類に基づいて前記所定期間を設定し、
前記所定期間制限手段は、前記特定演出実行手段によって前記特定演出が実行された後は、前記所定期間設定手段により設定される期間を、前記特定演出が実行される直前までの前記特定遊技状態の種類に基づいて定められる前記所定期間に制限することを特徴とする。
【０４０１】
このような構成によれば、所定期間における決定され制御された特定遊技状態の種類に基づいて所定期間が設定され、特定演出が実行された後は、設定される期間が、特定演出が実行される直前までの特定遊技状態の種類に基づいて定められる所定期間に制限される。このため、必要以上に所定期間を長くさせないようにすることができる。
【０４０２】
（２−３）  上記（２−１）の遊技機において、
前記所定期間設定手段は、前記所定期間における前記事前決定手段によって決定され制御された前記特定遊技状態の種類に基づいて前記所定期間を設定し、
前記所定期間制限手段は、前記特定演出実行手段によって前記特定演出が実行された後は、前記所定期間設定手段により設定される期間を、前記所定期間を当該特定演出が実行される前の前記所定期間以下の長さの特定の期間（たとえば、０回またはデフォルト回数の変動表示の期間）に制限することを特徴とする。
【０４０３】
このような構成によれば、所定期間における決定され制御された特定遊技状態の種類に基づいて所定期間が設定され、特定演出が実行された後は、設定される期間が、所定期間が当該特定演出が実行される前の所定期間以下の長さの特定の期間に制限される。このため、必要以上に所定期間を長くさせないようにすることができる。
【０４０４】
（２−４）  上記（２−１）から（２−３）のいずれかに記載の遊技機において、
前記特定演出実行手段は、前記計数手段によって計数された前記回数が所定回数（たとえば、１０連チャン）となったことに加えて、前記複数種類の特定遊技状態のうち所定の有利度未満の特定遊技状態（たとえば、１５ラウンド通常大当り）に制御された場合に、前記特定演出を実行する（たとえば、図２９のＳ８９３，Ｓ８９４，Ｓ８９６）ことを特徴とする。
【０４０５】
このような構成によれば、計数された回数が所定回数となったことに加えて、複数種類の特定遊技状態のうち所定の有利度未満の特定遊技状態に制御された場合に、特定演出が実行される。このため、有利度の低い特定遊技状態が発生したことによる遊技の興趣の低下を抑制することができる。
【０４０６】
（２−５）  上記（２−１）から（２−４）のいずれかに記載の遊技機において、
前記所定期間に亘って特別演出（たとえば、引戻しモード演出）を実行する特別演出実行手段（たとえば、演出制御用マイクロコンピュータ１００、図３０のＳ８７２）をさらに備えることを特徴とする。
【０４０７】
このような構成によれば、所定期間に亘って特別演出が実行される。このため、所定期間が変化させられた期間を、遊技者に分かり易く報知することができる。
（３−１） 各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後の判定期間（たとえば、連チャン回数を計数する期間）が経過したか否かを判定する判定手段と、
前記判定期間内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）とを備え、
前記事前決定手段によって決定された前記特定遊技状態の種類に応じて前記判定期間が異なる（たとえば、大当りの種類に応じて回数を累積した回数の引戻し期間分、連チャン期間を延長する、具体的には、１５ラウンド大当りの場合５回、２ラウンド大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。たとえば、図２９のＳ８９７、図３０のＳ８６９，Ｓ８７０）ことを特徴とする。
このような構成によれば、特定遊技状態とするか否か、および、特定遊技状態とする場合に複数種類のうちのいずれの特定遊技状態にするかが決定され、特定遊技状態終了後の判定期間が経過したか否かが判定され、判定期間内において特定遊技状態にすると決定された場合に数値データが更新され、数値データに基づいて特定遊技状態の回数が表示され、決定された特定遊技状態の種類に応じて判定期間が異なる。このため、遊技の興趣を向上させることができる。
（３−２） 上記（３−１）の遊技機において、
前記複数種類の特定遊技状態には、第１の特定遊技状態（たとえば、１５ラウンド確変大当り、１５ラウンド通常大当り）と該第１の特定遊技状態よりも有利度の低い第２の特定遊技状態（たとえば、２ラウンド確変大当り）とが含まれ、
前記事前決定手段によって前記第２の特定遊技状態が決定された割合が多いほど、前記判定期間が長い（たとえば、図３０のＳ８６９，Ｓ８７０で、２ラウンド確変大当りの回数をｍ、１５ラウンド大当りの回数をｎとしたときに、引戻し回数＝１０ｍ＋５ｎとされる）ことを特徴とする。
このような構成によれば、複数種類の特定遊技状態には、第１の特定遊技状態と該第１の特定遊技状態よりも有利度の低い第２の特定遊技状態とが含まれ、第２の特定遊技状態が決定された割合が多いほど、判定期間が長い。このため、遊技の興趣をさらに向上させることができる。
（３−３） 上記（３−１）または（３−２）の遊技機において、
前記判定期間に亘って特別演出（たとえば、引戻しモード演出）を実行する特別演出実行手段（たとえば、演出制御用マイクロコンピュータ１００、図３０のＳ８７２）をさらに備えることを特徴とする。
このような構成によれば、判定期間に亘って特別演出が実行される。このため、判定期間を、遊技者に分かり易く報知することができる。
（３−４） 上記（３−１）から（３−３）のいずれかに記載の遊技機において、
前記数値データに基づく前記特定遊技状態の回数が所定回数（たとえば、１０連チャン）以上となった場合に、特定演出（たとえば、エンディング演出）を実行する特定演出実行手段（たとえば、演出制御用マイクロコンピュータ１００、図２９のＳ８９３，Ｓ８９６）をさらに備えることを特徴とする。
このような構成によれば、判定期間の特定遊技状態の回数が所定回数以上となった場合に、特定演出が実行される。このため、判定期間における特定遊技状態が所定回数以上となったことを、遊技者に分かり易く報知することができる。
（４−１） 各々を識別可能な複数種類の識別情報（たとえば、飾り図柄）を変動表示可能な変動表示装置（たとえば、演出表示装置９）を有し、該変動表示の表示結果が予め定められた特定表示結果となったときに、遊技者にとって有利な特定遊技状態（たとえば、１５ラウンド確変大当り、１５ラウンド通常大当り、２ラウンド確変大当りなど）に制御される遊技機（たとえば、パチンコ遊技機１、スロットマシンなど）であって、
前記特定遊技状態とするか否か、および、前記特定遊技状態とする場合に複数種類のうちのいずれの前記特定遊技状態にするかを決定する事前決定手段（たとえば、遊技制御用マイクロコンピュータ５６０、図１１のＳ２１４，Ｓ２２４、図１３のＳ６０，Ｓ７１〜Ｓ７４）と、
前記特定遊技状態終了後の判定期間（たとえば、連チャン回数を計数する期間）が経過したか否かを判定する判定手段と、
前記判定期間内において前記事前決定手段によって前記特定遊技状態にすると決定された場合に数値データ（たとえば、大当り継続回数、連チャン回数）を更新する数値データ更新手段（たとえば、演出制御用マイクロコンピュータ１００、図２９のＳ８９１）と、
前記数値データに基づいて前記特定遊技状態の回数を表示する表示手段（たとえば、演出表示装置９、演出制御用マイクロコンピュータ１００、図２９のＳ８９２）と、
前記特定遊技状態の回数が所定回数（たとえば、１０連チャン）となった場合に、特定演出（たとえば、エンディング演出）を実行する特定演出実行手段（たとえば、演出制御用マイクロコンピュータ１００、図２９のＳ８９３，Ｓ８９６）と、
前記特定演出実行手段によって前記特定演出が実行された後は、当該特定演出が実行される前の前記判定期間よりも長い判定期間となることを制限する判定期間制限手段（たとえば、大当りの種類に応じて回数を累積した回数の引戻し期間分、連チャン期間を延長する、具体的には、１５Ｒ大当りの場合５回、２Ｒ大当りの場合１０回を累積する。または、連チャン期間の特定の大当りの回数の範囲による回数の引戻し期間分、連チャン期間を延長する、具体的には、特定の大当りの回数が０〜３回であれば、引戻し期間を０回、４〜６回であれば、５０回、７回以上であれば、１００回とする。しかし、図２９のＳ８９７、図３０のＳ８６９，Ｓ８７０で示すように、エンディング演出が実行された後は、Ｓ８６９で決定される引戻し回数は一定となる）とを備えることを特徴とする。
このような構成によれば、特定遊技状態とするか否か、および、特定遊技状態とする場合に複数種類のうちのいずれの特定遊技状態にするかが決定され、特定遊技状態終了後の判定期間が経過したか否かが判定され、判定期間内において特定遊技状態にすると決定された場合に数値データが更新され、数値データに基づいて特定遊技状態の回数が表示され、特定遊技状態の回数が所定回数となった場合に、特定演出が実行され、特定演出が実行された後は、当該特定演出が実行される前の判定期間よりも長い判定期間となることが制限される。
このため、判定期間における特定遊技状態の回数が所定回数となっている場合には、必要以上に判定期間を長くさせないようにできるため、遊技の興趣を向上させることができる。その結果、特定遊技状態の回数によって遊技の興趣を向上させることが可能な遊技機を提供することができる。
また、判定期間における特定遊技状態の回数が所定回数となった場合に、特定演出が実行される。このため、判定期間における特定遊技状態が所定回数となったことを、遊技者に分かり易く報知することができる。
（４−２） 上記（４−１）の遊技機において、
前記判定期間における前記事前決定手段によって決定された前記特定遊技状態の種類に応じて前記判定期間が異なり、
前記判定期間制限手段は、前記特定演出実行手段によって前記特定演出が実行された後は、前記特定演出が実行される直前までの前記特定遊技状態の種類に応じた前記判定期間に制限することを特徴とする。
このような構成によれば、判定期間における決定された特定遊技状態の種類に応じて判定期間が異なり、特定演出が実行された後は、特定演出が実行される直前までの特定遊技状態の種類に応じた判定期間に制限される。このため、必要以上に判定期間を長くさせないようにすることができる。
（４−３） 上記（４−１）の遊技機において、
前記判定期間における前記事前決定手段によって決定された前記特定遊技状態の種類に応じて前記判定期間が異なり、
前記判定期間制限手段は、前記特定演出実行手段によって前記特定演出が実行された後は、当該特定演出が実行される前の前記判定期間以下の長さの特定の期間（たとえば、０回またはデフォルト回数の変動表示の期間）に制限することを特徴とする。
このような構成によれば、判定期間における決定された特定遊技状態の種類に応じて判定期間が異なり、特定演出が実行された後は、当該特定演出が実行される前の判定期間以下の長さの特定の期間に制限される。このため、必要以上に判定期間を長くさせないようにすることができる。
（４−４） 上記（４−１）から（４−３）のいずれかに記載の遊技機において、
前記特定演出実行手段は、前記特定遊技状態の回数が所定回数（たとえば、１０連チャン）となったことに加えて、前記複数種類の特定遊技状態のうち所定の有利度未満の特定遊技状態（たとえば、１５ラウンド通常大当り）に制御された場合に、前記特定演出を実行する（たとえば、図２９のＳ８９３，Ｓ８９４，Ｓ８９６）ことを特徴とする。
このような構成によれば、特定遊技状態の回数が所定回数となったことに加えて、複数種類の特定遊技状態のうち所定の有利度未満の特定遊技状態に制御された場合に、特定演出が実行される。このため、有利度の低い特定遊技状態が発生したことによる遊技の興趣の低下を抑制することができる。
（４−５） 上記（４−１）から（４−４）のいずれかに記載の遊技機において、
前記判定期間に亘って特別演出（たとえば、引戻しモード演出）を実行する特別演出実行手段（たとえば、演出制御用マイクロコンピュータ１００、図３０のＳ８７２）をさらに備えることを特徴とする。
このような構成によれば、判定期間に亘って特別演出が実行される。このため、判定期間を、遊技者に分かり易く報知することができる。
【０４０８】
次に、以上に説明した実施の形態の変形例や特徴点等を以下に列挙する。
（１）  前述の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌ等）を制御する回路が搭載された第２の演出制御基板との２つの基板を設けるようにしてもよい。
【０４０９】
（２）  前述の実施の形態では、遊技制御用マイクロコンピュータ５６０は、演出制御用マイクロコンピュータ１００に対して直接コマンドを送信していたが、遊技制御用マイクロコンピュータ５６０が他の基板（たとえば、図３に示す音声出力基板７０やランプドライバ基板３５等、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、またはたとえば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行なうのと同様に、音声出力基板７０、ランプドライバ基板３５または音／ランプ基板から受信したコマンドに応じて表示制御を行なうことができる。このような構成の場合には、前述した実施の形態で演出制御用マイクロコンピュータ１００が行なっていた各種決定については、同様に演出制御用マイクロコンピュータ１００が行なうようにしてもよく、または、音声出力基板７０、ランプドライバ基板３５、または、音／ランプ基板に搭載したマイクロコンピュータ等の制御手段が行なうようにしてもよい。
【０４１０】
（３）  前述した実施の形態は、入賞球の検出に応答して所定数の賞球を払い出す払出式遊技機に限定されるものではなく、遊技球を封入し入賞球の検出に応答して得点を付与する封入式遊技機にも適用することができる。
【０４１１】
（４）  前述した実施の形態は、パチンコ遊技機１の動作をシミュレーションするゲーム機などの装置にも適用することができる。前述した実施の形態を実現するためのプログラム及びデータは、コンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。そして、ゲームの実施形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行なうことによりゲームを実行するような形態とすることもできる。
【０４１２】
（５）  時短状態を実現するための制御としては、時短状態に制御されたときに、変動パターンのうち、非時短状態と比べて、変動時間が比較的短い変動パターンの選択割合を増加させることにより時短状態となるようにしてもよい。また、時短状態を実現するための制御としては、非時短状態専用の複数種類の変動パターンと、当該変動パターンよりも平均的な変動時間が短い時短状態専用の複数種類の変動パターンとを設け、非時短状態においては非時短状態専用の複数種類の変動パターンから変動パターンを選択し、時短状態においては時短状態専用の複数種類の変動パターンから変動パターンを選択することにより、時短状態を実現するようにしてもよい。
【０４１３】
（６）  前述の実施形態では、大当り種別として、１５ラウンドの大当りと２ラウンドの大当りとを設けた例を示した。しかし、これに限らず、たとえば、１５ラウンドの大当り、１０ラウンドの大当り、５ラウンドの大当り、および、２ラウンドの大当りを設ける場合のように、３種類以上のラウンド数の大当り種別を設けてもよい。その場合には、たとえば、大当りの種別を、賞球が得られやすい大当り種別グループ（たとえば、１５ラウンドの大当り、１０ラウンドの大当り）と、賞球が得られにくい大当り種別グループ（たとえば、５ラウンドの大当り、２ラウンドの大当り）とに分類し、第２特別図柄の方が第１特別図柄よりも、賞球が得られやすい大当り種別グループの大当り種別が選択される割合が高くなるように設定してもよい。そのときには、時短状態に関する制御を、賞球が得られやすい大当り種別グループの大当り種別については、前述した実施形態での１５ラウンドの大当りと同様の制御を行ない、賞球が得られにくい大当り種別グループの大当り種別については、前述した実施形態での２ラウンドの大当りと同様の制御を行なうことにより、グループ単位で、変動時間の制御を行なうようにしてもよい。
【０４１４】
（７）  前述した実施形態では、大当りの種類として、１５ラウンド確変大当り、１５ラウンド通常大当り、および、２ラウンド確変大当りを設けるようにした。しかし、これに限定されず、たとえば、大当りとして、ランクアップボーナスを設けるようにしてもよい。ランクアップ大当りは、次のような大当りである。同じ１５ラウンドの大当りであっても、１ラウンドあたり大入賞口を１回開放する第１特定遊技状態と、１ラウンドあたり大入賞口を複数回開放する第２特定遊技状態とを用意し、大入賞口の開放回数が実質的に多くなるようにして第２特定遊技状態の遊技価値を高めるようにする。具体的には、１ラウンドあたり大入賞口を２回開放する場合は、大入賞口の開放回数は３０回となり、３回開放する場合は、大入賞口の開放回数は４５回となる。この場合、たとえば、第１特定遊技状態または第２特定遊技状態のいずれの場合であっても、大入賞口を１５回開放したときに（この場合、第１特定遊技状態の場合には１５ラウンドすべてを終了し、第２特定遊技状態の場合には未消化のラウンドが残っていることになる）、大当りがさらに継続するか否かを煽るような態様の演出（いわゆるランクアップボーナスの演出）を実行する。そして、第１特定遊技状態の場合には内部的に１５ラウンドすべてを終了していることから大当り遊技を終了し、第２特定遊技状態の場合には内部的に未消化のラウンドが残っていることから、大当り遊技が継続する（あたかも１５回開放の大当りを終了した後にさらにボーナスで大入賞口の開放が追加で始まったような演出）。
【０４１５】
また、大当りとして、１回の大当りで３回まで大当りが継続する、いわゆるセット物の大当りを設けるようにしてもよい。つまり、本来なら３回目の大当りが終了すると通常モードに制御されるが、引戻しモードを設けることにより、最大３連しかしない遊技機であっても、大当り継続回数（いわゆる、連チャン回数）を延ばすことができる。
【０４１６】
（８）  前述した実施形態では、大当り種別と大当り図柄とを１対１で対応させておき、同じ乱数値（ランダム１）を用いて同時に選択する例を示した。しかし、これに限らず、各大当り種別につき、複数の大当り図柄のそれぞれを、大当り種別決定用の乱数値とは別に設けた大当り図柄決定用の乱数値により対応付けておき、大当り種別を決定した後に、大当り図柄決定用の乱数値を用いて、決定された大当り種別に含まれる複数の大当り図柄のうちから１つの大当り図柄を選択決定する処理を行なうようにしてもよい。
【０４１７】
（９）  前述した実施形態では、賞球が得られやすい大当り（１５ラウンドの大当り）と、賞球が得られにくい大当り（２ラウンド確変大当り）とについて、大当り遊技状態における特別可変入賞球装置２０の開放回数で大当りの種別を分ける例を示した。しかし、これに限らず、賞球が得られやすい大当りと、賞球が得られにくい大当りとについて、開放回数を同じとし、賞球が得られやすい大当りについては賞球が得られやすい長い開放時間とし、賞球が得られにくい大当りについては賞球が得られにくい極めて短い開放時間とするようにしてもよい。このようにすれば、大当り時の開放回数を区別するために表示するランプ（ラウンドランプ）を設ける必要がなくなるので、パチンコ遊技機１の外部から確変状態であるか否かを全く判別できなくすることができる。
【０４１８】
（１０）  前述した実施の形態においては、図２９のＳ８９７で、大当り継続期間中の大当りの種類の履歴をＲＡＭに記憶させて、図３０のＳ８６９、Ｓ８７０で大当り継続期間中の大当りの種類によって引戻し回数を算出するようにした。しかし、これに限定されず、図２９のＳ８９７で記憶させるのは、大当り継続期間中の大当りの種類ごとの回数であってもよい。
【０４１９】
（１１）  前述した実施の形態においては、図３０のＳ８６９、Ｓ８７０で説明した算出方法で引戻し回数を算出するようにした。しかし、これに限定されず、図３０において変形例として示しているように、大当りの種類Ａ，Ｂ（３つ以上であってもよい）があって、有利度がＡ＞Ｂである場合に、対象期間のＢの回数をｍ回とした場合に、ｍ＝０〜３であれば、引戻し回数を０回、ｍ＝４〜６であれば、引戻し回数を５０回、ｍ＝７以上であれば、引戻し回数を１００回とするようにしてもよい。ここで、ＡとＢが逆であってもよい。
【０４２０】
つまり、複数種類の特定遊技状態のうちの所定の特定遊技状態の回数の範囲に応じた引戻し期間を、特定遊技状態の回数を計数する期間に付加するものであってもよい。好ましくは、複数種類の特定遊技状態のうちの有利度の低い特定遊技状態の回数の範囲に応じた引戻し期間であって、回数の多い範囲ほど多い引戻し期間を、特定遊技状態の回数を計数する期間に付加するものであってもよい。
【０４２１】
このように、引戻し回数の算出方法については、初当りから大当り継続回数を計数する期間が経過するまでの大当りの種類に基づいて決定するものであれば、他の算出方法であってもよい。
【０４２２】
（１２）  前述した実施の形態においては、図３０のＳ８６９で、エンディング演出が実行された後の引戻し期間の回数を、エンディング演出が実行される直前までの大当りの種類に基づいて定められる回数とするようにした。
【０４２３】
しかし、これに限定されず、エンディング演出が実行された後の引戻し期間の回数を、特定の回数、たとえば、０回またはデフォルト回数（たとえば、２０回）に設定するようにしてもよい。
【０４２４】
（１３）  前述した実施の形態においては、図３２で示したように、大当り継続回数は、「５連勝」のように、文字で表示させるようにした。しかし、これに限定されず、大当り継続回数が５回の場合は、アイコンを５個並べて表示させるように、記号で表示させるようにしてもよい。
【０４２５】
（１４）  前述した実施の形態においては、図２９のＳ８９０，Ｓ８９１で示したように、１５ラウンド大当りの場合のみ、大当り継続回数を積算し、２ラウンド確変大当りの場合は、大当り継続回数を積算しないようにした。しかし、これに限定されず、２ラウンド確変大当りの場合にも、大当り継続回数を積算するようにしてもよい。
【０４２６】
（１５）  前述した実施の形態においては、大当り終了後に付与される時短回数は、一定回数（前述した実施の形態においては、１００回）であることとした。しかし、これに限定されず、大当り終了後に付与される時短回数は、大当りの種類などに応じて異なる回数とするようにしてもよい。
【０４２７】
（１６）  前述した実施の形態においては、図２９のＳ８９３〜Ｓ８９６で示したように、大当り継続回数が所定回数（前述した実施の形態では、１０回）以上となって、所定の有利度の低い大当り（前述した実施の形態では、１５ラウンド通常大当り）が発生した場合に、エンディング演出を実行するようにした。しかし、これに限定されず、大当り継続回数が所定回数以上となった場合に、大当りの種類に関わらず、エンディング演出を実行するようにしてもよい。
【０４２８】
（１７）  前述した実施の形態においては、図２９のＳ８９３〜Ｓ８９６で示したように、大当り継続回数が１０回となったことを条件として、特定演出（エンディング演出）を実行するようにした。しかし、さらに、他の回数となったことを条件として、特定演出を実行するようにしてもよい。たとえば、１０連チャン用に加えて、５連チャン用、１５連チャン用、および、２０連チャン用の特定演出を設けるようにしてもよい。
【０４２９】
（１８）  前述した実施の形態においては、図３０のＳ８６９，Ｓ８７０で説明したように、１５ラウンド大当りが１回増えるごとに、第１の回数（前述した実施の形態においては５回）、２ラウンド大当りが１回増えるごとに、第１の回数よりも多い第２の回数（前述した実施の形態においては１０回）、引戻しモードの回数を増やすようにした。つまり、大当りのラウンド回数に応じて、引戻しモードを変化させる度合を異ならせるようにした。
【０４３０】
しかし、これに限定されず、大当りの出玉、大当りの確変／非確変の区別などに応じて、引戻しモードを変化させる度合を異ならせるようにしてもよい。
【０４３１】
（１９）  前述した実施の形態においては、大当り終了後に所定回数、付与される時短状態が終了した場合に、引戻しモードに移行されるようにした。しかし、これに限定されず、大当り終了後に所定回数の確変状態が付与される遊技機において、確変状態が終了した場合に、引戻しモードに移行されるようにしてもよい。
【０４３２】
（２０）  前述した実施の形態おいては、前述した実施の形態においては、大当り継続回数を計数する期間および引戻し期間が、それぞれ、変動表示の回数で定められることとした。しかし、これに限定されず、たとえば、大当り継続回数を計数する期間は、大当りが終了してから所定時間（たとえば、３分）までであることとしてもよいし、引戻し期間は、大当り継続回数を計数する期間が終了してから、大当り継続期間における大当りの種類に基づく時間（たとえば、２ラウンド確変大当りの回数がｍ回であれば、ｍ分）であることとしてもよい。
【０４３３】
（２１）  前述した実施の形態においては、図３０のＳ８７０では、大当り継続回数を計数する期間の全期間の大当りの種類に基づき引戻し回数を算出するようにした。しかし、これに限定されず、大当り継続回数を計数する期間の最後の所定期間（最後の所定回数）の大当りの種類に基づき引戻し回数を算出するようにしてもよい。
【０４３４】
（２２）  前述した実施の形態においては、大当り状態の後に時短状態に制御され得る遊技機において、時短状態の後に引戻しモードに制御されるものについて説明した。この場合、大当りの回数が継続して計数される所定期間は、最初の大当り状態に制御されてから、時短状態の期間を経て、引戻しモードが終了するまでの期間である。
【０４３５】
しかし、これに限定されず、大当り状態の後に時短状態に制御されない遊技機において、大当り状態の後に引戻しモードに制御されるものであってもよい。この場合、大当りの回数が継続して計数される所定期間は、最初の大当り状態に制御されてから、引戻しモードが終了するまでの期間である。
【０４３６】
（２３）  前述した実施の形態においては、引戻しモードに制御されているときに大当りが発生した場合には、特に、残り引戻し回数をクリアするようにしなかった。しかし、これに限定されず、引戻しモードに制御されているときに大当りが発生した場合には、残り引戻し回数をクリアするように構成してもよい。
【０４３７】
（２４）  前述した実施の形態においては、パチンコ遊技機１に発明を適用する例について説明した。しかし、これに限定されず、本発明は他の遊技機、たとえば、スロットマシンにも適用可能である。
【０４３８】
（２５）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０４３９】
９Ｌ，９Ｃ，９Ｒ  図柄表示エリア、９  演出表示装置、１  パチンコ遊技機、１００  演出制御用マイクロコンピュータ、５６０  遊技制御用マイクロコンピュータ。
【図１】
0005619697.tif 000002
【図２】
0005619697.tif 000003
【図３】
0005619697.tif 000004
【図４】
0005619697.tif 000005
【図５】
0005619697.tif 000006
【図６】
0005619697.tif 000007
【図７】
0005619697.tif 000008
【図８】
0005619697.tif 000009
【図９】
0005619697.tif 000010
【図１０】
0005619697.tif 000011
【図１１】
0005619697.tif 000012
【図１２】
0005619697.tif 000013
【図１３】
0005619697.tif 000014
【図１４】
0005619697.tif 000015
【図１５】
0005619697.tif 000016
【図１６】
0005619697.tif 000017
【図１７】
0005619697.tif 000018
【図１８】
0005619697.tif 000019
【図１９】
0005619697.tif 000020
【図２０】
0005619697.tif 000021
【図２１】
0005619697.tif 000022
【図２２】
0005619697.tif 000023
【図２３】
0005619697.tif 000024
【図２４】
0005619697.tif 000025
【図２５】
0005619697.tif 000026
【図２６】
0005619697.tif 000027
【図２７】
0005619697.tif 000028
【図２８】
0005619697.tif 000029
【図２９】
0005619697.tif 000030
【図３０】
0005619697.tif 000031
【図３１】
0005619697.tif 000032
【図３２】
0005619697.tif 000033
【図３３】
0005619697.tif 000034
【図３４】
0005619697.tif 000035
【図３５】
0005619697.tif 000036